(57)【要約】  この出願は、車両外部通信方法及び装置並びに端末を提供する。方法は、車両により、関連づけ登録要求メッセージを管理デバイスに送信するステップであり、関連づけ登録要求メッセージは、車両が管理デバイスとの制御関連づけを確立するのを要求することを示すために使用される、ステップと、車両により、管理デバイスにより送信され且つ成功識別子を含む第１の関連づけ登録応答メッセージを受信するステップ、又は、車両により、管理デバイスにより送信され且つ失敗識別子を含む第２の関連づけ登録応答メッセージを受信するステップとを含む。この出願の実施例で提供される技術的解決策によれば、車両と管理デバイスとの間の制御関連づけは、道路トラフィック活動における車両の関与の前提条件として使用され、それにより、道路トラフィック活動に関与する全ての車両がまとめて管理デバイスによりスケジュール及び制御でき、車両安全性及び通過効率が改善できる。
2019527886.tif 000002
【特許請求の範囲】
【請求項１】
交通システムにおける車両に適用される車両外部通信方法であって、
前記車両により、関連づけ登録要求メッセージを管理デバイスに送信するステップであり、前記関連づけ登録要求メッセージは、前記車両が前記管理デバイスとの制御関連づけを確立するのを要求することを示すために使用され、前記制御関連づけは、前記車両が適用要求メッセージを前記管理デバイスに送信し、前記適用要求メッセージに従って前記管理デバイスにより送信された適用応答メッセージを受信すること、前記車両が前記管理デバイスにより送信された適用要求メッセージを受信し、前記適用要求メッセージに従って適用応答メッセージを前記管理デバイスに送信すること、前記車両が通知メッセージを前記管理デバイスに送信すること、又は前記車両が前記管理デバイスにより送信された通知メッセージを受信することのうち１つを含む、ステップと、
前記車両により、前記管理デバイスにより送信され且つ成功識別子を含む第１の関連づけ登録応答メッセージを受信し、前記第１の関連づけ登録応答メッセージに従って前記管理デバイスとの制御関連づけを確立するステップであり、前記第１の関連づけ登録応答メッセージは、前記車両が前記管理デバイスとの制御関連づけを確立するのを許可されることを示すために使用される、ステップ、又は、
前記車両により、前記管理デバイスにより送信され且つ失敗識別子を含む第２の関連づけ登録応答メッセージを受信するステップであり、前記第２の関連づけ登録応答メッセージは、前記車両が前記管理デバイスとの制御関連づけを確立するのを禁止されることを示すために使用される、ステップと、
を含む方法。
【請求項２】
前記車両が適用要求メッセージを前記管理デバイスに送信し、前記適用要求メッセージに従って前記管理デバイスにより送信された適用応答メッセージを受信することは、
前記車両により、関連づけ登録解除要求メッセージを前記管理デバイスに送信し、前記関連づけ登録解除要求メッセージは、前記車両が前記管理デバイスとの制御関連づけを取り消すのを要求することを示すために使用されることと、
前記車両により、前記管理デバイスにより送信され且つ成功識別子を含む第１の関連づけ登録解除応答メッセージを受信し、前記第１の関連づけ登録解除応答メッセージに従って前記管理デバイスとの制御関連づけを取り消し、前記第１の関連づけ登録解除応答メッセージは、前記車両が前記管理デバイスとの制御関連づけを取り消すのを許可されることを示すために使用されること、又は、
前記車両により、前記管理デバイスにより送信され且つ失敗識別子を含む第２の関連づけ登録解除応答メッセージを受信し、前記第２の関連づけ登録解除応答メッセージは、前記車両が前記管理デバイスとの制御関連づけを取り消すのを禁止されることを示すために使用されることと、
を含む、請求項１に記載の方法。
【請求項３】
前記車両が適用要求メッセージを前記管理デバイスに送信し、前記適用要求メッセージに従って前記管理デバイスにより送信された適用応答メッセージを受信することは、
前記車両により、ユーザ識別子を含むユーザ更新要求メッセージを前記管理デバイスに送信し、前記ユーザ更新要求メッセージは、前記ユーザ識別子に対応するユーザが前記車両を使用するのを要求することを示すために使用されることと、
前記車両により、前記管理デバイスにより送信され且つ成功識別子を含む第１のユーザ更新応答メッセージを受信し、前記第１のユーザ更新応答メッセージは、前記ユーザ識別子に対応する前記ユーザが前記車両を使用するのを前記管理デバイスが許可することを示すために使用されること、又は、
前記車両により、前記管理デバイスにより送信され且つ失敗識別子を含む第２のユーザ更新応答メッセージを受信し、前記第２のユーザ更新応答メッセージは、前記ユーザ識別子に対応する前記ユーザが前記車両を使用するのを前記管理デバイスが禁止することを示すために使用されることと、
を含む、請求項１に記載の方法。
【請求項４】
前記車両が前記管理デバイスにより送信された通知メッセージを受信することは、
前記車両により、前記管理デバイスにより送信され且つユーザ識別子を含むユーザ更新メッセージを受信し、前記ユーザ更新メッセージは、前記ユーザ識別子に対応するユーザが前記車両を使用するのを許可されることを示すために使用されることを含む、請求項１に記載の方法。
【請求項５】
前記車両が前記管理デバイスにより送信された適用要求メッセージを受信し、前記適用要求メッセージに従って適用応答メッセージを前記管理デバイスに送信することは、
前記車両により、前記管理デバイスにより送信され且つ車両パラメータ識別子を含む問い合わせ要求メッセージを受信することと、
前記車両により、問い合わせ応答メッセージを前記管理デバイスに送信し、前記問い合わせ応答メッセージは、前記車両パラメータ識別子に対応する車両パラメータを含むことと、
を含む、請求項１に記載の方法。
【請求項６】
前記車両が通知メッセージを前記管理デバイスに送信することは、
前記車両により、車両パラメータ識別子に対応する車両パラメータを含む通知メッセージを前記管理デバイスに送信し、前記通知メッセージは、前記管理デバイスに対して前記車両パラメータ識別子に対応する前記車両パラメータを同期させるよう命令するために使用されることを含む、請求項１に記載の方法。
【請求項７】
前記車両により、車両パラメータ識別子に対応する車両パラメータを含む通知メッセージを前記管理デバイスに送信することは、
前記車両により、第１の車両状態通知メッセージを前記管理デバイスに送信し、前記第１の車両状態通知メッセージは、前記車両の共通部分の状態パラメータを含むこと、又は、
前記車両により、第２の車両状態通知メッセージを前記管理デバイスに送信し、前記第２の車両状態通知メッセージは、前記車両の警告部分又は故障部分の状態パラメータを含むことを含む、請求項６に記載の方法。
【請求項８】
前記車両により、車両パラメータ識別子に対応する車両パラメータを含む通知メッセージを前記管理デバイスに送信することは、
前記車両により、道路リソース使用通知メッセージを前記管理デバイスに送信し、前記道路リソース使用通知メッセージは、前記車両により使用された道路のパラメータを含むことを含む、請求項６に記載の方法。
【請求項９】
前記車両パラメータ識別子は、車両項目識別子及び車両サブ項目識別子のうち少なくとも１つを含み、前記車両項目識別子に対応する車両パラメータは、前記車両サブ項目識別子に対応する車両パラメータを含む、請求項５乃至８のうちいずれか１項に記載の方法。
【請求項１０】
前記車両が適用要求メッセージを前記管理デバイスに送信し、前記適用要求メッセージに従って前記管理デバイスにより送信された適用応答メッセージを受信することは、
前記車両により、道路制約情報を含む道路リソース割り当て要求メッセージを前記管理デバイスに送信し、前記道路リソース割り当て要求メッセージは、前記車両が前記管理デバイスに、前記道路制約情報に従って道路リソースを前記車両に割り当てるよう要求することを示すために使用されることと、
前記車両により、前記管理デバイスにより送信され且つ成功識別子及び道路リソース割り当て情報を含む第１の道路リソース割り当て応答メッセージを受信し、前記第１の道路リソース割り当て応答メッセージは、前記管理デバイスが前記道路リソースを前記車両に割り当てるのに成功したことを示すために使用され、それにより、前記車両は前記道路リソース割り当て情報を取得すること、又は、
前記車両により、前記管理デバイスにより送信され且つ失敗識別子を含む第２の道路リソース割り当て応答メッセージを受信し、前記第２の道路リソース割り当て応答メッセージは、前記管理デバイスが前記道路リソースを前記車両に割り当てるのに失敗したことを示すために使用されることと、
を含む、請求項１に記載の方法。
【請求項１１】
前記車両が前記道路リソース割り当て情報を取得した後、当該方法は、
前記車両により、道路リソース解放メッセージを前記管理デバイスに送信するステップであり、前記道路リソース解放メッセージは前記管理デバイスに、前記道路リソース割り当て情報内の使用されない道路を解放するよう命令するために使用される、ステップ
をさらに含む、請求項１０に記載の方法。
【請求項１２】
前記車両により、関連づけ登録要求メッセージを管理デバイスに送信するステップは、
前記車両により、管理デバイスアイデンティティ情報を取得するステップと、
前記車両により、前記関連づけ登録要求メッセージを、前記管理デバイスアイデンティティ情報に対応する管理デバイスに送信するステップと、
を含む、請求項１に記載の方法。
【請求項１３】
前記車両により、関連づけ登録要求メッセージを管理デバイスに送信するステップであり、前記関連づけ登録要求メッセージは、前記車両が前記管理デバイスとの制御関連づけを確立するのを要求することを示すために使用される、ステップは、
前記車両により、車両アイデンティティ情報を含む関連づけ登録要求メッセージを前記管理デバイスに送信するステップであり、前記関連づけ登録要求メッセージは、前記車両アイデンティティ情報に対応する車両が前記管理デバイスとの制御関連づけを確立するのを要求することを示すために使用される、ステップを含む、請求項１に記載の方法。
【請求項１４】
交通システムにおける管理デバイスに適用される車両外部通信方法であって、
前記管理デバイスにより、前記車両により送信された関連づけ登録要求メッセージを受信するステップであり、前記関連づけ登録要求メッセージは、前記車両が前記管理デバイスとの制御関連づけを確立するのを要求することを示すために使用され、前記制御関連づけは、前記管理デバイスが前記車両により送信された適用要求メッセージを受信し、前記適用要求メッセージに従って適用応答メッセージを前記車両に送信すること、前記管理デバイスが適用要求メッセージを前記車両に送信し、前記適用要求メッセージに従って前記車両により送信された適用応答メッセージを受信すること、前記管理デバイスが前記車両により送信された通知メッセージを受信すること、又は前記管理デバイスが通知メッセージを前記車両に送信することのうち１つを含む、ステップと、
前記管理デバイスにより、成功識別子を含む第１の関連づけ登録応答メッセージを前記車両に送信するステップであり、それにより、前記車両は前記第１の関連づけ登録応答メッセージに従って前記管理デバイスとの制御関連づけを確立し、前記第１の関連づけ登録応答メッセージは、前記車両が前記管理デバイスとの制御関連づけを確立するのを許可されることを示すために使用される、ステップ、又は、
前記管理デバイスにより、失敗識別子を含む第２の関連づけ登録応答メッセージを前記車両に送信するステップであり、前記第２の関連づけ登録応答メッセージは、前記車両が前記管理デバイスとの制御関連づけを確立するのを禁止されることを示すために使用される、ステップと、
を含む方法。
【請求項１５】
前記管理デバイスが前記車両により送信された適用要求メッセージを受信し、前記適用要求メッセージに従って適用応答メッセージを前記車両に送信することは、
前記管理デバイスにより、前記車両により送信された関連づけ登録解除要求メッセージを受信し、前記関連づけ登録解除要求メッセージは、前記車両が前記管理デバイスとの制御関連づけを取り消すのを要求することを示すために使用されることと、
前記管理デバイスにより、成功識別子を含む第１の関連づけ登録解除応答メッセージを前記車両に送信し、それにより、前記車両は前記第１の関連づけ登録解除応答メッセージに従って前記管理デバイスとの制御関連づけを取り消し、前記第１の関連づけ登録解除応答メッセージは、前記車両が前記管理デバイスとの制御関連づけを取り消すのを許可されることを示すために使用されること、又は、
前記管理デバイスにより、失敗識別子を含む第２の関連づけ登録解除応答メッセージを前記車両に送信し、前記第２の関連づけ登録解除応答メッセージは、前記車両が前記管理デバイスとの制御関連づけを取り消すのを禁止されることを示すために使用されることと、
を含む、請求項１４に記載の方法。
【請求項１６】
前記管理デバイスが前記車両により送信された適用要求メッセージを受信し、前記適用要求メッセージに従って適用応答メッセージを前記車両に送信することは、
前記管理デバイスにより、前記車両により送信され且つユーザ識別子を含むユーザ更新要求メッセージを受信し、前記ユーザ更新要求メッセージは、前記ユーザ識別子に対応するユーザが前記車両を使用するのを要求することを示すために使用されることと、
前記管理デバイスにより、成功識別子を含む第１のユーザ更新応答メッセージを前記車両に送信し、前記第１のユーザ更新応答メッセージは、前記ユーザ識別子に対応する前記ユーザが前記車両を使用するのを前記管理デバイスが許可することを示すために使用されること、又は、
前記管理デバイスにより、失敗識別子を含む第２のユーザ更新応答メッセージを前記車両に送信し、前記第２のユーザ更新応答メッセージは、前記ユーザ識別子に対応する前記ユーザが前記車両を使用するのを前記管理デバイスが禁止することを示すために使用されることと、
を含む、請求項１４に記載の方法。
【請求項１７】
前記管理デバイスが通知メッセージを前記車両に送信することは、
前記管理デバイスにより、ユーザ識別子を含むユーザ更新メッセージを前記車両に送信し、前記ユーザ更新メッセージは、前記ユーザ識別子に対応するユーザが前記車両を使用するのを許可されることを示すために使用されることを含む、請求項１４に記載の方法。
【請求項１８】
前記管理デバイスが適用要求メッセージを前記車両に送信し、前記適用要求メッセージに従って前記車両により送信された適用応答メッセージを受信することは、
前記管理デバイスにより、問い合わせ要求メッセージを前記車両に送信することと、
前記管理デバイスにより、前記車両により送信された問い合わせ応答メッセージを受信し、前記問い合わせ応答メッセージは、前記車両パラメータ識別子に対応する車両パラメータを含むことと、
を含む、請求項１４に記載の方法。
【請求項１９】
前記管理デバイスが通知メッセージを前記車両に送信することは、
前記管理デバイスにより、前記車両により送信され且つ車両パラメータ識別子に対応する車両パラメータを含む通知メッセージを受信し、前記通知メッセージは、前記管理デバイスに対して前記車両パラメータ識別子に対応する前記車両パラメータを同期させるよう命令するために使用されることを含む、請求項１４に記載の方法。
【請求項２０】
前記管理デバイスにより、前記車両により送信され且つ車両パラメータ識別子に対応する車両パラメータを含む通知メッセージを受信することは、
前記管理デバイスにより、前記車両により送信された第１の車両状態通知メッセージを受信し、前記第１の車両状態通知メッセージは、前記車両の共通部分の状態パラメータを含むこと、又は、
前記管理デバイスにより、前記車両により送信された第２の車両状態通知メッセージを受信し、前記第２の車両状態通知メッセージは、前記車両の警告部分又は故障部分の状態パラメータを含むこと、
を含む、請求項１９に記載の方法。
【請求項２１】
前記管理デバイスにより、前記車両により送信され且つ車両パラメータ識別子に対応する車両パラメータを含む通知メッセージを受信することは、
前記管理デバイスにより、前記車両により送信された道路リソース使用通知メッセージを受信し、前記道路リソース使用通知メッセージは、前記車両により使用された道路のパラメータを含むことを含む、請求項１９に記載の方法。
【請求項２２】
前記管理デバイスが前記車両により送信された適用要求メッセージを受信し、前記適用要求メッセージに従って適用応答メッセージを前記車両に送信することは、
前記管理デバイスにより、前記車両により送信され且つ道路制約情報を含む道路リソース割り当て要求メッセージを受信し、前記道路リソース割り当て要求メッセージは、前記車両が前記管理デバイスに、前記道路制約情報に従って道路リソースを前記車両に割り当てるよう要求することを示すために使用されることと、
前記管理デバイスにより、成功識別子及び道路リソース割り当て情報を含む第１の道路リソース割り当て応答メッセージを前記車両に送信し、前記第１の道路リソース割り当て応答メッセージは、前記管理デバイスが前記道路リソースを前記車両に割り当てるのに成功したことを示すために使用され、それにより、前記車両は前記道路リソース割り当て情報を取得すること、又は、
前記管理デバイスにより、失敗識別子を含む第２の道路リソース割り当て応答メッセージを前記車両に送信し、前記第２の道路リソース割り当て応答メッセージは、前記管理デバイスが前記道路リソースを前記車両に割り当てるのに失敗したことを示すために使用されることと、
を含む、請求項１４に記載の方法。
【請求項２３】
前記車両が前記道路リソース割り当て情報を取得した後、当該方法は、
前記管理デバイスにより、前記車両により送信された道路リソース解放メッセージを受信するステップであり、前記道路リソース解放メッセージは前記管理デバイスに、前記道路リソース割り当て情報内の使用されない道路を解放するよう命令するために使用される、ステップをさらに含む、請求項２２に記載の方法。
【請求項２４】
交通システムにおける車両に適用される車両外部通信装置であって、
関連づけ登録要求メッセージを管理デバイスに送信するように構成された関連づけ登録要求メッセージ送信モジュールであり、前記関連づけ登録要求メッセージは、前記車両が制御関連づけモジュールを使用することにより前記管理デバイスとの制御関連づけを確立するのを要求することを示すために使用され、前記制御関連づけは、前記車両が適用要求メッセージを前記管理デバイスに送信し、前記適用要求メッセージに従って前記管理デバイスにより送信された適用応答メッセージを受信すること、前記車両が前記管理デバイスにより送信された適用要求メッセージを受信し、前記適用要求メッセージに従って適用応答メッセージを前記管理デバイスに送信すること、前記車両が通知メッセージを前記管理デバイスに送信すること、又は前記車両が前記管理デバイスにより送信された通知メッセージを受信することのうち１つを含む、関連づけ登録要求メッセージ送信モジュールと、
前記管理デバイスにより送信され且つ成功識別子を含む第１の関連づけ登録応答メッセージを受信し、前記第１の関連づけ登録応答メッセージに従って前記管理デバイスとの制御関連づけを確立するように構成された第１の関連づけ登録応答メッセージ受信モジュールであり、前記第１の関連づけ登録応答メッセージは、前記車両が前記管理デバイスとの制御関連づけを確立するのを許可されることを示すために使用される、第１の関連づけ登録応答メッセージ受信モジュール、又は、
前記管理デバイスにより送信され且つ失敗識別子を含む第２の関連づけ登録応答メッセージを受信するように構成された第２の関連づけ登録応答メッセージ受信モジュールであり、前記第２の関連づけ登録応答メッセージは、前記車両が前記管理デバイスとの制御関連づけを確立するのを禁止されることを示すために使用される、第２の関連づけ登録応答メッセージ受信モジュールと、
を含む装置。
【請求項２５】
前記制御関連づけモジュールは、
関連づけ登録解除要求メッセージを前記管理デバイスに送信するように構成された関連づけ登録解除要求メッセージ送信サブモジュールであり、前記関連づけ登録解除要求メッセージは、前記車両が前記管理デバイスとの制御関連づけを取り消すのを要求することを示すために使用される、関連づけ登録解除要求メッセージ送信サブモジュールと、
前記管理デバイスにより送信され且つ成功識別子を含む第１の関連づけ登録解除応答メッセージを受信し、前記第１の関連づけ登録解除応答メッセージに従って前記管理デバイスとの制御関連づけを取り消すように構成された第１の関連づけ登録解除応答メッセージ受信サブモジュールであり、前記第１の関連づけ登録解除応答メッセージは、前記車両が前記管理デバイスとの制御関連づけを取り消すのを許可されることを示すために使用される、第１の関連づけ登録解除応答メッセージ受信サブモジュール、又は、
前記管理デバイスにより送信され且つ失敗識別子を含む第２の関連づけ登録解除応答メッセージを受信するように構成された第２の関連づけ登録解除応答メッセージ受信サブモジュールであり、前記第２の関連づけ登録解除応答メッセージは、前記車両が前記管理デバイスとの制御関連づけを取り消すのを禁止されることを示すために使用される、第２の関連づけ登録解除応答メッセージ受信サブモジュールと、
を含む、請求項２４に記載の装置。
【請求項２６】
前記制御関連づけモジュールは、
ユーザ識別子を含むユーザ更新要求メッセージを前記管理デバイスに送信するように構成されたユーザ更新要求メッセージ送信サブモジュールであり、前記ユーザ更新要求メッセージは、前記ユーザ識別子に対応するユーザが前記車両を使用するのを要求することを示すために使用される、ユーザ更新要求メッセージ送信サブモジュールと、
前記管理デバイスにより送信され且つ成功識別子を含む第１のユーザ更新応答メッセージを受信するように構成された第１のユーザ更新応答メッセージ受信サブモジュールであり、前記第１のユーザ更新応答メッセージは、前記ユーザ識別子に対応する前記ユーザが前記車両を使用するのを前記管理デバイスが許可することを示すために使用される、第１のユーザ更新応答メッセージ受信サブモジュール、又は、
前記管理デバイスにより送信され且つ失敗識別子を含む第２のユーザ更新応答メッセージを受信するように構成された第２のユーザ更新応答メッセージ受信サブモジュールであり、前記第２のユーザ更新応答メッセージは、前記ユーザ識別子に対応する前記ユーザが前記車両を使用するのを前記管理デバイスが禁止することを示すために使用される、第２のユーザ更新応答メッセージ受信サブモジュールと、
を含む、請求項２４に記載の装置。
【請求項２７】
前記制御関連づけモジュールは、
前記管理デバイスにより送信され且つユーザ識別子を含むユーザ更新メッセージを受信するように構成されたユーザ更新メッセージ受信サブモジュールであり、前記ユーザ更新メッセージは、前記ユーザ識別子に対応するユーザが前記車両を使用するのを許可されることを示すために使用される、ユーザ更新メッセージ受信サブモジュールを含む、請求項２４に記載の装置。
【請求項２８】
前記制御関連づけモジュールは、
前記管理デバイスにより送信され且つ車両パラメータ識別子を含む問い合わせ要求メッセージを受信するように構成された問い合わせ要求メッセージ受信サブモジュールと、
問い合わせ応答メッセージを前記管理デバイスに送信するように構成された問い合わせ応答メッセージ送信サブモジュールであり、前記問い合わせ応答メッセージは、前記車両パラメータ識別子に対応する車両パラメータを含む、問い合わせ応答メッセージ送信サブモジュールと、
を含む、請求項２４に記載の装置。
【請求項２９】
前記制御関連づけモジュールは、
車両パラメータ識別子に対応する車両パラメータを含む通知メッセージを前記管理デバイスに送信するように構成された通知メッセージ送信サブモジュールであり、前記通知メッセージは、前記管理デバイスに対して前記車両パラメータ識別子に対応する前記車両パラメータを同期させるよう命令するために使用される、通知メッセージ送信サブモジュールを含む、請求項２４に記載の装置。
【請求項３０】
前記通知メッセージ送信サブモジュールは、
第１の車両状態通知メッセージを前記管理デバイスに送信するように構成された第１の車両状態通知メッセージ送信サブモジュールであり、前記第１の車両状態通知メッセージは、前記車両の共通部分の状態パラメータを含む、第１の車両状態通知メッセージ送信サブモジュール、又は、
第２の車両状態通知メッセージを前記管理デバイスに送信するように構成された第２の車両状態通知メッセージ送信サブモジュールであり、前記第２の車両状態通知メッセージは、前記車両の警告部分又は故障部分の状態パラメータを含む、第２の車両状態通知メッセージ送信サブモジュール、
を含む、請求項２９に記載の装置。
【請求項３１】
前記通知メッセージ送信サブモジュールは、
道路リソース使用通知メッセージを前記管理デバイスに送信するように構成された道路リソース使用通知メッセージ送信サブモジュールであり、前記道路リソース使用通知メッセージは、前記車両により使用された道路のパラメータを含む、道路リソース使用通知メッセージ送信サブモジュールを含む、請求項２９に記載の装置。
【請求項３２】
前記制御関連づけモジュールは、
道路制約情報を含む道路リソース割り当て要求メッセージを前記管理デバイスに送信するように構成された道路リソース割り当て要求メッセージ送信サブモジュールであり、前記道路リソース割り当て要求メッセージは、前記車両が前記管理デバイスに、前記道路制約情報に従って道路リソースを前記車両に割り当てるよう要求することを示すために使用される、道路リソース割り当て要求メッセージ送信サブモジュールと、
前記管理デバイスにより送信され且つ成功識別子及び道路リソース割り当て情報を含む第１の道路リソース割り当て応答メッセージを受信するように構成された第１の道路リソース割り当て応答メッセージ受信サブモジュールであり、前記第１の道路リソース割り当て応答メッセージは、前記管理デバイスが前記道路リソースを前記車両に割り当てるのに成功したことを示すために使用され、それにより、前記車両は前記道路リソース割り当て情報を取得する、第１の道路リソース割り当て応答メッセージ受信サブモジュール、又は、
前記管理デバイスにより送信され且つ失敗識別子を含む第２の道路リソース割り当て応答メッセージを受信するように構成された第２の道路リソース割り当て応答メッセージ受信サブモジュールであり、前記第２の道路リソース割り当て応答メッセージは、前記管理デバイスが前記道路リソースを前記車両に割り当てるのに失敗したことを示すために使用される、第２の道路リソース割り当て応答メッセージ受信サブモジュールと、
を含む、請求項２４に記載の装置。
【請求項３３】
前記制御関連づけモジュールは、
道路リソース解放メッセージを前記管理デバイスに送信するように構成された道路リソース解放メッセージ送信サブモジュールであり、前記道路リソース解放メッセージは前記管理デバイスに、前記道路リソース割り当て情報内の使用されない道路を解放するよう命令するために使用される、道路リソース解放メッセージ送信サブモジュールをさらに含む、請求項３２に記載の装置。
【請求項３４】
前記関連づけ登録要求メッセージ送信モジュールは、
管理デバイスアイデンティティ情報を取得するように構成された管理デバイスアイデンティティ情報取得サブモジュールと、
前記関連づけ登録要求メッセージを前記管理デバイスアイデンティティ情報に対応する管理デバイスに送信するように構成された関連づけ登録要求メッセージ送信サブモジュールと、
を含む、請求項２４に記載の装置。
【請求項３５】
交通システムにおける管理デバイスに適用される車両外部通信装置であって、
前記車両により送信された関連づけ登録要求メッセージを受信するように構成された関連づけ登録要求メッセージ受信モジュールであり、前記関連づけ登録要求メッセージは、前記車両が制御関連づけモジュールを使用することにより前記管理デバイスとの制御関連づけを確立するのを要求することを示すために使用され、前記制御関連づけは、前記管理デバイスが前記車両により送信された適用要求メッセージを受信し、前記適用要求メッセージに従って適用応答メッセージを前記車両に送信すること、前記管理デバイスが適用要求メッセージを前記車両に送信し、前記適用要求メッセージに従って前記車両により送信された適用応答メッセージを受信すること、前記管理デバイスが前記車両により送信された通知メッセージを受信すること、又は前記管理デバイスが通知メッセージを前記車両に送信することのうち１つを含む、関連づけ登録要求メッセージ受信モジュールと、
成功識別子を含む第１の関連づけ登録応答メッセージを前記車両に送信するように構成された第１の関連づけ登録応答メッセージ送信モジュールであり、それにより、前記車両は前記第１の関連づけ登録応答メッセージに従って前記管理デバイスとの制御関連づけを確立し、前記第１の関連づけ登録応答メッセージは、前記車両が前記管理デバイスとの制御関連づけを確立するのを許可されることを示すために使用される、第１の関連づけ登録応答メッセージ送信モジュール、又は、
失敗識別子を含む第２の関連づけ登録応答メッセージを前記車両に送信するように構成された第２の関連づけ登録応答メッセージ送信モジュールであり、前記第２の関連づけ登録応答メッセージは、前記車両が前記管理デバイスとの制御関連づけを確立するのを禁止されることを示すために使用される、第２の関連づけ登録応答メッセージ送信モジュールと、
を含む装置。
【請求項３６】
前記制御関連づけモジュールは、
前記車両により送信された関連づけ登録解除要求メッセージを受信するように構成された関連づけ登録解除要求メッセージ受信サブモジュールであり、前記関連づけ登録解除要求メッセージは、前記車両が前記管理デバイスとの制御関連づけを取り消すのを要求することを示すために使用される、関連づけ登録解除要求メッセージ受信サブモジュールと、
成功識別子を含む第１の関連づけ登録解除応答メッセージを前記車両に送信するように構成された第１の関連づけ登録解除応答メッセージ送信サブモジュールであり、それにより、前記車両は前記第１の関連づけ登録解除応答メッセージに従って前記管理デバイスとの制御関連づけを取り消し、前記第１の関連づけ登録解除応答メッセージは、前記車両が前記管理デバイスとの制御関連づけを取り消すのを許可されることを示すために使用される、第１の関連づけ登録解除応答メッセージ送信サブモジュール、又は、
失敗識別子を含む第２の関連づけ登録解除応答メッセージを前記車両に送信するように構成された第２の関連づけ登録解除応答メッセージ送信サブモジュールであり、前記第２の関連づけ登録解除応答メッセージは、前記車両が前記管理デバイスとの制御関連づけを取り消すのを禁止されることを示すために使用される、第２の関連づけ登録解除応答メッセージ送信サブモジュールと、
を含む、請求項３５に記載の装置。
【請求項３７】
前記制御関連づけモジュールは、
前記車両により送信され且つユーザ識別子を含むユーザ更新要求メッセージを受信するように構成されたユーザ更新要求メッセージ受信サブモジュールであり、前記ユーザ更新要求メッセージは、前記ユーザ識別子に対応するユーザが前記車両を使用するのを要求することを示すために使用される、ユーザ更新要求メッセージ受信サブモジュールと、
成功識別子を含む第１のユーザ更新応答メッセージを前記車両に送信するように構成された第１のユーザ更新応答メッセージ送信サブモジュールであり、前記第１のユーザ更新応答メッセージは、前記ユーザ識別子に対応する前記ユーザが前記車両を使用するのを前記管理デバイスが許可することを示すために使用される、第１のユーザ更新応答メッセージ送信サブモジュール、又は、
失敗識別子を含む第２のユーザ更新応答メッセージを前記車両に送信するように構成された第２のユーザ更新応答メッセージ送信サブモジュールであり、前記第２のユーザ更新応答メッセージは、前記ユーザ識別子に対応する前記ユーザが前記車両を使用するのを前記管理デバイスが禁止することを示すために使用される、第２のユーザ更新応答メッセージ送信サブモジュールと、
を含む、請求項３５に記載の装置。
【請求項３８】
前記制御関連づけモジュールは、
ユーザ識別子を含むユーザ更新メッセージを前記車両に送信するように構成されたユーザ更新メッセージ送信サブモジュールであり、前記ユーザ更新メッセージは、前記ユーザ識別子に対応するユーザが前記車両を使用するのを許可されることを示すために使用される、ユーザ更新メッセージ送信サブモジュールを含む、請求項３５に記載の装置。
【請求項３９】
前記制御関連づけモジュールは、
問い合わせ要求メッセージを前記車両に送信するように構成された問い合わせ要求メッセージ送信サブモジュールと、
前記車両により送信された問い合わせ応答メッセージを受信するように構成された問い合わせ応答メッセージ受信サブモジュールであり、前記問い合わせ応答メッセージは、前記車両パラメータ識別子に対応する車両パラメータを含む、問い合わせ応答メッセージ受信サブモジュールと、
を含む、請求項３５に記載の装置。
【請求項４０】
前記制御関連づけモジュールは、
前記車両により送信され且つ車両パラメータ識別子に対応する車両パラメータを含む通知メッセージを受信するように構成された通知メッセージ受信サブモジュールであり、前記通知メッセージは、前記管理デバイスに対して前記車両パラメータ識別子に対応する前記車両パラメータを同期させるよう命令するために使用される、通知メッセージ受信サブモジュールを含む、請求項３５に記載の装置。
【請求項４１】
前記通知メッセージ受信サブモジュールは、
前記車両により送信された第１の車両状態通知メッセージを受信するように構成された第１の車両状態通知メッセージ受信サブモジュールであり、前記第１の車両状態通知メッセージは、前記車両の共通部分の状態パラメータを含む、第１の車両状態通知メッセージ受信サブモジュール、又は、
前記車両により送信された第２の車両状態通知メッセージを受信するように構成された第２の車両状態通知メッセージ受信サブモジュールであり、前記第２の車両状態通知メッセージは、前記車両の警告部分又は故障部分の状態パラメータを含む、第２の車両状態通知メッセージ受信サブモジュール
を含む、請求項４０に記載の装置。
【請求項４２】
前記通知メッセージ受信サブモジュールは、
前記車両により送信された道路リソース使用通知メッセージを受信するように構成された道路リソース使用通知メッセージ受信サブモジュールであり、前記道路リソース使用通知メッセージは、前記車両により使用された道路のパラメータを含む、道路リソース使用通知メッセージ受信サブモジュールを含む、請求項４０に記載の装置。
【請求項４３】
前記制御関連づけモジュールは、
前記車両により送信され且つ道路制約情報を含む道路リソース割り当て要求メッセージを受信するように構成された道路リソース割り当て要求メッセージ受信サブモジュールであり、前記道路リソース割り当て要求メッセージは、前記車両が前記管理デバイスに、前記道路制約情報に従って道路リソースを前記車両に割り当てるよう要求することを示すために使用される、道路リソース割り当て要求メッセージ受信サブモジュールと、
成功識別子及び道路リソース割り当て情報を含む第１の道路リソース割り当て応答メッセージを前記車両に送信するように構成された第１の道路リソース割り当て応答メッセージ送信サブモジュールであり、前記第１の道路リソース割り当て応答メッセージは、前記管理デバイスが前記道路リソースを前記車両に割り当てるのに成功したことを示すために使用され、それにより、前記車両は前記道路リソース割り当て情報を取得する、第１の道路リソース割り当て応答メッセージ送信サブモジュール、又は、
失敗識別子を含む第２の道路リソース割り当て応答メッセージを前記車両に送信するように構成された第２の道路リソース割り当て応答メッセージ送信サブモジュールであり、前記第２の道路リソース割り当て応答メッセージは、前記管理デバイスが前記道路リソースを前記車両に割り当てるのに失敗したことを示すために使用される、第２の道路リソース割り当て応答メッセージ送信サブモジュールと、
を含む、請求項３５に記載の装置。
【請求項４４】
前記制御関連づけモジュールは、
前記車両により送信された道路リソース解放メッセージを受信するように構成された道路リソース解放メッセージ受信サブモジュールであり、前記道路リソース解放メッセージは前記管理デバイスに、前記道路リソース割り当て情報内の使用されない道路を解放するよう命令するために使用される、道路リソース解放メッセージ受信サブモジュールをさらに含む、請求項４３に記載の装置。
【請求項４５】
プロセッサと、
プロセッサ実行可能命令を記憶するように構成されたメモリと、を含み、
前記プロセッサは、請求項１乃至１３のうちいずれか１項に記載の方法を実行するように構成される、車両。
【請求項４６】
プロセッサと、
プロセッサ実行可能命令を記憶するように構成されたメモリと、を含み、
前記プロセッサは、請求項１４乃至２３のうちいずれか１項に記載の方法を実行するように構成される、管理デバイス。
【請求項４７】
請求項４５に記載の車両及び請求項４６に記載の管理デバイスを含む交通システム。
【発明の詳細な説明】
【技術分野】
【０００１】
この出願は交通システム技術の分野に関し、特に、交通システムに適用される車両外部通信方法及び装置並びに端末に関する。
【背景技術】
【０００２】
ＩＴＳ（Intelligent  Transportation  System、高度交通システム）は、情報技術、通信技術、感知技術、制御技術、及びコンピュータ技術のような高度な技術を統合し、適用して、広い範囲で総合的な役割を果たすリアルタイムの、正確な、効率的な、及び包括的な交通管理システムを確立する。ＩＴＳにおける主なトラフィック関与者は、道路インフラストラクチャ、車両、ユーザ、管理センターなどを含む。車両は、管理センターによりまとめてスケジュールされ、それにより、トラフィック施設が効果的に使用でき、トラフィック負荷及び環境汚染が低減でき、トラフィック安全性が確保でき、交通効率が改善でき、交通システムの将来の開発方向が存在する。
【０００３】
従来の交通システムでは、車両は一般に別のトラフィック関与者と情報を交換せず、したがって、ユーザがユーザの車両情報のみに依存して車両を制御し、道路トラフィック活動に関与することができる。結果として、不十分な車両安全性及び通過効率がもたらされる。例えば、ユーザが車両を運転して交差点を通過するとき、ユーザが反対方向の近づいてくる車両に関する情報を前もって知ることができないため、ユーザは近づいてくる車両に対して効果的に道を譲るように車両を制御することができず、結果として、交通事故がもたらされる可能性がある。ユーザがラッシュ時間に車両を運転するとき、ユーザは前方の道路区画の渋滞情報を前もって知ることができず、ユーザは対応する移動ポリシーを適時に変更することができず、結果として、スケジュールが遅れる可能性がある。
【０００４】
ＩＴＳにおいて、車両安全性及び通過効率を改善するために、車両は、別のトラフィック関与者と頻繁に相互作用する必要がある。例えば、車両は、あるエリアへの自動運転モードにおける運転を管理センターに申請する。車両は、道路側インフラストラクチャから前方の道路区画のトラフィック制御情報を取得する。車両は、車両衝突を回避するために、車両の移動方向及び速度を周りの車両に通知する。車両は、管理センターからの経路計画サービスなどを要求する。ＩＴＳにおける車両と別のトラフィック関与者との間の相互作用のプロセスは、車両の大量の情報、例えば、車両の車両モデル、積載量、若しくは排気のような静的車両情報、車両の方向、速度、若しくは制動のような動的車両情報、又は車両運転者若しくは乗客の要件、習慣、若しくは好みのような人的制約情報の、収集、処理、及び交換を含む。
【０００５】
したがって、車両及び別のトラフィック関与者が如何にして車両情報に基づいて制御及び相互作用を実行するかは、ＩＴＳの最も基本的且つ重要な動作メカニズムであり、車両安全性及び通過効率に影響する重要なファクタでもある。車両及び別のトラフィック関与者の制御及び相互作用がＩＴＳにおける通信メッセージを使用することにより実現されるため、車両安全性及び通過効率を改善するために、ＩＴＳ通信解決策のセットを確立することが必要である。
【発明の概要】
【０００６】
この出願は、車両安全性及び通過効率を改善するために、車両外部通信方法及び装置並びに端末を提供する。
【０００７】
第１の態様によれば、この出願は、交通システムにおける車両に適用される車両外部通信方法を提供し、当該方法は、車両により、関連づけ登録要求メッセージを管理デバイスに送信するステップであり、関連づけ登録要求メッセージは、車両が管理デバイスとの制御関連づけを確立するのを要求することを示すために使用され、制御関連づけは、車両が適用要求メッセージを管理デバイスに送信し、適用要求メッセージに従って管理デバイスにより送信された適用応答メッセージを受信すること、車両が管理デバイスにより送信された適用要求メッセージを受信し、適用要求メッセージに従って適用応答メッセージを管理デバイスに送信すること、車両が通知メッセージを管理デバイスに送信すること、又は車両が管理デバイスにより送信された通知メッセージを受信することのうち１つを含む、ステップと、車両により、管理デバイスにより送信され且つ成功識別子を含む第１の関連づけ登録応答メッセージを受信し、第１の関連づけ登録応答メッセージに従って管理デバイスとの制御関連づけを確立するステップであり、第１の関連づけ登録応答メッセージは、車両が管理デバイスとの制御関連づけを確立するのを許可されることを示すために使用される、ステップ、又は、車両により、管理デバイスにより送信され且つ失敗識別子を含む第２の関連づけ登録応答メッセージを受信するステップであり、第２の関連づけ登録応答メッセージは、車両が管理デバイスとの制御関連づけを確立するのを禁止されることを示すために使用される、ステップと、を含む。
【０００８】
この実現方式において、車両と管理デバイスとの間の制御関連づけは、道路トラフィック活動における車両の関与の前提条件として使用され、それにより、道路トラフィック活動に関与する全ての車両がまとめて管理デバイスによりスケジュール及び制御でき、車両安全性及び通過効率が改善できる。
【０００９】
第１の態様を参照し、第１の態様の第１の可能な実現方式において、車両が適用要求メッセージを管理デバイスに送信し、適用要求メッセージに従って管理デバイスにより送信された適用応答メッセージを受信することは、車両により、関連づけ登録解除要求メッセージを管理デバイスに送信し、関連づけ登録解除要求メッセージは、車両が管理デバイスとの制御関連づけを取り消すのを要求することを示すために使用されることと、車両により、管理デバイスにより送信され且つ成功識別子を含む第１の関連づけ登録解除応答メッセージを受信し、第１の関連づけ登録解除応答メッセージに従って管理デバイスとの制御関連づけを取り消し、第１の関連づけ登録解除応答メッセージは、車両が管理デバイスとの制御関連づけを取り消すのを許可されることを示すために使用されること、又は、車両により、管理デバイスにより送信され且つ失敗識別子を含む第２の関連づけ登録解除応答メッセージを受信し、第２の関連づけ登録解除応答メッセージは、車両が管理デバイスとの制御関連づけを取り消すのを禁止されることを示すために使用されることと、を含む。
【００１０】
この実現方式において、管理デバイスは、交通システムに参加し又は交通システムを出るように車両を制御することにより、交通システムにおける車両を動的に管理することができる。したがって、リソース利用が改善されるだけでなく、交通システムにおける車両の動的に変化する要件も満たされる。
【００１１】
第１の態様を参照し、第１の態様の第２の可能な実現方式において、車両が適用要求メッセージを管理デバイスに送信し、適用要求メッセージに従って管理デバイスにより送信された適用応答メッセージを受信することは、車両により、ユーザ識別子を含むユーザ更新要求メッセージを管理デバイスに送信し、ユーザ更新要求メッセージは、ユーザ識別子に対応するユーザが車両を使用するのを要求することを示すために使用されることと、車両により、管理デバイスにより送信され且つ成功識別子を含む第１のユーザ更新応答メッセージを受信し、第１のユーザ更新応答メッセージは、ユーザ識別子に対応するユーザが車両を使用するのを管理デバイスが許可することを示すために使用されること、又は、車両により、管理デバイスにより送信され且つ失敗識別子を含む第２のユーザ更新応答メッセージを受信し、第２のユーザ更新応答メッセージは、ユーザ識別子に対応するユーザが車両を使用するのを管理デバイスが禁止することを示すために使用されることと、を含む。
【００１２】
この実現方式において、交通システムにおける車両安全性は、車両ユーザ更新要件が満たされる間もさらに確保できる。
【００１３】
第１の態様を参照し、第１の態様の第３の可能な実現方式において、車両が管理デバイスにより送信された通知メッセージを受信することは、車両により、管理デバイスにより送信され且つユーザ識別子を含むユーザ更新メッセージを受信し、ユーザ更新メッセージは、ユーザ識別子に対応するユーザが車両を使用するのを許可されることを示すために使用されることを含む。
【００１４】
この実現方式において、管理デバイスは、車両ユーザ情報を能動的に更新して、車両ユーザを動的に管理することができる。
【００１５】
第１の態様を参照し、第１の態様の第４の可能な実現方式において、車両が管理デバイスにより送信された適用要求メッセージを受信し、適用要求メッセージに従って適用応答メッセージを管理デバイスに送信することは、車両により、管理デバイスにより送信され且つ車両パラメータ識別子を含む問い合わせ要求メッセージを受信することと、車両により、問い合わせ応答メッセージを管理デバイスに送信し、問い合わせ応答メッセージは、車両パラメータ識別子に対応する車両パラメータを含むことと、を含む。
【００１６】
この実現方式において、管理デバイスは、要件に従って対応する車両情報を問い合わせて、車両情報に従って車両に対して対応する機能制御を実行し、あるいは車両情報に従って車両のための対応するサービスを提供することができる。
【００１７】
第１の態様を参照し、第１の態様の第５の可能な実現方式において、車両が通知メッセージを管理デバイスに送信することは、車両により、車両パラメータ識別子に対応する車両パラメータを含む通知メッセージを管理デバイスに送信し、通知メッセージは、管理デバイスに対して車両パラメータ識別子に対応する車両パラメータを同期させるよう命令するために使用されることを含む。
【００１８】
この実現方式において、車両は、通知メッセージを別のトラフィック関与者に能動的に送信して、別のトラフィック関与者に対して車両の車両情報を同期させることができる。
【００１９】
第１の態様の第５の可能な実現方式を参照し、第１の態様の第６の可能な実現方式において、車両により、車両パラメータ識別子に対応する車両パラメータを含む通知メッセージを管理デバイスに送信することは、車両により、第１の車両状態通知メッセージを管理デバイスに送信し、第１の車両状態通知メッセージは、車両の共通部分の状態パラメータを含むこと、又は、車両により、第２の車両状態通知メッセージを管理デバイスに送信し、第２の車両状態通知メッセージは、車両の警告部分又は故障部分の状態パラメータを含むことを含む。
【００２０】
この実現方式において、車両は、車両の共通部分の状態パラメータ及び警告部分又は故障部分の状態パラメータを管理デバイスに適時に通知することができ、それにより、管理デバイスは、対応して、状態パラメータ情報に従って車両を制御及び管理し、車両安全性が改善される。
【００２１】
第１の態様の第５の可能な実現方式を参照し、第１の態様の第７の可能な実現方式において、車両により、車両パラメータ識別子に対応する車両パラメータを含む通知メッセージを管理デバイスに送信することは、車両により、道路リソース使用通知メッセージを管理デバイスに送信し、道路リソース使用通知メッセージは、車両により使用された道路のパラメータを含むことを含む。
【００２２】
この実現方式において、車両は、車両により使用された道路に関する情報を別のトラフィック関与者に通知することができ、それにより、使用された道路は、別のトラフィック関与者により適時に使用され、道路リソース利用が改善される。
【００２３】
第１の態様の第４乃至第７の可能な実現方式を参照し、第１の態様の第８の可能な実現方式において、車両パラメータ識別子は、車両項目識別子及び車両サブ項目識別子のうち少なくとも１つを含み、車両項目識別子に対応する車両パラメータは、車両サブ項目識別子に対応する車両パラメータを含む。
【００２４】
この実現方式において、全ての車両情報が必ずしもサービス相互作用プロセスにおいて要求されるわけではないため、車両パラメータが車両項目識別子及び車両サブ項目識別子を使用することにより編成されるとき、通信リソース浪費が回避でき、通信効率が改善できる。
【００２５】
第１の態様を参照し、第１の態様の第９の可能な実現方式において、車両が適用要求メッセージを管理デバイスに送信し、適用要求メッセージに従って管理デバイスにより送信された適用応答メッセージを受信することは、車両により、道路制約情報を含む道路リソース割り当て要求メッセージを管理デバイスに送信し、道路リソース割り当て要求メッセージは、車両が管理デバイスに、道路制約情報に従って道路リソースを車両に割り当てるよう要求することを示すために使用されることと、車両により、管理デバイスにより送信され且つ成功識別子及び道路リソース割り当て情報を含む第１の道路リソース割り当て応答メッセージを受信し、第１の道路リソース割り当て応答メッセージは、管理デバイスが道路リソースを車両に割り当てるのに成功したことを示すために使用され、それにより、車両は道路リソース割り当て情報を取得すること、又は、車両により、管理デバイスにより送信され且つ失敗識別子を含む第２の道路リソース割り当て応答メッセージを受信し、第２の道路リソース割り当て応答メッセージは、管理デバイスが道路リソースを車両に割り当てるのに失敗したことを示すために使用されることと、を含む。
【００２６】
この実現方式において、管理デバイスは、車両要件に基づいて道路リソースを車両に適切に割り当てて、交通システムにおける道路リソース利用を改善し、車両の通過効率を改善することができる。
【００２７】
第１の態様の第９の可能な実現方式を参照し、第１の態様の第１０の可能な実現方式において、車両が道路リソース割り当て情報を取得した後、当該方法は、車両により、道路リソース解放メッセージを管理デバイスに送信するステップであり、道路リソース解放メッセージは管理デバイスに、道路リソース割り当て情報内の使用されない道路を解放するよう命令するために使用される、ステップをさらに含む。
【００２８】
この実現方式において、車両は、車両が必要としない道路リソースを適時に解放して、道路リソース利用を改善することができる。
【００２９】
第１の態様を参照し、第１の態様の第１１の可能な実現方式において、車両により、関連づけ登録要求メッセージを管理デバイスに送信するステップは、車両により、管理デバイスアイデンティティ情報を取得するステップと、車両により、関連づけ登録要求メッセージを、管理デバイスアイデンティティ情報に対応する管理デバイスに送信するステップと、を含む。
【００３０】
この実現方式において、交通システムに複数の管理デバイスが存在するとき、車両は、管理デバイスアイデンティティ情報に従って、車両が制御関連づけを確立できる管理デバイスを決定することができる。
【００３１】
第１の態様を参照し、第１の態様の第１２の可能な実現方式において、車両により、関連づけ登録要求メッセージを管理デバイスに送信するステップであり、関連づけ登録要求メッセージは、車両が管理デバイスとの制御関連づけを確立するのを要求することを示すために使用される、ステップは、車両により、車両アイデンティティ情報を含む関連づけ登録要求メッセージを管理デバイスに送信するステップであり、関連づけ登録要求メッセージは、車両アイデンティティ情報に対応する車両が管理デバイスとの制御関連づけを確立するのを要求することを示すために使用される、ステップを含む。
【００３２】
この実現方式において、車両アイデンティティ情報は、交通システムにおける車両の一意アイデンティティとして使用され、それにより、管理デバイスは、交通システム内にあり且つ適用要求を送信した車両を決定する。
【００３３】
第２の態様によれば、この出願は、交通システムにおける管理デバイスに適用される車両外部通信方法を提供し、当該方法は、管理デバイスにより、車両により送信された関連づけ登録要求メッセージを受信するステップであり、関連づけ登録要求メッセージは、車両が管理デバイスとの制御関連づけを確立するのを要求することを示すために使用され、制御関連づけは、管理デバイスが車両により送信された適用要求メッセージを受信し、適用要求メッセージに従って適用応答メッセージを車両に送信すること、管理デバイスが適用要求メッセージを車両に送信し、適用要求メッセージに従って車両により送信された適用応答メッセージを受信すること、管理デバイスが車両により送信された通知メッセージを受信すること、又は管理デバイスが通知メッセージを車両に送信することのうち１つを含む、ステップと、管理デバイスにより、成功識別子を含む第１の関連づけ登録応答メッセージを車両に送信するステップであり、それにより、車両は第１の関連づけ登録応答メッセージに従って管理デバイスとの制御関連づけを確立し、第１の関連づけ登録応答メッセージは、車両が管理デバイスとの制御関連づけを確立するのを許可されることを示すために使用される、ステップ、又は、管理デバイスにより、失敗識別子を含む第２の関連づけ登録応答メッセージを車両に送信するステップであり、第２の関連づけ登録応答メッセージは、車両が管理デバイスとの制御関連づけを確立するのを禁止されることを示すために使用される、ステップと、を含む。
【００３４】
第２の態様を参照し、第２の態様の第１の可能な実現方式において、管理デバイスが車両により送信された適用要求メッセージを受信し、適用要求メッセージに従って適用応答メッセージを車両に送信することは、管理デバイスにより、車両により送信された関連づけ登録解除要求メッセージを受信し、関連づけ登録解除要求メッセージは、車両が管理デバイスとの制御関連づけを取り消すのを要求することを示すために使用されることと、管理デバイスにより、成功識別子を含む第１の関連づけ登録解除応答メッセージを車両に送信し、それにより、車両は第１の関連づけ登録解除応答メッセージに従って管理デバイスとの制御関連づけを取り消し、第１の関連づけ登録解除応答メッセージは、車両が管理デバイスとの制御関連づけを取り消すのを許可されることを示すために使用されること、又は、管理デバイスにより、失敗識別子を含む第２の関連づけ登録解除応答メッセージを車両に送信し、第２の関連づけ登録解除応答メッセージは、車両が管理デバイスとの制御関連づけを取り消すのを禁止されることを示すために使用されることと、を含む。
【００３５】
第２の態様を参照し、第２の態様の第２の可能な実現方式において、管理デバイスが車両により送信された適用要求メッセージを受信し、適用要求メッセージに従って適用応答メッセージを車両に送信することは、管理デバイスにより、車両により送信され且つユーザ識別子を含むユーザ更新要求メッセージを受信し、ユーザ更新要求メッセージは、ユーザ識別子に対応するユーザが車両を使用するのを要求することを示すために使用されることと、管理デバイスにより、成功識別子を含む第１のユーザ更新応答メッセージを車両に送信し、第１のユーザ更新応答メッセージは、ユーザ識別子に対応するユーザが車両を使用するのを管理デバイスが許可することを示すために使用されること、又は、管理デバイスにより、失敗識別子を含む第２のユーザ更新応答メッセージを車両に送信し、第２のユーザ更新応答メッセージは、ユーザ識別子に対応するユーザが車両を使用するのを管理デバイスが禁止することを示すために使用されることと、を含む。
【００３６】
第２の態様を参照し、第２の態様の第３の可能な実現方式において、管理デバイスが通知メッセージを車両に送信することは、管理デバイスにより、ユーザ識別子を含むユーザ更新メッセージを車両に送信し、ユーザ更新メッセージは、ユーザ識別子に対応するユーザが車両を使用するのを許可されることを示すために使用されることを含む。
【００３７】
第２の態様を参照し、第２の態様の第４の可能な実現方式において、管理デバイスが適用要求メッセージを車両に送信し、適用要求メッセージに従って車両により送信された適用応答メッセージを受信することは、管理デバイスにより、問い合わせ要求メッセージを車両に送信することと、管理デバイスにより、車両により送信された問い合わせ応答メッセージを受信し、問い合わせ応答メッセージは、車両パラメータ識別子に対応する車両パラメータを含むことと、を含む。
【００３８】
第２の態様を参照し、第２の態様の第５の可能な実現方式において、管理デバイスが通知メッセージを車両に送信することは、管理デバイスにより、車両により送信され且つ車両パラメータ識別子に対応する車両パラメータを含む通知メッセージを受信し、通知メッセージは、管理デバイスに対して車両パラメータ識別子に対応する車両パラメータを同期させるよう命令するために使用されることを含む。
【００３９】
第２の態様の第５の可能な実現方式を参照し、第２の態様の第６の可能な実現方式において、管理デバイスにより、車両により送信され且つ車両パラメータ識別子に対応する車両パラメータを含む通知メッセージを受信することは、管理デバイスにより、車両により送信された第１の車両状態通知メッセージを受信し、第１の車両状態通知メッセージは、車両の共通部分の状態パラメータを含むこと、又は、管理デバイスにより、車両により送信された第２の車両状態通知メッセージを受信し、第２の車両状態通知メッセージは、車両の警告部分又は故障部分の状態パラメータを含むこと、を含む。
【００４０】
第２の態様の第５の可能な実現方式を参照し、第２の態様の第７の可能な実現方式において、管理デバイスにより、車両により送信され且つ車両パラメータ識別子に対応する車両パラメータを含む通知メッセージを受信することは、管理デバイスにより、車両により送信された道路リソース使用通知メッセージを受信し、道路リソース使用通知メッセージは、車両により使用された道路のパラメータを含むことを含む。
【００４１】
第２の態様を参照し、第２の態様の第８の可能な実現方式において、管理デバイスが車両により送信された適用要求メッセージを受信し、適用要求メッセージに従って適用応答メッセージを車両に送信することは、管理デバイスにより、車両により送信され且つ道路制約情報を含む道路リソース割り当て要求メッセージを受信し、道路リソース割り当て要求メッセージは、車両が管理デバイスに、道路制約情報に従って道路リソースを車両に割り当てるよう要求することを示すために使用されることと、管理デバイスにより、成功識別子及び道路リソース割り当て情報を含む第１の道路リソース割り当て応答メッセージを車両に送信し、第１の道路リソース割り当て応答メッセージは、管理デバイスが道路リソースを車両に割り当てるのに成功したことを示すために使用され、それにより、車両は道路リソース割り当て情報を取得すること、又は、管理デバイスにより、失敗識別子を含む第２の道路リソース割り当て応答メッセージを車両に送信し、第２の道路リソース割り当て応答メッセージは、管理デバイスが道路リソースを車両に割り当てるのに失敗したことを示すために使用されることと、を含む。
【００４２】
第２の態様を参照し、第２の態様の第９の可能な実現方式において、車両が道路リソース割り当て情報を取得した後、当該方法は、管理デバイスにより、車両により送信された道路リソース解放メッセージを受信するステップであり、道路リソース解放メッセージは管理デバイスに、道路リソース割り当て情報内の使用されない道路を解放するよう命令するために使用される、ステップをさらに含む。
【００４３】
第３の態様によれば、この出願は、交通システムにおける車両に適用される車両外部通信装置をさらに提供し、当該装置は、関連づけ登録要求メッセージを管理デバイスに送信するように構成された関連づけ登録要求メッセージ送信モジュールであり、関連づけ登録要求メッセージは、車両が制御関連づけモジュールを使用することにより管理デバイスとの制御関連づけを確立するのを要求することを示すために使用され、制御関連づけは、車両が適用要求メッセージを管理デバイスに送信し、適用要求メッセージに従って管理デバイスにより送信された適用応答メッセージを受信すること、車両が管理デバイスにより送信された適用要求メッセージを受信し、適用要求メッセージに従って適用応答メッセージを管理デバイスに送信すること、車両が通知メッセージを管理デバイスに送信すること、又は車両が管理デバイスにより送信された通知メッセージを受信することのうち１つを含む、関連づけ登録要求メッセージ送信モジュールと、管理デバイスにより送信され且つ成功識別子を含む第１の関連づけ登録応答メッセージを受信し、第１の関連づけ登録応答メッセージに従って管理デバイスとの制御関連づけを確立するように構成された第１の関連づけ登録応答メッセージ受信モジュールであり、第１の関連づけ登録応答メッセージは、車両が管理デバイスとの制御関連づけを確立するのを許可されることを示すために使用される、第１の関連づけ登録応答メッセージ受信モジュール、又は、管理デバイスにより送信され且つ失敗識別子を含む第２の関連づけ登録応答メッセージを受信するように構成された第２の関連づけ登録応答メッセージ受信モジュールであり、第２の関連づけ登録応答メッセージは、車両が管理デバイスとの制御関連づけを確立するのを禁止されることを示すために使用される、第２の関連づけ登録応答メッセージ受信モジュールと、を含む。
【００４４】
第３の態様を参照し、第３の態様の第１の可能な実現方式において、制御関連づけモジュールは、関連づけ登録解除要求メッセージを管理デバイスに送信するように構成された関連づけ登録解除要求メッセージ送信サブモジュールであり、関連づけ登録解除要求メッセージは、車両が管理デバイスとの制御関連づけを取り消すのを要求することを示すために使用される、関連づけ登録解除要求メッセージ送信サブモジュールと、管理デバイスにより送信され且つ成功識別子を含む第１の関連づけ登録解除応答メッセージを受信し、第１の関連づけ登録解除応答メッセージに従って管理デバイスとの制御関連づけを取り消すように構成された第１の関連づけ登録解除応答メッセージ受信サブモジュールであり、第１の関連づけ登録解除応答メッセージは、車両が管理デバイスとの制御関連づけを取り消すのを許可されることを示すために使用される、第１の関連づけ登録解除応答メッセージ受信サブモジュール、又は、管理デバイスにより送信され且つ失敗識別子を含む第２の関連づけ登録解除応答メッセージを受信するように構成された第２の関連づけ登録解除応答メッセージ受信サブモジュールであり、第２の関連づけ登録解除応答メッセージは、車両が管理デバイスとの制御関連づけを取り消すのを禁止されることを示すために使用される、第２の関連づけ登録解除応答メッセージ受信サブモジュールと、を含む。
【００４５】
第３の態様を参照し、第３の態様の第２の可能な実現方式において、制御関連づけモジュールは、ユーザ識別子を含むユーザ更新要求メッセージを管理デバイスに送信するように構成されたユーザ更新要求メッセージ送信サブモジュールであり、ユーザ更新要求メッセージは、ユーザ識別子に対応するユーザが車両を使用するのを要求することを示すために使用される、ユーザ更新要求メッセージ送信サブモジュールと、管理デバイスにより送信され且つ成功識別子を含む第１のユーザ更新応答メッセージを受信するように構成された第１のユーザ更新応答メッセージ受信サブモジュールであり、第１のユーザ更新応答メッセージは、ユーザ識別子に対応するユーザが車両を使用するのを管理デバイスが許可することを示すために使用される、第１のユーザ更新応答メッセージ受信サブモジュール、又は、管理デバイスにより送信され且つ失敗識別子を含む第２のユーザ更新応答メッセージを受信するように構成された第２のユーザ更新応答メッセージ受信サブモジュールであり、第２のユーザ更新応答メッセージは、ユーザ識別子に対応するユーザが車両を使用するのを管理デバイスが禁止することを示すために使用される、第２のユーザ更新応答メッセージ受信サブモジュールと、を含む。
【００４６】
第３の態様を参照し、第３の態様の第３の可能な実現方式において、制御関連づけモジュールは、管理デバイスにより送信され且つユーザ識別子を含むユーザ更新メッセージを受信するように構成されたユーザ更新メッセージ受信サブモジュールであり、ユーザ更新メッセージは、ユーザ識別子に対応するユーザが車両を使用するのを許可されることを示すために使用される、ユーザ更新メッセージ受信サブモジュールを含む。
【００４７】
第３の態様を参照し、第３の態様の第４の可能な実現方式において、制御関連づけモジュールは、管理デバイスにより送信され且つ車両パラメータ識別子を含む問い合わせ要求メッセージを受信するように構成された問い合わせ要求メッセージ受信サブモジュールと、問い合わせ応答メッセージを管理デバイスに送信するように構成された問い合わせ応答メッセージ送信サブモジュールであり、問い合わせ応答メッセージは、車両パラメータ識別子に対応する車両パラメータを含む、問い合わせ応答メッセージ送信サブモジュールと、を含む。
【００４８】
第３の態様を参照し、第３の態様の第５の可能な実現方式において、制御関連づけモジュールは、車両パラメータ識別子に対応する車両パラメータを含む通知メッセージを管理デバイスに送信するように構成された通知メッセージ送信サブモジュールであり、通知メッセージは、管理デバイスに対して車両パラメータ識別子に対応する車両パラメータを同期させるよう命令するために使用される、通知メッセージ送信サブモジュールを含む。
【００４９】
第３の態様の第５の可能な実現方式を参照し、第３の態様の第６の可能な実現方式において、通知メッセージ送信サブモジュールは、第１の車両状態通知メッセージを管理デバイスに送信するように構成された第１の車両状態通知メッセージ送信サブモジュールであり、第１の車両状態通知メッセージは、車両の共通部分の状態パラメータを含む、第１の車両状態通知メッセージ送信サブモジュール、又は、第２の車両状態通知メッセージを管理デバイスに送信するように構成された第２の車両状態通知メッセージ送信サブモジュールであり、第２の車両状態通知メッセージは、車両の警告部分又は故障部分の状態パラメータを含む、第２の車両状態通知メッセージ送信サブモジュール、を含む。
【００５０】
第３の態様の第５の可能な実現方式を参照し、第３の態様の第７の可能な実現方式において、通知メッセージ送信サブモジュールは、道路リソース使用通知メッセージを管理デバイスに送信するように構成された道路リソース使用通知メッセージ送信サブモジュールであり、道路リソース使用通知メッセージは、車両により使用された道路のパラメータを含む、道路リソース使用通知メッセージ送信サブモジュールを含む。
【００５１】
第３の態様を参照し、第３の態様の第８の可能な実現方式において、制御関連づけモジュールは、道路制約情報を含む道路リソース割り当て要求メッセージを管理デバイスに送信するように構成された道路リソース割り当て要求メッセージ送信サブモジュールであり、道路リソース割り当て要求メッセージは、車両が管理デバイスに、道路制約情報に従って道路リソースを車両に割り当てるよう要求することを示すために使用される、道路リソース割り当て要求メッセージ送信サブモジュールと、管理デバイスにより送信され且つ成功識別子及び道路リソース割り当て情報を含む第１の道路リソース割り当て応答メッセージを受信するように構成された第１の道路リソース割り当て応答メッセージ受信サブモジュールであり、第１の道路リソース割り当て応答メッセージは、管理デバイスが道路リソースを車両に割り当てるのに成功したことを示すために使用され、それにより、車両は道路リソース割り当て情報を取得する、第１の道路リソース割り当て応答メッセージ受信サブモジュール、又は、管理デバイスにより送信され且つ失敗識別子を含む第２の道路リソース割り当て応答メッセージを受信するように構成された第２の道路リソース割り当て応答メッセージ受信サブモジュールであり、第２の道路リソース割り当て応答メッセージは、管理デバイスが道路リソースを車両に割り当てるのに失敗したことを示すために使用される、第２の道路リソース割り当て応答メッセージ受信サブモジュールと、を含む。
【００５２】
第３の態様の第８の可能な実現方式を参照し、第３の態様の第９の可能な実現方式において、制御関連づけモジュールは、道路リソース解放メッセージを管理デバイスに送信するように構成された道路リソース解放メッセージ送信サブモジュールであり、道路リソース解放メッセージは管理デバイスに、道路リソース割り当て情報内の使用されない道路を解放するよう命令するために使用される、道路リソース解放メッセージ送信サブモジュールをさらに含む。
【００５３】
第３の態様を参照し、第３の態様の第１０の可能な実現方式において、関連づけ登録要求メッセージ送信モジュールは、管理デバイスアイデンティティ情報を取得するように構成された管理デバイスアイデンティティ情報取得サブモジュールと、関連づけ登録要求メッセージを管理デバイスアイデンティティ情報に対応する管理デバイスに送信するように構成された関連づけ登録要求メッセージ送信サブモジュールと、を含む。
【００５４】
第４の態様によれば、この出願は、交通システムにおける管理デバイスに適用される車両外部通信装置を提供し、当該装置は、車両により送信された関連づけ登録要求メッセージを受信するように構成された関連づけ登録要求メッセージ受信モジュールであり、関連づけ登録要求メッセージは、車両が制御関連づけモジュールを使用することにより管理デバイスとの制御関連づけを確立するのを要求することを示すために使用され、制御関連づけは、管理デバイスが車両により送信された適用要求メッセージを受信し、適用要求メッセージに従って適用応答メッセージを車両に送信すること、管理デバイスが適用要求メッセージを車両に送信し、適用要求メッセージに従って車両により送信された適用応答メッセージを受信すること、管理デバイスが車両により送信された通知メッセージを受信すること、又は管理デバイスが通知メッセージを車両に送信することのうち１つを含む、関連づけ登録要求メッセージ受信モジュールと、成功識別子を含む第１の関連づけ登録応答メッセージを車両に送信するように構成された第１の関連づけ登録応答メッセージ送信モジュールであり、それにより、車両は第１の関連づけ登録応答メッセージに従って管理デバイスとの制御関連づけを確立し、第１の関連づけ登録応答メッセージは、車両が管理デバイスとの制御関連づけを確立するのを許可されることを示すために使用される、第１の関連づけ登録応答メッセージ送信モジュール、又は、失敗識別子を含む第２の関連づけ登録応答メッセージを車両に送信するように構成された第２の関連づけ登録応答メッセージ送信モジュールであり、第２の関連づけ登録応答メッセージは、車両が管理デバイスとの制御関連づけを確立するのを禁止されることを示すために使用される、第２の関連づけ登録応答メッセージ送信モジュールと、を含む。
【００５５】
第４の態様を参照し、第４の態様の第１の可能な実現方式において、制御関連づけモジュールは、車両により送信された関連づけ登録解除要求メッセージを受信するように構成された関連づけ登録解除要求メッセージ受信サブモジュールであり、関連づけ登録解除要求メッセージは、車両が管理デバイスとの制御関連づけを取り消すのを要求することを示すために使用される、関連づけ登録解除要求メッセージ受信サブモジュールと、成功識別子を含む第１の関連づけ登録解除応答メッセージを車両に送信するように構成された第１の関連づけ登録解除応答メッセージ送信サブモジュールであり、それにより、車両は第１の関連づけ登録解除応答メッセージに従って管理デバイスとの制御関連づけを取り消し、第１の関連づけ登録解除応答メッセージは、車両が管理デバイスとの制御関連づけを取り消すのを許可されることを示すために使用される、第１の関連づけ登録解除応答メッセージ送信サブモジュール、又は、失敗識別子を含む第２の関連づけ登録解除応答メッセージを車両に送信するように構成された第２の関連づけ登録解除応答メッセージ送信サブモジュールであり、第２の関連づけ登録解除応答メッセージは、車両が管理デバイスとの制御関連づけを取り消すのを禁止されることを示すために使用される、第２の関連づけ登録解除応答メッセージ送信サブモジュールと、を含む。
【００５６】
第４の態様を参照し、第４の態様の第２の可能な実現方式において、制御関連づけモジュールは、車両により送信され且つユーザ識別子を含むユーザ更新要求メッセージを受信するように構成されたユーザ更新要求メッセージ受信サブモジュールであり、ユーザ更新要求メッセージは、ユーザ識別子に対応するユーザが車両を使用するのを要求することを示すために使用される、ユーザ更新要求メッセージ受信サブモジュールと、成功識別子を含む第１のユーザ更新応答メッセージを車両に送信するように構成された第１のユーザ更新応答メッセージ送信サブモジュールであり、第１のユーザ更新応答メッセージは、ユーザ識別子に対応するユーザが車両を使用するのを管理デバイスが許可することを示すために使用される、第１のユーザ更新応答メッセージ送信サブモジュール、又は、失敗識別子を含む第２のユーザ更新応答メッセージを車両に送信するように構成された第２のユーザ更新応答メッセージ送信サブモジュールであり、第２のユーザ更新応答メッセージは、ユーザ識別子に対応するユーザが車両を使用するのを管理デバイスが禁止することを示すために使用される、第２のユーザ更新応答メッセージ送信サブモジュールと、を含む。
【００５７】
第４の態様を参照し、第４の態様の第３の可能な実現方式において、制御関連づけモジュールは、ユーザ識別子を含むユーザ更新メッセージを車両に送信するように構成されたユーザ更新メッセージ送信サブモジュールであり、ユーザ更新メッセージは、ユーザ識別子に対応するユーザが車両を使用するのを許可されることを示すために使用される、ユーザ更新メッセージ送信サブモジュールを含む。
【００５８】
第４の態様を参照し、第４の態様の第４の可能な実現方式において、制御関連づけモジュールは、問い合わせ要求メッセージを車両に送信するように構成された問い合わせ要求メッセージ送信サブモジュールと、車両により送信された問い合わせ応答メッセージを受信するように構成された問い合わせ応答メッセージ受信サブモジュールであり、問い合わせ応答メッセージは、車両パラメータ識別子に対応する車両パラメータを含む、問い合わせ応答メッセージ受信サブモジュールと、を含む。
【００５９】
第４の態様を参照し、第４の態様の第５の可能な実現方式において、制御関連づけモジュールは、車両により送信され且つ車両パラメータ識別子に対応する車両パラメータを含む通知メッセージを受信するように構成された通知メッセージ受信サブモジュールであり、通知メッセージは、管理デバイスに対して車両パラメータ識別子に対応する車両パラメータを同期させるよう命令するために使用される、通知メッセージ受信サブモジュールを含む。
【００６０】
第４の態様の第５の可能な実現方式を参照し、第４の態様の第６の可能な実現方式において、通知メッセージ受信サブモジュールは、車両により送信された第１の車両状態通知メッセージを受信するように構成された第１の車両状態通知メッセージ受信サブモジュールであり、第１の車両状態通知メッセージは、車両の共通部分の状態パラメータを含む、第１の車両状態通知メッセージ受信サブモジュール、又は、車両により送信された第２の車両状態通知メッセージを受信するように構成された第２の車両状態通知メッセージ受信サブモジュールであり、第２の車両状態通知メッセージは、車両の警告部分又は故障部分の状態パラメータを含む、第２の車両状態通知メッセージ受信サブモジュールを含む。
【００６１】
第４の態様の第５の可能な実現方式を参照し、第４の態様の第７の可能な実現方式において、通知メッセージ受信サブモジュールは、車両により送信された道路リソース使用通知メッセージを受信するように構成された道路リソース使用通知メッセージ受信サブモジュールであり、道路リソース使用通知メッセージは、車両により使用された道路のパラメータを含む、道路リソース使用通知メッセージ受信サブモジュールを含む。
【００６２】
第４の態様を参照し、第４の態様の第８の可能な実現方式において、制御関連づけモジュールは、車両により送信され且つ道路制約情報を含む道路リソース割り当て要求メッセージを受信するように構成された道路リソース割り当て要求メッセージ受信サブモジュールであり、道路リソース割り当て要求メッセージは、車両が管理デバイスに、道路制約情報に従って道路リソースを車両に割り当てるよう要求することを示すために使用される、道路リソース割り当て要求メッセージ受信サブモジュールと、成功識別子及び道路リソース割り当て情報を含む第１の道路リソース割り当て応答メッセージを車両に送信するように構成された第１の道路リソース割り当て応答メッセージ送信サブモジュールであり、第１の道路リソース割り当て応答メッセージは、管理デバイスが道路リソースを車両に割り当てるのに成功したことを示すために使用され、それにより、車両は道路リソース割り当て情報を取得する、第１の道路リソース割り当て応答メッセージ送信サブモジュール、又は、失敗識別子を含む第２の道路リソース割り当て応答メッセージを車両に送信するように構成された第２の道路リソース割り当て応答メッセージ送信サブモジュールであり、第２の道路リソース割り当て応答メッセージは、管理デバイスが道路リソースを車両に割り当てるのに失敗したことを示すために使用される、第２の道路リソース割り当て応答メッセージ送信サブモジュールと、を含む。
【００６３】
第４の態様の第８の可能な実現方式を参照し、第４の態様の第９の可能な実現方式において、制御関連づけモジュールは、車両により送信された道路リソース解放メッセージを受信するように構成された道路リソース解放メッセージ受信サブモジュールであり、道路リソース解放メッセージは管理デバイスに、道路リソース割り当て情報内の使用されない道路を解放するよう命令するために使用される、道路リソース解放メッセージ受信サブモジュールをさらに含む。
【００６４】
第５の態様によれば、この出願は、プロセッサと、プロセッサ実行可能命令を記憶するように構成されたメモリと、を含む車両を提供し、プロセッサは、この出願の第１の態様に記載の方法の一部又は全てのステップを実行するように構成される。
【００６５】
第６の態様によれば、この出願は、プロセッサと、プロセッサ実行可能命令を記憶するように構成されたメモリと、を含む管理デバイスを提供し、プロセッサは、この出願の第２の態様に記載の方法の一部又は全てのステップを実行するように構成される。
【００６６】
第７の態様によれば、この出願は、この出願の第５の態様に記載の車両及びこの出願の第６の態様に記載の管理デバイスを含む交通システムを提供する。
【００６７】
第８の態様によれば、この出願は、交通システムにおける車両に適用される車両外部通信方法を提供し、当該方法は、車両により、関連づけ登録要求メッセージを管理デバイスに送信するステップであり、関連づけ登録要求メッセージは、車両が管理デバイスとの制御関連づけを確立するのを要求することを示すために使用され、制御関連づけは、車両と管理デバイスとの間で動的に確立され又は取り消される、制御する‐制御される関係を含み、制御する‐制御される関係は、車両が適用要求メッセージを管理デバイスに送信し、適用要求メッセージに従って管理デバイスにより送信された適用応答メッセージを受信すること、車両が管理デバイスにより送信された適用要求メッセージを受信し、適用要求メッセージに従って適用応答メッセージを管理デバイスに送信すること、車両が通知メッセージを管理デバイスに送信すること、又は車両が管理デバイスにより送信された通知メッセージを受信することを含む、ステップと、車両により、管理デバイスにより送信され且つ成功識別子を含む第１の関連づけ登録応答メッセージを受信し、第１の関連づけ登録応答メッセージに従って管理デバイスとの制御関連づけを確立するステップであり、それにより、管理デバイスは、制御関連づけに基づいて、トラフィックサービス又は適用を実行するように車両を制御し、第１の関連づけ登録応答メッセージは、車両が管理デバイスとの制御関連づけを確立するのを許可されることを示すために使用される、ステップ、又は、車両により、管理デバイスにより送信され且つ失敗識別子を含む第２の関連づけ登録応答メッセージを受信するステップであり、第２の関連づけ登録応答メッセージは、車両が管理デバイスとの制御関連づけを確立するのを禁止されることを示すために使用される、ステップと、を含む。
【００６８】
第８の態様を参照し、第８の態様の第１の可能な実現方式において、車両により、管理デバイスとの制御関連づけを確立した後、当該方法は、車両により、関連づけ登録解除要求メッセージを管理デバイスに送信するステップであり、関連づけ登録解除要求メッセージは、車両が管理デバイスとの制御関連づけを取り消すのを要求することを示すために使用される、ステップと、車両により、管理デバイスにより送信され且つ成功識別子を含む第１の関連づけ登録解除応答メッセージを受信し、第１の関連づけ登録解除応答メッセージに従って管理デバイスとの制御関連づけを取り消すステップであり、第１の関連づけ登録解除応答メッセージは、車両が管理デバイスとの制御関連づけを取り消すのを許可されることを示すために使用される、ステップ、又は、車両により、管理デバイスにより送信され且つ失敗識別子を含む第２の関連づけ登録解除応答メッセージを受信するステップであり、第２の関連づけ登録解除応答メッセージは、車両が管理デバイスとの制御関連づけを取り消すのを禁止されることを示すために使用される、ステップをさらに含む。
【００６９】
第８の態様を参照し、第８の態様の第２の可能な実現方式において、管理デバイスが、制御関連づけに基づいて、トラフィックサービス又は適用を実行するように車両を制御することは、車両により、ユーザ識別子を含むユーザ更新要求メッセージを管理デバイスに送信し、ユーザ更新要求メッセージは、ユーザ識別子に対応するユーザが車両を使用するのを要求することを示すために使用されることと、車両により、管理デバイスにより送信され且つ成功識別子を含む第１のユーザ更新応答メッセージを受信し、第１のユーザ更新応答メッセージは、ユーザ識別子に対応するユーザが車両を使用するのを管理デバイスが許可することを示すために使用されること、又は、車両により、管理デバイスにより送信され且つ失敗識別子を含む第２のユーザ更新応答メッセージを受信し、第２のユーザ更新応答メッセージは、ユーザ識別子に対応するユーザが車両を使用するのを管理デバイスが禁止することを示すために使用されることと、を含む。
【００７０】
第８の態様を参照し、第８の態様の第３の可能な実現方式において、管理デバイスが、制御関連づけに基づいて、トラフィックサービス又は適用を実行するように車両を制御することは、車両により、管理デバイスにより送信され且つユーザ識別子を含むユーザ更新メッセージを受信し、ユーザ更新メッセージは、ユーザ識別子に対応するユーザが車両を使用するのを許可されることを示すために使用されることを含む。
【００７１】
第８の態様を参照し、第８の態様の第４の可能な実現方式において、管理デバイスが、制御関連づけに基づいて、トラフィックサービス又は適用を実行するように車両を制御することは、車両により、管理デバイスにより送信され且つ車両パラメータ識別子を含む問い合わせ要求メッセージを受信することと、車両により、問い合わせ応答メッセージを管理デバイスに送信し、問い合わせ応答メッセージは、車両パラメータ識別子に対応する車両パラメータを含むことと、を含む。
【００７２】
第８の態様を参照し、第８の態様の第５の可能な実現方式において、管理デバイスが、制御関連づけに基づいて、トラフィックサービス又は適用を実行するように車両を制御することは、車両により、車両パラメータ識別子に対応する車両パラメータを含む通知メッセージを管理デバイスに送信し、通知メッセージは、管理デバイスに対して車両パラメータ識別子に対応する車両パラメータを同期させるよう命令するために使用されることを含む。
【００７３】
第８の態様の第５の可能な実現方式を参照し、第８の態様の第６の可能な実現方式において、車両により、車両パラメータ識別子に対応する車両パラメータを含む通知メッセージを管理デバイスに送信することは、車両により、第１の車両状態通知メッセージを管理デバイスに送信し、第１の車両状態通知メッセージは、車両の共通部分の状態パラメータを含むこと、又は、車両により、第２の車両状態通知メッセージを管理デバイスに送信し、第２の車両状態通知メッセージは、車両の警告部分又は故障部分の状態パラメータを含むことを含む。
【００７４】
第８の態様の第５の可能な実現方式を参照し、第８の態様の第７の可能な実現方式において、車両により、車両パラメータ識別子に対応する車両パラメータを含む通知メッセージを管理デバイスに送信することは、車両により、道路リソース使用通知メッセージを管理デバイスに送信し、道路リソース使用通知メッセージは、車両により使用された道路のパラメータを含むことを含む。
【００７５】
第８の態様の第４内ぢ第７の可能な実現方式を参照し、第８の態様の第８の可能な実現方式において、車両パラメータ識別子は、車両項目識別子及び車両サブ項目識別子のうち少なくとも１つを含み、車両項目識別子に対応する車両パラメータは、車両サブ項目識別子に対応する車両パラメータを含む。
【００７６】
第８の態様を参照し、第８の態様の第９の可能な実現方式において、管理デバイスが、制御関連づけに基づいて、トラフィックサービス又は適用を実行するように車両を制御することは、車両により、道路制約情報を含む道路リソース割り当て要求メッセージを管理デバイスに送信し、道路リソース割り当て要求メッセージは、車両が管理デバイスに、道路制約情報に従って道路リソースを車両に割り当てるよう要求することを示すために使用されることと、車両により、管理デバイスにより送信され且つ成功識別子及び道路リソース割り当て情報を含む第１の道路リソース割り当て応答メッセージを受信し、第１の道路リソース割り当て応答メッセージは、管理デバイスが道路リソースを車両に割り当てるのに成功したことを示すために使用され、それにより、車両は道路リソース割り当て情報を取得すること、又は、車両により、管理デバイスにより送信され且つ失敗識別子を含む第２の道路リソース割り当て応答メッセージを受信し、第２の道路リソース割り当て応答メッセージは、管理デバイスが道路リソースを車両に割り当てるのに失敗したことを示すために使用されることと、を含む。
【００７７】
第８の態様の第９の可能な実現方式を参照し、第８の態様の第１０の可能な実現方式において、車両が道路リソース割り当て情報を取得した後、当該方法は、車両により、道路リソース解放メッセージを管理デバイスに送信するステップであり、道路リソース解放メッセージは管理デバイスに、道路リソース割り当て情報内の使用されない道路を解放するよう命令するために使用される、ステップをさらに含む。
【００７８】
第８の態様を参照し、第８の態様の第１１の可能な実現方式において、車両により、関連づけ登録要求メッセージを管理デバイスに送信するステップは、車両により、管理デバイスアイデンティティ情報を取得するステップと、車両により、関連づけ登録要求メッセージを、管理デバイスアイデンティティ情報に対応する管理デバイスに送信するステップと、を含む。
【００７９】
第８の態様を参照し、第８の態様の第１２の可能な実現方式において、車両により、関連づけ登録要求メッセージを管理デバイスに送信するステップであり、関連づけ登録要求メッセージは、車両が管理デバイスとの制御関連づけを確立するのを要求することを示すために使用される、ステップは、車両により、車両アイデンティティ情報を含む関連づけ登録要求メッセージを管理デバイスに送信するステップであり、関連づけ登録要求メッセージは、車両アイデンティティ情報に対応する車両が管理デバイスとの制御関連づけを確立するのを要求することを示すために使用される、ステップを含む。
【００８０】
第９の態様によれば、この出願は、交通システムにおける管理デバイスに適用される車両外部通信方法を提供し、当該方法は、管理デバイスにより、車両により送信された関連づけ登録要求メッセージを受信するステップであり、関連づけ登録要求メッセージは、車両が管理デバイスとの制御関連づけを確立するのを要求することを示すために使用され、制御関連づけは、車両と管理デバイスとの間で動的に確立され又は取り消される、制御する‐制御される関係を含み、制御する‐制御される関係は、管理デバイスが車両により送信された適用要求メッセージを受信し、適用要求メッセージに従って適用応答メッセージを車両に送信すること、管理デバイスが適用要求メッセージを車両に送信し、適用要求メッセージに従って車両により送信された適用応答メッセージを受信すること、管理デバイスが車両により送信された通知メッセージを受信すること、又は管理デバイスが通知メッセージを車両に送信することを含む、ステップと、管理デバイスにより、成功識別子を含む第１の関連づけ登録応答メッセージを車両に送信するステップであり、それにより、車両は第１の関連づけ登録応答メッセージに従って管理デバイスとの制御関連づけを確立し、第１の関連づけ登録応答メッセージは、車両が管理デバイスとの制御関連づけを確立するのを許可されることを示すために使用されるステップ、及び管理デバイスにより、制御関連づけに基づいて、トラフィックサービス又は適用を実行するように車両を制御するステップ、又は、管理デバイスにより、失敗識別子を含む第２の関連づけ登録応答メッセージを車両に送信するステップであり、第２の関連づけ登録応答メッセージは、車両が管理デバイスとの制御関連づけを確立するのを禁止されることを示すために使用される、ステップと、を含む。
【００８１】
第９の態様を参照し、第９の態様の第１の可能な実現方式において、車両により管理デバイスとの制御関連づけを確立した後、当該方法は、管理デバイスにより、車両により送信された関連づけ登録解除要求メッセージを受信するステップであり、関連づけ登録解除要求メッセージは、車両が管理デバイスとの制御関連づけを取り消すのを要求することを示すために使用される、ステップと、管理デバイスにより、成功識別子を含む第１の関連づけ登録解除応答メッセージを車両に送信するステップであり、それにより、車両は第１の関連づけ登録解除応答メッセージに従って管理デバイスとの制御関連づけを取り消し、第１の関連づけ登録解除応答メッセージは、車両が管理デバイスとの制御関連づけを取り消すのを許可されることを示すために使用される、ステップ、又は、管理デバイスにより、失敗識別子を含む第２の関連づけ登録解除応答メッセージを車両に送信するステップであり、第２の関連づけ登録解除応答メッセージは、車両が管理デバイスとの制御関連づけを取り消すのを禁止されることを示すために使用される、ステップと、をさらに含む。
【００８２】
第９の態様を参照し、第９の態様の第２の可能な実現方式において、管理デバイスにより、制御関連づけに基づいて、トラフィックサービス又は適用を実行するように車両を制御するステップは、管理デバイスにより、車両により送信され且つユーザ識別子を含むユーザ更新要求メッセージを受信するステップであり、ユーザ更新要求メッセージは、ユーザ識別子に対応するユーザが車両を使用するのを要求することを示すために使用される、ステップと、管理デバイスにより、成功識別子を含む第１のユーザ更新応答メッセージを車両に送信するステップであり、第１のユーザ更新応答メッセージは、ユーザ識別子に対応するユーザが車両を使用するのを管理デバイスが許可することを示すために使用されるステップ、又は、管理デバイスにより、失敗識別子を含む第２のユーザ更新応答メッセージを車両に送信するステップであり、第２のユーザ更新応答メッセージは、ユーザ識別子に対応するユーザが車両を使用するのを管理デバイスが禁止することを示すために使用される、ステップと、を含む。
【００８３】
第９の態様を参照し、第９の態様の第３の可能な実現方式において、管理デバイスにより、制御関連づけに基づいて、トラフィックサービス又は適用を実行するように車両を制御するステップは、管理デバイスにより、ユーザ識別子を含むユーザ更新メッセージを車両に送信するステップであり、ユーザ更新メッセージは、ユーザ識別子に対応するユーザが車両を使用するのを許可されることを示すために使用される、ステップを含む。
【００８４】
第９の態様を参照し、第９の態様の第４の可能な実現方式において、管理デバイスにより、制御関連づけに基づいて、トラフィックサービス又は適用を実行するように車両を制御するステップは、管理デバイスにより、問い合わせ要求メッセージを車両に送信するステップと、管理デバイスにより、車両により送信された問い合わせ応答メッセージを受信するステップであり、問い合わせ応答メッセージは、車両パラメータ識別子に対応する車両パラメータを含む、ステップと、を含む。
【００８５】
第９の態様を参照し、第９の態様の第５の可能な実現方式において、管理デバイスにより、制御関連づけに基づいて、トラフィックサービス又は適用を実行するように車両を制御するステップは、管理デバイスにより、車両により送信され且つ車両パラメータ識別子に対応する車両パラメータを含む通知メッセージを受信するステップであり、通知メッセージは、管理デバイスに対して車両パラメータ識別子に対応する車両パラメータを同期させるよう命令するために使用される、ステップを含む。
【００８６】
第９の態様の第５の可能な実現方式を参照し、第９の態様の第６の可能な実現方式において、管理デバイスにより、車両により送信され且つ車両パラメータ識別子に対応する車両パラメータを含む通知メッセージを受信するステップは、管理デバイスにより、車両により送信された第１の車両状態通知メッセージを受信するステップであり、第１の車両状態通知メッセージは、車両の共通部分の状態パラメータを含む、ステップ、又は、管理デバイスにより、車両により送信された第２の車両状態通知メッセージを受信するステップであり、第２の車両状態通知メッセージは、車両の警告部分又は故障部分の状態パラメータを含む、ステップ、を含む。
【００８７】
第９の態様の第５の可能な実現方式を参照し、第９の態様の第７の可能な実現方式において、管理デバイスにより、車両により送信され且つ車両パラメータ識別子に対応する車両パラメータを含む通知メッセージを受信するステップは、管理デバイスにより、車両により送信された道路リソース使用通知メッセージを受信するステップであり、道路リソース使用通知メッセージは、車両により使用された道路のパラメータを含む、ステップを含む。
【００８８】
第９の態様を参照し、第９の態様の第８の可能な実現方式において、管理デバイスにより、制御関連づけに基づいて、トラフィックサービス又は適用を実行するように車両を制御するステップは、管理デバイスにより、車両により送信され且つ道路制約情報を含む道路リソース割り当て要求メッセージを受信するステップであり、道路リソース割り当て要求メッセージは、車両が管理デバイスに、道路制約情報に従って道路リソースを車両に割り当てるよう要求することを示すために使用される、ステップと、管理デバイスにより、成功識別子及び道路リソース割り当て情報を含む第１の道路リソース割り当て応答メッセージを車両に送信するステップであり、第１の道路リソース割り当て応答メッセージは、管理デバイスが道路リソースを車両に割り当てるのに成功したことを示すために使用され、それにより、車両は道路リソース割り当て情報を取得する、ステップ、又は、管理デバイスにより、失敗識別子を含む第２の道路リソース割り当て応答メッセージを車両に送信するステップであり、第２の道路リソース割り当て応答メッセージは、管理デバイスが道路リソースを車両に割り当てるのに失敗したことを示すために使用される、ステップと、を含む。
【００８９】
第９の態様の第８の可能な実現方式を参照し、第９の態様の第９の可能な実現方式において、車両が道路リソース割り当て情報を取得した後、当該方法は、管理デバイスにより、車両により送信された道路リソース解放メッセージを受信するステップであり、道路リソース解放メッセージは管理デバイスに、道路リソース割り当て情報内の使用されない道路を解放するよう命令するために使用される、ステップをさらに含む。
【００９０】
この出願の実施例における第２乃至第９の態様及び可能な実現方式は、この出願の実施例における第１の態様及び可能な実現方式と同様の技術的アイデア及び同じ有益な効果を有することが理解されるべきであり、詳細は再度説明されない。
【００９１】
この出願の実施例で提供される技術的解決策によれば、車両及び管理デバイスの間の制御関連づけは、道路トラフィック活動における車両の関与の前提条件として使用され、それにより、道路トラフィック活動に関与する全ての車両が管理デバイスによりまとめてスケジュール及び制御でき、車両安全性及び通過効率が改善できる。
【図面の簡単な説明】
【００９２】
この出願の実施例における技術的解決策をより明りょうに説明するために、実施例を説明するために必要な添付図面を以下に簡潔に説明する。明らかに、当業者は創造的取り組みなしにこれら添付図面から他の図面を依然として導き出し得る。
【図１】この出願の実施例によるＩＴＳの概略シナリオ図である。
【図２】この出願の実施例による車両情報のデータ構造の概略図である。
【図３】この出願の実施例による車両外部通信に使用されるメッセージ構造の概略図である。
【図４】この出願の実施例による車両外部通信方法の概略フローチャートである。
【図５】この出願の実施例による別の車両外部通信方法の概略フローチャートである。
【図６】この出願の実施例による別の車両外部通信方法の概略フローチャートである。
【図７】この出願の実施例による別の車両外部通信方法の概略フローチャートである。
【図８】この出願の実施例による別の車両外部通信方法の概略フローチャートである。
【図９】この出願の実施例による別の車両外部通信方法の概略フローチャートである。
【図１０Ａ】この出願の実施例による別のＩＴＳの概略シナリオ図である。
【図１０Ｂ】この出願の実施例による別のＩＴＳの概略シナリオ図である。
【図１０Ｃ】この出願の実施例による別のＩＴＳの概略シナリオ図である。
【図１１】この出願の実施例による車両外部通信装置の概略構造図である。
【図１２】この出願の実施例による別の車両外部通信装置の概略構造図である。
【図１３】この出願の実施例による車両の概略構造図である。
【図１４】この出願の実施例による管理デバイスの概略構造図である。
【発明を実施するための形態】
【００９３】
この出願における技術的解決策を当業者により良く理解させるために、この出願の実施例における添付図面を参照してこの出願の実施例における技術的解決策を以下に明りょうかつ完全に説明する。明らかに、説明される実施例はこの出願の実施例の全てでなくいくつかに過ぎない。創造的取り組みなしにこの出願の実施例に基づいて当業者により得られる全ての他の実施例がこの出願の保護範囲内に入るものとする。
【００９４】
説明の容易さのため、この出願の実施例において、高度交通システムＩＴＳが、この出願の実施例で提供される車両通行権管理解決策の適用環境として使用される。しかしながら、当業者は、この出願の実施例で提供される通行権管理解決策を別のタイプの交通システムに適用し得ることが理解されるべきであり、それは、この出願の保護範囲内に入るものとする。
【００９５】
この出願の実施例のＩＴＳにおけるトラフィック関与者は、車両、管理センター、道路側インフラストラクチャを含み得る。車両、管理センター、及び道路側インフラストラクチャの数量及び表現形式は、この出願の実施例において具体的に限定されない。例えば、この出願の実施例における車両は、救急車、タクシー、私用車などを含み得る。
【００９６】
この出願の実施例における車両は、無線通信機能を有する車両でもよく、あるいは無線通信デバイスを運ぶ車両でもよい。無線通信デバイスは、無線通信機能を有する様々なハンドヘルドデバイス、車載デバイス、コンピュータデバイス、若しくはウェアラブルデバイス、又は様々な形式のユーザ装置を含み得る。
【００９７】
この出願の実施例における管理センターは、管理デバイスが配設された特定の場所である。管理デバイスは、通信、記憶、及びデータ処理の機能を有するコンピュータデバイスでもよく、ＩＴＳにおける制御センターである。この出願の実施例における管理デバイス及び管理センターの双方が、ＩＴＳにおける制御センターを表すことができる。
【００９８】
図１を参照し、図１は、この出願の実施例によるＩＴＳの概略シナリオ図である。
【００９９】
図１に示されるＩＴＳにおいて、トラフィック関与者は、車両１０１〜１０５、管理センター１０６、及び道路側インフラストラクチャ１０７を含む。トラフィック関与者は、ネットワークを使用することにより接続される。トラフィック関与者は、情報を互いに直接交換するだけでなく、情報を互いに間接的に交換することもできる。例えば、車両が情報を管理センター１０６と直接交換することができ、車両が情報を道路側インフラストラクチャ１０７と直接交換することができ、管理センター１０６は情報を道路側インフラストラクチャ１０７と直接交換することができ、２つの車両が情報を直接交換することができる。別法として、車両が、管理センター１０６を使用することにより情報を道路側インフラストラクチャ１０７と間接的に交換することができ、２つの車両が、管理センター１０６を使用することにより情報を間接的に交換することができる。
【０１００】
ＩＴＳにおいて、車両安全性及び通過効率を改善するために、車両は、別のトラフィック関与者と頻繁に相互作用する必要があり、車両と別のトラフィック関与者との間の相互作用のプロセスは、車両の大量の情報の収集、処理、及び交換を含む。したがって、ＩＴＳにおける車両及び別のトラフィック関与者は、さらなる新しい機能及び新しいサービスが出現するとき、車両情報及び関連機能制御の共通理解を有すること、及び同期的な拡張及び更新を簡潔かつ効率的に実行できることを要求される。この要件に基づいて、この出願の実施例は、車両情報のデータ構造及び車両と別のトラフィック関与者との間の通信に使用されるメッセージ構造を提供する。
【０１０１】
図２を参照し、図２は、この出願の実施例による車両情報のデータ構造の概略図である。図２に示されるように、データ構造は、車両アイデンティティ情報、車両所有者情報、車両ユーザ情報、管理センター情報、車両仕様情報、車両活動情報、車両状態情報、追跡計画情報、追跡記録情報、及び当業者により車両機能要件に従って拡張された他の車両情報を含む。
【０１０２】
車両アイデンティティ情報は、車両識別子及び車両認証情報を記録するために使用される。車両識別子は、交通システムにおける車両の一意識別子であり、データ構造内の他の情報は、車両識別子を使用することにより、車両識別子により表される車両に関連づけられてもよい。
【０１０３】
車両所有者情報は、所有者識別子及び所有者認証情報を記録するために使用される。認証情報は、所有者識別子に対応するメンバが認証されているかどうかを記録するために使用される。メンバが認証されている場合、所有者識別子に対応するメンバは、車両の所有権、すなわち、車両を制御するための最高の権利を有する。さらに、１つの車両が、複数人により所有され（例えば、自家用車両が夫及び妻により所有される）、すなわち、複数の所有者を有してもよい。この場合、各所有者に対応する所有者識別子及び各所有者の認証情報が、所有者リストを形成するために、別個に記録される。
【０１０４】
車両ユーザ情報は、ユーザ識別子及びユーザ認証情報を記録するために使用される。認証情報は、ユーザ識別子に対応するメンバが認証されているかどうかを記録するために使用される。メンバが認証されている場合、ユーザ識別子に対応するメンバは、車両を使用する権利を有する。所有者は、ユーザを指定し、ユーザに車両を使用する権利を付与してもよい。さらに、１つの車両が複数のユーザを含んでもよい（例えば、家族内の全メンバが、自家用車両を使用する権利を有する）。この場合、各ユーザに対応するユーザ識別子及び各ユーザの認証情報が、ユーザリストを形成するために、別個に記録される。
【０１０５】
管理センター情報は、車両を管理する管理センターの識別子と管理センター認証情報とを記録するために使用される。認証情報は、管理センターの識別子に対応する管理センターが認証されているかどうかを記録するために使用される。管理センターが認証されている場合、管理センターは、車両を管理する権利を有する。さらに、１つの車両が複数の管理センターにより制御されてもよく、各管理センターは、優先度の降順で配置された管理センターのリストを形成するために、別個に記録される。優先度は、管理センターの制御レベル、車両と管理センターとの間の距離、又は管理センターの信号強度に従って、複数の管理センターに対して設定されてもよい。
【０１０６】
車両仕様情報は、車両モデル、積載量、又は排気のような製造の間に決定される車両情報を記録するために使用され、車両仕様識別子、車両仕様サブ識別子、並びに車両仕様識別子及び車両仕様サブ識別子の値を具体的に含んでもよい。
【０１０７】
車両活動情報は、方向、速度、又は制動のような活動において変化する車両情報を記録するために使用され、車両活動識別子、車両活動サブ識別子、並びに車両活動識別子及び車両活動サブ識別子の値を具体的に含んでもよい。
【０１０８】
車両状態情報は、パワー部分、ステアリング部分、又はタイヤ部分のような車両部分の動作状態を記録するために使用され、車両状態識別子、車両状態サブ識別子、並びに車両状態識別子及び車両状態サブ識別子の値を具体的に含んでもよい。例えば、車両状態識別子又は車両状態サブ識別子の値は、正常、警告、又は故障でもよい。
【０１０９】
追跡計画情報は、車両により計画された移動ルートを記録するために使用され、計画されたウェイポイント（waypoints）の時間座標シーケンス及び空間座標シーケンスのうち１つ又は組み合わせを具体的に含んでもよい。
【０１１０】
追跡記録情報は、車両の実際の移動ルートを記録するために使用され、実際のウェイポイントの時間座標シーケンス及び空間座標シーケンスのうち１つ又は組み合わせを具体的に含んでもよい。
【０１１１】
図３を参照し、図３は、この出願の実施例による車両外部通信に使用されるメッセージ構造の概略図である。図３に示されるように、メッセージ構造は、伝送情報、認証情報、メッセージタイプ、制御コマンド、及び制御パラメータを含む。確かに、当業者は、車両機能要件に従って他の情報をメッセージ構造に追加し、メッセージ構造を拡張し得る。
【０１１２】
伝送情報は、ソースアドレス、宛先アドレス、プロトコルタイプなどを含んでもよく、異なる伝送プロトコル及びバージョンを使用してもよい。
【０１１３】
認証情報は、安全性パラメータインデックス、シーケンス番号、認証データなどを含んでもよく、異なる認証方式及びアルゴリズムを使用してもよい。
【０１１４】
メッセージタイプは、要求、応答、応答確認（response  acknowledgement）などを含んでもよい。
【０１１５】
制御コマンドは、登録／登録解除、申請、更新、解放、問い合わせ、通知などを含んでもよい。
【０１１６】
制御パラメータは、車両識別子、及び、車両機能要件に従って設定される他の情報、例えば、管理センター情報、車両ユーザ情報、成功／失敗識別子、又は原因説明を含んでもよい。
【０１１７】
ＩＴＳにおいて、車両情報は、前述のデータ構造に従って車両、管理デバイス、又は別の記憶装置に記憶され、情報は、対応する制御機能を完了するために、前述のメッセージ構造に従って車両と別のトラフィック関与者との間で交換される。
【０１１８】
この出願は、前述のデータ構造及びメッセージ構造に基づいて車両外部通信方法をさらに提供する。図４を参照し、図４は、この出願の実施例による車両外部通信方法の概略フローチャートである。車両及び管理センターが方法の主な関与者であるため、方法は、車両、管理センター、又は車両及び管理センターを含む通信システムに適用されてもよい。方法は以下のステップを主に含む。
【０１１９】
ステップ４０１：車両が関連づけ登録要求メッセージを管理センターに送信する。
【０１２０】
管理センターはＩＴＳにおける制御センターであるため、車両は、道路トラフィック活動に関与する前に、管理センターとの制御関連づけを確立する必要がある。制御関連づけは、制御する‐制御される関係であり、この出願のこの実施例では、車両と管理センターとの間の制御する‐制御される関係であり、車両が適用要求メッセージを管理センターに送信し、適用要求メッセージに従って管理センターにより送信された適用応答メッセージを受信すること、車両が管理センターにより送信された適用要求メッセージを受信し、適用要求メッセージに従って適用応答メッセージを管理センターに送信すること、車両が通知メッセージを管理センターに送信すること、又は車両が管理センターにより送信された通知メッセージを受信することを具体的に含む。管理デバイスは、制御関連づけに基づいて、トラフィックサービス又は適用を実行するように車両を制御することができる。
【０１２１】
さらに、交通システムにおけるリソース利用を改善し、あるいは車両のための最も適切な管理センターを見つけるために、車両は、管理センターとの制御関連づけを動的に確立し、あるいは取り消す必要がある。例えば、車両が道路トラフィック活動を完了するとき、交通システムにおける通信リソースを節約するために、車両は、管理センターとの制御関連づけを取り消す。交通システムに複数の管理センターが存在し、車両が１つの管理センターの制御エリアから別の管理センターの制御エリアに移動するとき、車両は、車両が去るべき管理センターとの制御関連づけを取り消し、車両が移動すべき管理センターとの制御関連づけを確立する必要がある。
【０１２２】
この出願のこの実施例において、車両は、管理センターとの制御関連づけを確立する前に、関連づけ登録要求メッセージを管理センターに送信する。関連づけ登録要求メッセージを送信した車両を決定するために、関連づけ登録要求メッセージは、車両アイデンティティ情報、例えば、車両識別子、車両認証情報、又は別のタイプの車両アイデンティティ情報を含んでもよい。
【０１２３】
この明細書では、簡潔な説明のため、車両識別子が説明のために車両アイデンティティ情報として一様に使用される。
【０１２４】
この出願のこの実施例において、関連づけ登録要求メッセージのメッセージタイプは要求であり、制御コマンドは登録であり、制御パラメータは車両識別子を含む。関連づけ登録要求メッセージは、車両識別子に対応する車両がＩＴＳに登録するのを要求する、すなわち、管理センターとの制御関連づけを確立するのを要求することを示すために使用される。車両識別子は、ＩＴＳにおける車両の一意アイデンティティであり、車両を示すために使用される。データ構造内の他の車両情報が、車両識別子を使用することにより、車両識別子により表される車両に関連づけられてもよい。
【０１２５】
この出願の任意的な実施例において、ＩＴＳは複数の管理センターを含んでもよいが、各管理センターが車両を管理する権利を有するわけではない。したがって、車両は、さらに、管理センターとの制御関連づけを確立する前に、管理センターのアイデンティティを決定する必要がある。具体的に、車両は、管理センターアイデンティティ情報、例えば、管理センター識別子、管理センター認証情報、又は別のタイプの管理センターアイデンティティ情報を取得する。車両は、関連づけ登録要求メッセージを、管理センターアイデンティティ情報に対応する管理センターに送信する。
【０１２６】
さらに、車両情報が、複数の管理センターに関する情報を含む管理センターリストを含むとき、車両は、管理センターリスト内の最初の管理センターのアイデンティティ情報を優先的に取得する。管理センターリストが優先度の降順で形成されるため、管理リスト内の最初の管理センターのアイデンティティ情報は、最も高い優先度を有する管理センターに対応する。管理センターの優先度は、管理センターの制御レベル、車両と管理センターとの間の距離、又は管理センターの信号強度に従って設定されてもよい。
【０１２７】
ステップ４０２：管理センターが第１の関連づけ登録応答メッセージを車両に送信する。
【０１２８】
関連づけ登録要求メッセージを受信した後、管理センターは、関連づけ登録要求メッセージ内の車両アイデンティティ情報に従って、関連づけを確立するよう要求する車両を決定してもよく、さらに、車両の権限又は現在のトラフィック環境のような情報に従って、車両がＩＴＳに登録するのを許可するかどうかを決定する必要があってもよい。管理センターが、車両がＩＴＳに登録するのを許可するとき、管理センターは、第１の関連づけ登録応答メッセージを車両に送信する。
【０１２９】
第１の関連づけ登録応答メッセージのメッセージタイプは応答であり、制御コマンドは登録であり、制御パラメータは成功識別子を含む。第１の関連づけ登録応答メッセージは、管理センターが車両がＩＴＳに登録するのを許可することを示すために使用され、それにより、車両は、管理センターとの制御関連づけを確立する。
【０１３０】
さらに、管理センターが、車両がＩＴＳに登録するのを許可しないとき、ステップ４０２は、以下のステップ４０３で置換される。
【０１３１】
ステップ４０３：管理センターが第２の関連づけ登録応答メッセージを車両に送信する。
【０１３２】
第２の関連づけ登録応答メッセージのメッセージタイプは応答であり、制御コマンドは登録であり、制御パラメータは失敗識別子を含む。第２の関連づけ登録応答メッセージは、管理センターが車両が管理センターとの制御関連づけを確立するのを禁止する、すなわち、車両がＩＴＳに登録するのを禁止することを示すために使用される。
【０１３３】
この出願のこの実施例で提供される方法によれば、車両と管理センターとの間の制御関連づけは、道路トラフィック活動における車両の関与の前提条件として使用され、それにより、道路トラフィック活動に関与する全ての車両が管理センターによりまとめてスケジュール及び制御でき、車両安全性及び通過効率が改善できる。
【０１３４】
図５を参照し、図５は、この出願の実施例による別の車両外部通信方法の概略フローチャートである。図５に示されるように、管理センターにより送信された第１の関連づけ登録応答メッセージを受信した後、車両は、第１の関連づけ登録応答メッセージに従って管理センターとの制御関連づけを確立する。この出願のこの実施例において、制御関連づけは、車両が適用要求メッセージを管理センターに送信し、適用要求メッセージに従って管理センターにより送信された適用応答メッセージを受信することのうち１つを含む。制御関連づけは、以下のステップを具体的に含む。
【０１３５】
ステップ５０１：車両が関連づけ登録解除要求メッセージを管理センターに送信する。
【０１３６】
車両が道路トラフィック活動を完了した後、管理センターとの関連づけが依然として維持される場合、ＩＴＳにおけるリソースが浪費される。したがって、道路トラフィック活動を完了した後、車両は、管理センターとの制御関連づけを取り消す必要がある。関連づけ登録解除要求メッセージのメッセージタイプは要求であり、制御コマンドは登録解除であり、制御パラメータは車両識別子を含む。関連づけ登録解除要求メッセージは、車両識別子に対応する車両がＩＴＳから登録解除するのを要求する、すなわち、管理センターとの制御関連づけを取り消すのを要求することを示すために使用される。
【０１３７】
ステップ５０２：管理センターが第１の関連づけ登録解除応答メッセージを車両に送信する。
【０１３８】
関連づけ登録解除要求メッセージを受信した後、管理センターは、関連づけ登録解除要求メッセージ内の車両識別子に従って、制御関連づけを取り消すよう要求する車両を決定してもよく、さらに、車両の現在の状態に従って、車両が管理センターとの制御関連づけを取り消すのを許可するかどうかを決定する必要があってもよい。管理センターが、車両が制御関連づけを取り消すのを許可するとき、管理センターは、第１の関連づけ登録解除応答メッセージを車両に送信する。
【０１３９】
第１の関連づけ登録解除応答メッセージのメッセージタイプは応答であり、制御コマンドは登録解除であり、制御パラメータは成功識別子を含む。第１の関連づけ登録解除応答メッセージは、管理センターが車両がＩＴＳから登録解除するのを許可することを示すために使用され、それにより、車両は、管理センターとの制御関連づけを取り消す。
【０１４０】
さらに、管理センターが、車両がＩＴＳから登録解除するのを禁止するとき、ステップ５０２は、以下のステップ５０３で置換される。
【０１４１】
ステップ５０３：管理センターが第２の関連づけ登録解除応答メッセージを車両に送信する。
【０１４２】
第２の関連づけ登録解除応答メッセージのメッセージタイプは応答であり、制御コマンドは登録解除であり、制御パラメータは失敗識別子を含む。第２の関連づけ登録解除応答メッセージは、管理センターが車両がＩＴＳから登録解除するのを禁止する、すなわち、車両が管理センターとの制御関連づけを取り消すのを禁止することを示すために使用される。
【０１４３】
この出願のこの実施例で提供される方法によれば、管理センターは、車両要件又は現在のトラフィック環境に従って、交通システムに参加し又は交通システムを出るように車両を制御することにより、交通システムにおける車両を動的に管理することができる。したがって、リソース利用が改善されるだけでなく、交通システムにおける車両の動的に変化する要件も満たされる。
【０１４４】
図６は、この出願の実施例による別の車両外部通信方法の概略フローチャートである。図６に示されるように、管理センターにより送信された第１の関連づけ登録応答メッセージを受信した後、車両は、第１の関連づけ登録応答メッセージに従って管理センターとの制御関連づけを確立する。この出願のこの実施例において、制御関連づけは、車両が適用要求メッセージを管理センターに送信し、適用要求メッセージに従って管理センターにより送信された適用応答メッセージを受信することのうち１つを含む。制御関連づけは、以下のステップを具体的に含む。
【０１４５】
ステップ６０１：車両がユーザ更新要求メッセージを管理センターに送信する。
【０１４６】
一般に、車両ユーザは頻繁に変わり得る。例えば、ユーザＡが私用車をユーザＢに貸す場合、私用車のユーザはユーザＡからユーザＢに変わる。ユーザＡが私用車をユーザＢに貸すとき、ユーザＢがアイデンティティ認証なしに私用車を直接運転できる場合、いかなるユーザも私用車を使用する権利を有するのと等価であり、この場合、車両安全性が確保できない。
【０１４７】
この出願のこの実施例において、ＩＴＳにおける車両安全性を改善するために、管理センターは車両ユーザをまとめて管理し、管理センターにより認証されたユーザのみが、車両を使用する権利を有することができる。したがって、車両ユーザ情報が更新される必要があるとき、車両所有者が、車両ユーザ情報を更新するように車両に命令してもよい。具体的に、車両は、ユーザ更新要求メッセージを管理センターに送信する。ユーザ更新要求メッセージのメッセージタイプは要求であり、制御コマンドは更新であり、制御パラメータは車両識別子及びユーザ識別子を含む。ユーザ更新要求メッセージは、ユーザ識別子に対応するユーザが車両を使用する権利を有するのを要求することを示すために使用され、車両は、車両識別子に対応する車両である。
【０１４８】
ユーザ識別子の数量はこの出願のこの実施例で限定されないことが留意されるべきである。例えば、１つのユーザ識別子が存在してもよく、あるいは、車両の複数のユーザに関する情報を更新するために使用される１つより多くのユーザ識別子が存在してもよい。
【０１４９】
ステップ６０２：管理センターが第１のユーザ更新応答メッセージを車両に送信する。
【０１５０】
ユーザ更新要求メッセージを受信した後、管理センターは、ユーザ更新要求メッセージ内の車両識別子に従って、ユーザを更新するよう要求する車両を決定し、ユーザ識別子に従って、ユーザ識別子に対応するユーザを決定してもよく、さらに、ユーザのアイデンティティ情報に従って、ユーザが車両を使用するのを許可するかどうか、すなわち、ユーザが認証されているかどうかを決定する必要があってもよい。ユーザが認証されている場合、管理センターは、第１のユーザ更新応答メッセージを車両に送信する。
【０１５１】
第１のユーザ更新応答メッセージのメッセージタイプは応答であり、制御コマンドは更新であり、制御パラメータは成功識別子を含む。第１のユーザ更新応答メッセージは、ユーザ識別子に対応するユーザが車両を使用するのを許可されることを示すために使用される。
【０１５２】
さらに、ユーザが認証されていない場合、ステップ６０２は以下のステップ６０３で置換される。
【０１５３】
ステップ６０３：管理センターが第２のユーザ更新応答メッセージを車両に送信する。
【０１５４】
第２のユーザ更新応答メッセージのメッセージタイプは応答であり、制御コマンドは更新であり、制御パラメータは失敗識別子を含む。第２のユーザ更新応答メッセージは、ユーザ識別子に対応するユーザが車両を使用するのを管理デバイスが禁止することを示すために使用される。
【０１５５】
車両ユーザ更新要求メッセージを管理センターに送信するように車両に命令することに追加で、車両所有者又は所有者リスト内のユーザが、別のデバイスを使用することにより車両ユーザ更新要求メッセージを管理センターに送信し、あるいは車両ユーザ更新要求メッセージを管理センターに直接送信することができる。車両ユーザ更新要求メッセージを送信する具体的な実現方式は、この出願で具体的に限定されない。
【０１５６】
さらに、車両ユーザ情報は、ユーザの要求に追加で、管理センターの命令に基づいて更新されてもよい。具体的に、管理センターは、ユーザ識別子を含む車両ユーザ更新メッセージを車両に送信する。車両ユーザ更新命令メッセージの制御コマンドは更新であり、制御パラメータはユーザ識別子を含む。車両ユーザ更新メッセージは、ユーザ識別子に対応するユーザが車両を使用する権利を有するのを許可されることを示すために使用される。
【０１５７】
この出願のこの実施例で提供される方法によれば、管理センターは車両ユーザをまとめて管理し、管理センターにより認証されたユーザのみが車両を使用することができる。したがって、交通システムにおける車両安全性が改善できる。
【０１５８】
図７を参照し、図７は、この出願の実施例による別の車両外部通信方法の概略フローチャートである。図７に示されるように、管理センターにより送信された第１の関連づけ登録応答メッセージを受信した後、車両は、第１の関連づけ登録応答メッセージに従って管理センターとの制御関連づけを確立する。この出願のこの実施例において、制御関連づけは、車両が管理センターにより送信された適用要求メッセージを受信し、適用要求メッセージに従って適用応答メッセージを管理センターに送信することのうち１つを含む。制御関連づけは、以下のステップを具体的に含む。
【０１５９】
ステップ７０１：管理デバイスが問い合わせ要求メッセージを車両に送信する。
【０１６０】
管理センターは、ＩＴＳにおける制御センターであり、管理センター内の車両情報を同期させるために、車両情報を周期的に問い合わせる必要があってもよい。例えば、管理センターは、車両仕様情報又は車両状態情報を問い合わせる必要があってもよい。
【０１６１】
この出願のこの実施例において、管理センターは、問い合わせ要求メッセージを車両に送信する。問い合わせ要求メッセージのメッセージタイプは要求であり、制御コマンドは問い合わせであり、制御パラメータは車両識別子及び車両パラメータ識別子を含む。車両識別子は、問い合わせられる必要がある車両を決定するために使用され、車両パラメータ識別子は、問い合わせられる必要がある車両パラメータ、例えば、車両仕様情報、車両活動情報、又は車両状態情報を決定するために使用される。
【０１６２】
さらに、車両パラメータ識別子は、車両項目識別子又は車両サブ項目識別子を含んでもよい。車両サブ項目識別子は、車両項目識別子のサブ項目であり、すなわち、車両項目識別子に対応する車両パラメータは、車両サブ項目識別子に対応する車両パラメータを含む。例えば、車両項目識別子は、車両仕様識別子、車両活動識別子、及び車両状態識別子を含んでもよい。車両仕様識別子におけるサブ項目は、車両モデル識別子、積載量識別子、及び排気識別子を含んでもよい。車両活動識別子におけるサブ項目は、方向識別子、速度識別子、及び制動識別子を含んでもよい。車両状態識別子におけるサブ項目は、パワー部分識別子、ステアリング部分識別子、及びタイヤ部分識別子を含んでもよい。車両パラメータ識別子は、前述の車両項目識別子及び車両サブ項目識別子の任意の組み合わせを含んでもよい。例えば、車両パラメータ識別子が車両仕様識別子であるとき、車両パラメータ識別子は、車両モデルパラメータ、積載量パラメータ、及び排気パラメータを含む車両の全ての車両仕様情報が問い合わせられることを示すために使用される。車両パラメータ識別子が車両モデル識別子であるとき、車両パラメータ識別子は、車両の車両モデルパラメータが問い合わせられることを示すために使用される。車両モデルパラメータは、車両モデル識別子と、車両モデル識別子の値とを含む。積載量パラメータは、積載量識別子と、積載量識別子の値とを含む。排気パラメータは、排気識別子と、排気識別子の値とを含む。全ての車両情報が必ずしもサービス相互作用プロセスにおいて要求されるわけではないため、車両パラメータが車両項目識別子及び車両サブ項目識別子を使用することにより編成されるとき、通信リソース浪費が回避でき、通信効率が改善できる。
【０１６３】
ステップ７０２：車両が問い合わせ応答メッセージを管理センターに送信する。
【０１６４】
管理センターにより送信された問い合わせ要求メッセージを受信した後、車両は、問い合わせ応答メッセージを管理センターに送信する。問い合わせ応答メッセージのメッセージタイプは応答であり、制御コマンドは問い合わせであり、制御パラメータは、車両パラメータ識別子に対応する車両パラメータを含む。例えば、車両パラメータ識別子が積載量識別子であるとき、積載量識別子に対応する車両パラメータは、車両の積載トン、例えば、２トンでもよい。
【０１６５】
さらに、管理センターにより送信された問い合わせ要求メッセージを受信することに追加で、車両は、交通システムにおける別のトラフィック関与者により送信された問い合わせ要求メッセージを受信し、問い合わせ応答メッセージを該別のトラフィック関与者に送信してもよい。別のトラフィック関与者は、道路側インフラストラクチャ又は別の車両を含んでもよい。
【０１６６】
この出願のこの実施例で提供される方法によれば、管理センターは、要件に従って対応する車両情報を問い合わせて、車両情報に従って車両に対して対応する機能制御を実行し、あるいは車両情報に従って車両のための対応するサービスを提供することができる。
【０１６７】
この出願のこの実施例において、問い合わせ要求メッセージに基づいて車両情報を別のトラフィック関与者に受動的に送信することに追加で、車両は、通知メッセージを使用することにより車両情報を別のトラフィック関与者に能動的に送信してもよい。例えば、管理センターにより送信された第１の関連づけ登録応答メッセージを受信した後、車両は、第１の関連づけ登録応答メッセージに従って管理センターとの制御関連づけを確立する。この出願のこの実施例において、制御関連づけは、車両が通知メッセージを管理デバイスに送信することのうち１つを含む。具体的に、車両は、車両パラメータ識別子に対応する車両パラメータを含む通知メッセージを、交通システムにおける別のトラフィック関与者に送信する。通知メッセージは、別のトラフィック関与者に対して車両パラメータ識別子に対応する車両パラメータを同期させるよう命令するために使用される。
【０１６８】
この出願の任意的な実施例において、道路トラフィック活動に正常に関与するとき、車両は、第１の車両状態通知メッセージを交通システムにおける別のトラフィック関与者に周期的に送信してもよい。第１の車両状態通知メッセージの制御コマンドは通知であり、制御パラメータは、車両識別子、及び車両の共通部分の状態パラメータ、例えば、パワー部分パラメータ、ステアリング部分パラメータ、又はタイヤ部分パラメータを含む。別のトラフィック関与者は車両状態情報を周期的に通知され、それにより、交通システムにおける車両安全性が改善できる。例えば、管理センターは車両状態情報を周期的に通知され、それにより、管理センターは車両の動作状態を周期的に確認し、さらに、車両状態情報に基づいてメンテナンスアドバイスを与えてもよい。
【０１６９】
車両が警告部分又は故障部分を有するとき、車両は、第２の車両状態通知メッセージを通信システムにおける別のトラフィック関与者に直ちに送信する。第２の車両状態通知メッセージの制御コマンドは通知であり、制御パラメータは、車両識別子、及び車両の警告部分又は故障部分の状態パラメータを含む。例えば、車両のタイヤが大気圧に達していないとき、制御パラメータはタイヤ部分パラメータを含む。車両が警告部分又は故障部分を有するとき、車両は、警告部分又は故障部分の状態パラメータを別のトラフィック関与者に直ちに通知し、それにより、別のトラフィック関与者は、車両の故障情報を適時に（in  time）知ることができ、別のトラフィック関与者は、車両の故障情報に従って車両のための予防対策を提供し、例えば、車両の道路リソースをスケジュールし又は車両に道を譲って、車両が深刻な事故に遭遇する確率を低減する。
【０１７０】
車両状態情報を別の交通システムにおける別のトラフィック関与者に通知することに追加で、車両は、追跡記録情報を別のトラフィック関与者に通知してもよい。
【０１７１】
この出願の任意的な実施例において、道路トラフィック活動に関与するとき、車両は、道路リソース使用通知メッセージを交通システムにおける別のトラフィック関与者に送信する。道路リソース使用通知メッセージは、車両の追跡記録情報、例えば、車両により使用された道路のパラメータを含む。この出願のこの実施例で提供される方法によれば、車両は、車両により使用された道路に関する情報を別のトラフィック関与者に通知することができ、それにより、使用された道路は、別のトラフィック関与者により適時に使用され、道路リソース利用が改善される。
【０１７２】
さらに、通知メッセージの信頼性を改善するために、通知メッセージは、要求／応答メカニズムに基づいて交通システムにおける情報交換に関与してもよい。図８を参照し、図８は、この出願の実施例による別の車両外部通信方法の概略フローチャートである。図８に示されるように、管理センターにより送信された第１の関連づけ登録応答メッセージを受信した後、車両は、第１の関連づけ登録応答メッセージに従って管理センターとの制御関連づけを確立する。この出願のこの実施例において、制御関連づけは以下のステップを含む。
【０１７３】
ステップ８０１：車両が通知要求メッセージを管理センターに送信する。
【０１７４】
この出願のこの実施例において、車両は、通知要求メッセージを管理センターに能動的に送信して、管理センターに対して車両の車両情報を同期させることができ、それにより、管理センターは、管理センターに記憶された車両情報を適時に更新する。
【０１７５】
通知要求メッセージのメッセージタイプは要求であり、制御コマンドは通知であり、制御パラメータは車両識別子及び車両パラメータを含む。通知要求メッセージは、車両識別子に対応する車両が管理デバイスに対して車両パラメータを同期させるよう要求することを示すために使用される。車両識別子は、通知要求メッセージを送信する車両を示すために使用される。車両パラメータについては、図７に示される実施例における車両パラメータを参照する。簡潔さのため、詳細は再度ここで説明されない。
【０１７６】
ステップ８０２：管理センターが第１の通知応答メッセージを車両に送信する。
【０１７７】
車両により送信された通知要求メッセージを受信した後、管理センターは、車両パラメータの通知状態を車両にフィードバックしてもよい。
【０１７８】
車両パラメータ通知が成功したとき、管理センターは、第１の通知応答メッセージを車両に送信する。第１の通知応答メッセージのメッセージタイプは応答であり、制御コマンドは通知であり、制御パラメータは成功識別子である。第１の通知応答メッセージは、管理センターが車両パラメータを受信するのに成功した車両を通知するために使用される。
【０１７９】
車両パラメータ通知が失敗したとき、ステップ８０２は、以下のステップ８０３で置換される。
【０１８０】
ステップ８０３：管理センターが第２の通知応答メッセージを車両に送信する。
【０１８１】
第２の通知応答メッセージのメッセージタイプは応答であり、制御コマンドは通知であり、制御パラメータは失敗識別子である。第２の通知応答メッセージは、管理センターが車両パラメータを受信するのに失敗した車両を通知するために使用され、車両は、さらなる救済対策を行ってもよく、例えば、通知要求メッセージを再送信してもよい。
【０１８２】
前述の技術的解決策は、この出願のこの実施例における好適な実現方式に過ぎず、この出願の保護範囲に対する限定とみなされるべきでない。例えば、通知要求メッセージを受信した後、管理センターは、通知応答メッセージを車両に送信しなくてもよい。この場合、この出願の発明目的は依然として達成でき、差は、要求／応答が交換メカニズムがメッセージ信頼性を改善できることに過ぎない。
【０１８３】
この出願のこの実施例で提供される方法によれば、車両は、通知メッセージを管理センターに能動的に送信して、管理センターに対して車両の車両情報を同期させることができ、それにより、管理センターは、管理センターに記憶された車両情報を適時に更新する。
【０１８４】
図９を参照し、図９は、この出願の実施例による別の車両外部通信方法の概略フローチャートである。図９に示されるように、管理センターにより送信された第１の関連づけ登録応答メッセージを受信した後、車両は、第１の関連づけ登録応答メッセージに従って管理センターとの制御関連づけを確立する。この出願のこの実施例において、制御関連づけは、車両が適用要求メッセージを管理センターに送信し、適用要求メッセージに従って管理センターにより送信された適用応答メッセージを受信することのうち１つを含む。制御関連づけは、以下のステップを具体的に含む。
【０１８５】
ステップ９０１：車両が道路リソース割り当て要求メッセージを管理センターに送信する。
【０１８６】
この出願の任意的な実施例において、車両は、移動経路計画サービス又は道路リソーススケジューリングサービスのような道路リソース割り当てサービスを管理センターに申請してもよい。対応して、道路リソース割り当て要求メッセージは、移動経路計画要求メッセージ、道路リソーススケジューリング要求メッセージなどでもよい。
【０１８７】
道路リソース割り当て要求メッセージのメッセージタイプは要求であり、制御コマンドは申請であり、制御パラメータは車両識別子及び道路制約情報を含む。道路リソース割り当て要求メッセージは、車両が管理デバイスに、道路制約情報に従って道路リソースを車両に割り当てるよう要求することを示すために使用される。車両識別子は、道路リソース割り当てサービスを申請した車両を示すために使用され、道路制約情報は、管理センターが道路を選択するときに使用される制約条件である。
【０１８８】
例えば、図１０Ａは、車両１００１及び道路Ｌ１〜Ｌ６を示す。開始点Ａから目的地Ｂに移動するよう計画するとき、車両１００１は、移動経路計画要求メッセージを管理センターに送信してもよい。移動経路計画要求メッセージの道路制約情報は、開始点Ａの座標及び目的地Ｂの座標を含む。
【０１８９】
ステップ９０２：管理センターが第１の道路リソース割り当て応答メッセージを車両に送信する。
【０１９０】
道路リソース割り当て要求メッセージを受信した後、管理センターは、道路リソース割り当て要求メッセージ内の車両識別子に従って、道路リソース割り当て申請を要求した車両を決定し、現在の道路リソースから道路制約情報の要件を満たす道路を選択し、道路リソース割り当て情報を生成し、道路リソース割り当て情報を車両に送信してもよく、それにより、車両は、管理センターにより車両に割り当てられた道路に関する情報を取得する。
【０１９１】
第１の道路リソース割り当て応答メッセージのメッセージタイプは応答であり、制御コマンドは申請であり、制御パラメータは成功識別子及び道路リソース割り当て情報を含む。成功識別子は、管理センターが道路リソースを車両に割り当てるのに成功したことを示すために使用される。道路リソース割り当て情報は、管理センターにより車両に割り当てられた道路に関する情報、例えば、道路コード、又は、計画されたウェイポイントの時間座標シーケンス及び空間座標シーケンスのうち１つ若しくは組み合わせを含む。
【０１９２】
第１の道路リソース割り当て応答メッセージを受信した後、車両は、道路リソース割り当て情報内の道路情報に従って移動し、同時に追跡記録情報を保存してもよい。追跡記録情報は、車両の実際の移動ルートを記録するために使用され、管理センターに通知し又は管理センターにより問い合わせられるように、実際のウェイポイントの時間座標シーケンス及び空間座標シーケンスのうち１つ又は組み合わせを含む。
【０１９３】
例えば、図１０Ａに示される車両１００１により送信された移動経路計画要求メッセージを受信した後、管理センターは、道路Ｌ１〜Ｌ６内で車両１００１の移動経路を計画する。具体的に、管理センターは、図１０Ｂにおいて網掛け部分で示されるように、開始点Ａの座標及び目的地Ｂの座標に従って道路Ｌ６、Ｌ５、Ｌ３、及びＬ４を車両に割り当てる。さらに、管理センターは、第１の道路リソース割り当て応答メッセージを車両１００１に送信する。第１の道路リソース割り当て応答メッセージの制御パラメータは道路Ｌ６、Ｌ５、Ｌ３、及びＬ４を含み、それにより、車両は、道路Ｌ６‐Ｌ５‐Ｌ３‐Ｌ４に沿って開始点Ａから目的地Ｂに移動する。
【０１９４】
さらに、道路制約情報を満たす道路リソースがないか、あるいは車両が申請した道路リソースが別の車両のものと競合するとき、管理センターは、道路リソースを車両に割り当てるのに失敗し得る。この場合、ステップ９０２は、以下のステップ９０３で置換される。
【０１９５】
ステップ９０３：管理センターが第２の道路リソース割り当て応答メッセージを車両に送信する。
【０１９６】
第２の道路リソース割り当て応答メッセージのメッセージタイプは応答であり、制御コマンドは申請であり、制御パラメータは失敗識別子を含み、道路リソース割り当てが何故失敗したかの原因の説明をさらに含んでもよい。第２の道路リソース割り当て応答メッセージは、管理デバイスが道路リソースを車両に割り当てるのに失敗したことを示すために使用される。
【０１９７】
この出願のこの実施例で提供される方法によれば、管理センターは、車両要件に基づいて道路リソースを車両に適切に割り当てて、交通システムにおける道路リソース利用を改善し、車両の通過効率を改善することができる。
【０１９８】
この出願の任意的な実施例において、管理センターにより送信された第１の道路リソース割り当て応答メッセージを受信した後、車両は、管理センターにより車両に割り当てられた道路をもはや移動する必要がない可能性がある。その場合、道路リソース浪費を回避するために、車両は管理センターに、管理センターにより車両に割り当てられた道路を解放するよう要求してもよい。
【０１９９】
管理センターが、車両により使用された道路を直ちに解放することができるため、車両は管理センターに、車両により使用されない道路のみを解放するよう要求する必要がある。具体的に、車両は、道路リソース解放メッセージを管理デバイスに送信する。道路リソース解放メッセージの制御コマンドは解放であり、制御パラメータは車両識別子及び追跡記録情報を含み、それにより、管理デバイスは、追跡記録情報に従って、道路リソース割り当て情報内の使用されない道路を解放する。追跡記録情報は、車両により使用された道路のパラメータを含んでもよい。
【０２００】
例えば、図１０Ｂに示される車両１００１が、管理センターにより車両１００１に割り当てられた道路Ｌ６、Ｌ５、Ｌ３、及びＬ４を移動するとき、車両１００１は、移動計画を変更する必要があり、すなわち、車両１００１は、もはや目的地Ｂに到達する必要がない。道路リソース浪費を回避するために、車両１００１は、道路リソース解放メッセージを管理センターに送信する。車両の現在位置が図１０Ｃに示される、すなわち、車両１００１が道路Ｌ６及びＬ５を使用したと仮定し、車両の追跡記録情報は、道路Ｌ６及びＬ５を含む。したがって、管理センターは、追跡記録情報に従って、使用されない道路Ｌ３及びＬ４を解放してもよい。
【０２０１】
この出願のこの実施例で提供される方法によれば、車両は、車両が必要としない道路リソースを適時に解放して、道路リソース利用を改善することができる。
【０２０２】
この出願のこの実施例で提供され、交通システムにおける車両に適用される車両外部通信方法に対応して、この出願の実施例は、交通システムにおける車両に適用される車両外部通信装置をさらに提供する。
【０２０３】
図１１を参照し、図１１は、この出願の実施例による車両外部通信装置の概略構造図である。車両外部通信装置１１００は、関連づけ登録要求メッセージ送信モジュール１１１０、関連づけ登録応答メッセージ受信モジュール１１２０、及び制御関連づけモジュール１１３０を含む。関連づけ登録応答メッセージ受信モジュール１１２０は、第１の関連づけ登録応答メッセージ受信モジュール１１２１又は第２の関連づけ登録応答メッセージ受信モジュール１１２２を含む。
【０２０４】
関連づけ登録要求メッセージ送信モジュール１１１０は、関連づけ登録要求メッセージを管理デバイスに送信するように構成される。関連づけ登録要求メッセージは、車両が制御関連づけモジュール１１３０を使用することにより管理デバイスとの制御関連づけを確立するのを要求することを示すために使用され、制御関連づけは、車両が適用要求メッセージを管理デバイスに送信し、適用要求メッセージに従って管理デバイスにより送信された適用応答メッセージを受信すること、車両が管理デバイスにより送信された適用要求メッセージを受信し、適用要求メッセージに従って適用応答メッセージを管理デバイスに送信すること、車両が通知メッセージを管理デバイスに送信すること、又は車両が管理デバイスにより送信された通知メッセージを受信することのうち１つを含む。
【０２０５】
第１の関連づけ登録応答メッセージ受信モジュール１１２１は、管理デバイスにより送信され且つ成功識別子を含む第１の関連づけ登録応答メッセージを受信し、第１の関連づけ登録応答メッセージに従って管理デバイスとの制御関連づけを確立するように構成される。第１の関連づけ登録応答メッセージは、車両が管理デバイスとの制御関連づけを確立するのを許可されることを示すために使用される。
【０２０６】
第２の関連づけ登録応答メッセージ受信モジュール１１２２は、管理デバイスにより送信され且つ失敗識別子を含む第２の関連づけ登録応答メッセージを受信するように構成される。第２の関連づけ登録応答メッセージは、車両が管理デバイスとの制御関連づけを確立するのを禁止されることを示すために使用される。
【０２０７】
この出願の任意的な実施例において、制御関連づけモジュール１１３０は、関連づけ登録解除要求メッセージ送信サブモジュール及び関連づけ登録解除応答メッセージ受信サブモジュールを含む。関連づけ登録解除応答メッセージ受信サブモジュールは、第１の関連づけ登録解除応答メッセージ受信サブモジュール又は第２の関連づけ登録解除応答メッセージ受信サブモジュールを含む。
【０２０８】
関連づけ登録解除要求メッセージ送信サブモジュールは、関連づけ登録解除要求メッセージを管理デバイスに送信するように構成される。関連づけ登録解除要求メッセージは、車両が管理デバイスとの制御関連づけを取り消すのを要求することを示すために使用される。
【０２０９】
第１の関連づけ登録解除応答メッセージ受信サブモジュールは、管理デバイスにより送信され且つ成功識別子を含む第１の関連づけ登録解除応答メッセージを受信し、第１の関連づけ登録解除応答メッセージに従って管理デバイスとの制御関連づけを取り消すように構成される。第１の関連づけ登録解除応答メッセージは、車両が管理デバイスとの制御関連づけを取り消すのを許可されることを示すために使用される。
【０２１０】
第２の関連づけ登録解除応答メッセージ受信サブモジュールは、管理デバイスにより送信され且つ失敗識別子を含む第２の関連づけ登録解除応答メッセージを受信するように構成される。第２の関連づけ登録解除応答メッセージは、車両が管理デバイスとの制御関連づけを取り消すのを禁止されることを示すために使用される。
【０２１１】
この出願の任意的な実施例において、制御関連づけモジュール１１３０は、ユーザ更新要求メッセージ送信サブモジュール及びユーザ更新応答メッセージ受信サブモジュールを含む。ユーザ更新応答メッセージ受信サブモジュールは、第１のユーザ更新応答メッセージ受信サブモジュール又は第２のユーザ更新応答メッセージ受信サブモジュールを含む。
【０２１２】
ユーザ更新要求メッセージ送信サブモジュールは、ユーザ識別子を含むユーザ更新要求メッセージを管理デバイスに送信するように構成される。ユーザ更新要求メッセージは、ユーザ識別子に対応するユーザが車両を使用するのを要求することを示すために使用される。
【０２１３】
第１のユーザ更新応答メッセージ受信サブモジュールは、管理デバイスにより送信され且つ成功識別子を含む第１のユーザ更新応答メッセージを受信するように構成される。第１のユーザ更新応答メッセージは、ユーザ識別子に対応するユーザが車両を使用するのを管理デバイスが許可することを示すために使用される。
【０２１４】
第２のユーザ更新応答メッセージ受信サブモジュールは、管理デバイスにより送信され且つ失敗識別子を含む第２のユーザ更新応答メッセージを受信するように構成される。第２のユーザ更新応答メッセージは、ユーザ識別子に対応するユーザが車両を使用するのを管理デバイスが禁止することを示すために使用される。
【０２１５】
この出願の任意的な実施例において、制御関連づけモジュール１１３０は、ユーザ更新メッセージ受信サブモジュールを含む。ユーザ更新メッセージ受信サブモジュールは、管理デバイスにより送信され且つユーザ識別子を含むユーザ更新メッセージを受信するように構成される。ユーザ更新メッセージは、ユーザ識別子に対応するユーザが車両を使用するのを許可されることを示すために使用される。
【０２１６】
この出願の任意的な実施例において、制御関連づけモジュール１１３０は、問い合わせ要求メッセージ受信サブモジュール及び問い合わせ応答メッセージ送信サブモジュールを含む。
【０２１７】
問い合わせ要求メッセージ受信サブモジュールは、管理デバイスにより送信され且つ車両パラメータ識別子を含む問い合わせ要求メッセージを受信するように構成される。
【０２１８】
問い合わせ応答メッセージ送信サブモジュールは、問い合わせ応答メッセージを管理デバイスに送信するように構成される。問い合わせ応答メッセージは、車両パラメータ識別子に対応する車両パラメータを含む。
【０２１９】
この出願の任意的な実施例において、制御関連づけモジュール１１３０は、通知メッセージ送信サブモジュールを含む。通知メッセージ送信サブモジュールは、車両パラメータ識別子に対応する車両パラメータを含む通知メッセージを管理デバイスに送信するように構成される。通知メッセージは、管理デバイスに対して車両パラメータ識別子に対応する車両パラメータを同期させるよう命令するために使用される。
【０２２０】
この出願の任意的な実施例において、通知メッセージ送信サブモジュールは、第１の車両状態通知メッセージ送信サブモジュール又は第２の車両状態通知メッセージ送信サブモジュールを含む。
【０２２１】
第１の車両状態通知メッセージ送信サブモジュールは、第１の車両状態通知メッセージを管理デバイスに送信するように構成される。第１の車両状態通知メッセージは、車両の共通部分の状態パラメータを含む。
【０２２２】
第２の車両状態通知メッセージ送信サブモジュールは、第２の車両状態通知メッセージを管理デバイスに送信するように構成される。第２の車両状態通知メッセージは、車両の警告部分又は故障部分の状態パラメータを含む。
【０２２３】
この出願の任意的な実施例において、通知メッセージ送信サブモジュールは、道路リソース使用通知メッセージ送信サブモジュールを含む。道路リソース使用通知メッセージ送信サブモジュールは、道路リソース使用通知メッセージを管理デバイスに送信するように構成される。道路リソース使用通知メッセージは、車両により使用された道路のパラメータを含む。
【０２２４】
この出願の任意的な実施例において、制御関連づけモジュール１１３０は、道路リソース割り当て要求メッセージ送信サブモジュール及び道路リソース割り当て応答メッセージ受信サブモジュールを含む。道路リソース割り当て応答メッセージ受信サブモジュールは、第１の道路リソース割り当て応答メッセージ受信サブモジュール又は第２の道路リソース割り当て応答メッセージ受信サブモジュールを含む。
【０２２５】
道路リソース割り当て要求メッセージ送信サブモジュールは、道路制約情報を含む道路リソース割り当て要求メッセージを管理デバイスに送信するように構成される。道路リソース割り当て要求メッセージは、車両が管理デバイスに、道路制約情報に従って道路リソースを車両に割り当てるよう要求することを示すために使用される。
【０２２６】
第１の道路リソース割り当て応答メッセージ受信サブモジュールは、管理デバイスにより送信され且つ成功識別子及び道路リソース割り当て情報を含む第１の道路リソース割り当て応答メッセージを受信するように構成される。第１の道路リソース割り当て応答メッセージは、管理デバイスが道路リソースを車両に割り当てるのに成功したことを示すために使用され、それにより、車両は道路リソース割り当て情報を取得する。
【０２２７】
第２の道路リソース割り当て応答メッセージ受信サブモジュールは、管理デバイスにより送信され且つ失敗識別子を含む第２の道路リソース割り当て応答メッセージを受信するように構成される。第２の道路リソース割り当て応答メッセージは、管理デバイスが道路リソースを車両に割り当てるのに失敗したことを示すために使用される。
【０２２８】
この出願の任意的な実施例において、制御関連づけモジュール１１３０は、道路リソース解放メッセージ送信サブモジュールをさらに含む。道路リソース解放メッセージ送信サブモジュールは、道路リソース解放メッセージを管理デバイスに送信するように構成される。道路リソース解放メッセージは管理デバイスに、道路リソース割り当て情報内の使用されない道路を解放するよう命令するために使用される。
【０２２９】
この出願の任意的な実施例において、関連づけ登録要求メッセージ送信モジュールは、管理デバイスアイデンティティ情報取得サブモジュール及び関連づけ登録要求メッセージ送信サブモジュールを含む。
【０２３０】
管理デバイスアイデンティティ情報取得サブモジュールは、管理デバイスアイデンティティ情報を取得するように構成される。
【０２３１】
関連づけ登録要求メッセージ送信サブモジュールは、関連づけ登録要求メッセージを管理デバイスアイデンティティ情報に対応する管理デバイスに送信するように構成される。
【０２３２】
この出願の実施例で提供され、交通システムにおける管理センターに適用される車両外部通信方法に対応して、この出願の実施例は、交通システムにおける管理センターに適用される別の車両外部通信装置をさらに提供する。
【０２３３】
図１２を参照し、図１２は、この出願の実施例による別の車両外部通信装置の概略構造図である。車両外部通信装置１２００は、関連づけ登録要求メッセージ受信モジュール１２１０、関連づけ登録応答メッセージ送信モジュール１２２０、及び制御関連づけモジュール１２３０を含む。関連づけ登録応答メッセージ送信モジュール１２２０は、第１の関連づけ登録応答メッセージ送信モジュール１２２１又は第２の関連づけ登録応答メッセージ送信モジュール１２２２を含む。
【０２３４】
関連づけ登録要求メッセージ受信モジュール１２１０は、車両により送信された関連づけ登録要求メッセージを受信するように構成される。関連づけ登録要求メッセージは、車両が制御関連づけモジュール１２３０を使用することにより管理デバイスとの制御関連づけを確立するのを要求することを示すために使用され、制御関連づけは、管理デバイスが車両により送信された適用要求メッセージを受信し、適用要求メッセージに従って適用応答メッセージを車両に送信すること、管理デバイスが適用要求メッセージを車両に送信し、適用要求メッセージに従って車両により送信された適用応答メッセージを受信すること、管理デバイスが車両により送信された通知メッセージを受信すること、又は管理デバイスが通知メッセージを車両に送信することのうち１つを含む。
【０２３５】
第１の関連づけ登録応答メッセージ送信モジュールは、成功識別子を含む第１の関連づけ登録応答メッセージを車両に送信するように構成され、それにより、車両は、第１の関連づけ登録応答メッセージに従って管理デバイスとの制御関連づけを確立する。第１の関連づけ登録応答メッセージは、車両が管理デバイスとの制御関連づけを確立するのを許可されることを示すために使用される。
【０２３６】
第２の関連づけ登録応答メッセージ送信モジュールは、失敗識別子を含む第２の関連づけ登録応答メッセージを車両に送信するように構成される。第２の関連づけ登録応答メッセージは、車両が管理デバイスとの制御関連づけを確立するのを禁止されることを示すために使用される。
【０２３７】
この出願の任意的な実施例において、制御関連づけモジュール１２３０は、関連づけ登録解除要求メッセージ受信サブモジュール及び関連づけ登録解除応答メッセージ送信サブモジュールを含む。関連づけ登録解除応答メッセージ送信サブモジュールは、第１の関連づけ登録解除応答メッセージ送信サブモジュール又は第２の関連づけ登録解除応答メッセージ送信サブモジュールを含む。
【０２３８】
関連づけ登録解除要求メッセージ受信サブモジュールは、車両により送信された関連づけ登録解除要求メッセージを受信するように構成される。関連づけ登録解除要求メッセージは、車両が管理デバイスとの制御関連づけを取り消すのを要求することを示すために使用される。
【０２３９】
第１の関連づけ登録解除応答メッセージ送信サブモジュールは、成功識別子を含む第１の関連づけ登録解除応答メッセージを車両に送信するように構成され、それにより、車両は、第１の関連づけ登録解除応答メッセージに従って管理デバイスとの制御関連づけを取り消す。第１の関連づけ登録解除応答メッセージは、車両が管理デバイスとの制御関連づけを取り消すのを許可されることを示すために使用される。
【０２４０】
第２の関連づけ登録解除応答メッセージ送信サブモジュールは、失敗識別子を含む第２の関連づけ登録解除応答メッセージを車両に送信するように構成される。第２の関連づけ登録解除応答メッセージは、車両が管理デバイスとの制御関連づけを取り消すのを禁止されることを示すために使用される。
【０２４１】
この出願の任意的な実施例において、制御関連づけモジュール１２３０は、ユーザ更新要求メッセージ受信サブモジュール及びユーザ更新応答メッセージ送信サブモジュールを含む。ユーザ更新応答メッセージ送信サブモジュールは、第１のユーザ更新応答メッセージ送信サブモジュール又は第２のユーザ更新応答メッセージ送信サブモジュールを含む。
【０２４２】
ユーザ更新要求メッセージ受信サブモジュールは、車両により送信され且つユーザ識別子を含むユーザ更新要求メッセージを受信するように構成される。ユーザ更新要求メッセージは、ユーザ識別子に対応するユーザが車両を使用するのを要求することを示すために使用される。
【０２４３】
第１のユーザ更新応答メッセージ送信サブモジュールは、成功識別子を含む第１のユーザ更新応答メッセージを車両に送信するように構成される。第１のユーザ更新応答メッセージは、ユーザ識別子に対応するユーザが車両を使用するのを管理デバイスが許可することを示すために使用される。
【０２４４】
第２のユーザ更新応答メッセージ送信サブモジュールは、失敗識別子を含む第２のユーザ更新応答メッセージを車両に送信するように構成され、第２のユーザ更新応答メッセージは、ユーザ識別子に対応するユーザが車両を使用するのを管理デバイスが禁止することを示すために使用される。
【０２４５】
この出願の任意的な実施例において、制御関連づけモジュール１２３０は、ユーザ更新メッセージ送信サブモジュールを含む。ユーザ更新メッセージ送信サブモジュールは、ユーザ識別子を含むユーザ更新メッセージを車両に送信するように構成される。ユーザ更新メッセージは、ユーザ識別子に対応するユーザが車両を使用するのを許可されることを示すために使用される。
【０２４６】
この出願の任意的な実施例において、制御関連づけモジュールは、問い合わせ要求メッセージ送信サブモジュール及び問い合わせ応答メッセージ受信サブモジュールを含む。
【０２４７】
問い合わせ要求メッセージ送信サブモジュールは、問い合わせ要求メッセージを車両に送信するように構成される。
【０２４８】
問い合わせ応答メッセージ受信サブモジュールは、車両により送信された問い合わせ応答メッセージを受信するように構成される。問い合わせ応答メッセージは、車両パラメータ識別子に対応する車両パラメータを含む。
【０２４９】
この出願の任意的な実施例において、制御関連づけモジュールは、通知メッセージ受信サブモジュールを含む。通知メッセージ受信サブモジュールは、車両により送信され且つ車両パラメータ識別子に対応する車両パラメータを含む通知メッセージを受信するように構成される。通知メッセージは、管理デバイスに対して車両パラメータ識別子に対応する車両パラメータを同期させるよう命令するために使用される。
【０２５０】
この出願の任意的な実施例において、通知メッセージ受信サブモジュールは、第１の車両状態通知メッセージ受信サブモジュール又は第２の車両状態通知メッセージ受信サブモジュールを含む。
【０２５１】
第１の車両状態通知メッセージ受信サブモジュールは、車両により送信された第１の車両状態通知メッセージを受信するように構成される。第１の車両状態通知メッセージは、車両の共通部分の状態パラメータを含む。
【０２５２】
第２の車両状態通知メッセージ受信サブモジュールは、車両により送信された第２の車両状態通知メッセージを受信するように構成される。第２の車両状態通知メッセージは、車両の警告部分又は故障部分の状態パラメータを含む。
【０２５３】
この出願の任意的な実施例において、通知メッセージ受信サブモジュールは、道路リソース使用通知メッセージ受信サブモジュールを含む。道路リソース使用通知メッセージ受信サブモジュールは、車両により送信された道路リソース使用通知メッセージを受信するように構成される。道路リソース使用通知メッセージは、車両により使用された道路のパラメータを含む。
【０２５４】
この出願の任意的な実施例において、制御関連づけモジュール１２３０は、道路リソース割り当て要求メッセージ受信サブモジュール及び道路リソース割り当て応答メッセージ送信サブモジュールを含む。道路リソース割り当て応答メッセージ送信サブモジュールは、第１の道路リソース割り当て応答メッセージ送信サブモジュール又は第２の道路リソース割り当て応答メッセージ送信サブモジュールを含む。
【０２５５】
道路リソース割り当て要求メッセージ受信サブモジュールは、車両により送信され且つ道路制約情報を含む道路リソース割り当て要求メッセージを受信するように構成される。道路リソース割り当て要求メッセージは、車両が管理デバイスに、道路制約情報に従って道路リソースを車両に割り当てるよう要求することを示すために使用される。
【０２５６】
第１の道路リソース割り当て応答メッセージ送信サブモジュールは、成功識別子及び道路リソース割り当て情報を含む第１の道路リソース割り当て応答メッセージを車両に送信するように構成される。第１の道路リソース割り当て応答メッセージは、管理デバイスが道路リソースを車両に割り当てるのに成功したことを示すために使用され、それにより、車両は、道路リソース割り当て情報を取得する。
【０２５７】
第２の道路リソース割り当て応答メッセージ送信サブモジュールは、失敗識別子を含む第２の道路リソース割り当て応答メッセージを車両に送信するように構成される。第２の道路リソース割り当て応答メッセージは、管理デバイスが道路リソースを車両に割り当てるのに失敗したことを示すために使用される。
【０２５８】
この出願の任意的な実施例において、制御関連づけモジュール１２３０は、道路リソース解放メッセージ受信サブモジュールをさらに含む。道路リソース解放メッセージ受信サブモジュールは、車両により送信された道路リソース解放メッセージを受信するように構成される。道路リソース解放メッセージは管理デバイスに、道路リソース割り当て情報内の使用されない道路を解放するよう命令するために使用される。
【０２５９】
この出願における、車両に適用される車両外部通信方法に対応して、この出願の実施例は、車両をさらに提供する。
【０２６０】
図１３を参照し、図１３は、この出願の実施例による車両の概略構造図である。車両１３００は、プロセッサ１３０１、メモリ１３０２、及び通信ユニット１３０３を含み得る。これらのコンポーネントは、１つ以上のバスを使用することにより通信する。当業者は、図に示されるサーバの構造がこの出願に対する限定を構成しないことを理解し得る。構造は、バス構造でもよく、あるいはスター構造でもよく、あるいはさらに、図に示されるものよりもより多くの又はより少ないコンポーネントを含み、あるいはいくつかのコンポーネントを組み合わせ、あるいは異なるコンポーネント配置を有してもよい。
【０２６１】
通信ユニット１３０３は、通信チャネルを確立し、それにより記憶デバイスが別のデバイスと通信でき、別のデバイスにより送信されたユーザデータを受信し、あるいはユーザデータを別のデバイスに送信するように構成される。
【０２６２】
プロセッサ１３０１は、記憶デバイスの制御センターであり、様々なインターフェース及びラインを使用することにより電子デバイス全体の様々な部分に接続し、メモリ１３０２に記憶されたソフトウェアプログラム及び／又はモジュールを起動又は実行することとメモリに記憶されたデータを呼び出すこととにより電子デバイスの様々な機能及び／又はデータ処理を実行する。プロセッサは、集積回路（Integrated  Circuit、略称ＩＣ）を含んでもよく、例えば、単一のパッケージ化ＩＣを含んでもよく、あるいは同じ機能又は異なる機能を有する複数のパッケージ化ＩＣを含んでもよい。例えば、プロセッサ１３０１は、中央処理ユニット（Central  Processing  Unit、略称ＣＰＵ）のみを含んでもよい。この出願のこの実現方式において、ＣＰＵは、単一の計算コアでもよく、あるいは複数の計算コアを含んでもよい。
【０２６３】
メモリ１３０２は、プロセッサ１３０１の実行命令を記憶するように構成される。メモリ１３０２は、任意のタイプの揮発若しくは不揮発記憶デバイス又はこれらの組み合わせ、例えば、スタティックランダムアクセスメモリ（ＳＲＡＭ）、電気的消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気ディスク、又は光ディスクにより実現されてもよい。
【０２６４】
メモリ１３０２内の実行命令がプロセッサ１３０１により実行されたとき、車両１３００は、車両に適用される車両外部通信方法の一部又は全てのステップを実行することができる。
【０２６５】
図１４を参照し、図１４は、この出願の実施例による管理センターの概略構造図である。管理センター１４００は、プロセッサ１４０１、メモリ１４０２、及び通信ユニット１４０３を含み得る。これらのコンポーネントは、１つ以上のバスを使用することにより通信する。当業者は、図に示されるサーバの構造がこの出願に対する限定を構成しないことを理解し得る。構造は、バス構造でもよく、あるいはスター構造でもよく、あるいはさらに、図に示されるものよりもより多くの又はより少ないコンポーネントを含み、あるいはいくつかのコンポーネントを組み合わせ、あるいは異なるコンポーネント配置を有してもよい。
【０２６６】
通信ユニット１４０３は、通信チャネルを確立し、それにより記憶デバイスが別のデバイスと通信でき、別のデバイスにより送信されたユーザデータを受信し、あるいはユーザデータを別のデバイスに送信するように構成される。
【０２６７】
プロセッサ１４０１は、記憶デバイスの制御センターであり、様々なインターフェース及びラインを使用することにより電子デバイス全体の様々な部分に接続し、メモリ１４０２に記憶されたソフトウェアプログラム及び／又はモジュールを起動又は実行することとメモリに記憶されたデータを呼び出すこととにより電子デバイスの様々な機能及び／又はデータ処理を実行する。プロセッサは、集積回路（Integrated  Circuit、略称ＩＣ）を含んでもよく、例えば、単一のパッケージ化ＩＣを含んでもよく、あるいは同じ機能又は異なる機能を有する複数のパッケージ化ＩＣを含んでもよい。例えば、プロセッサ１４０１は、中央処理ユニット（Central  Processing  Unit、略称ＣＰＵ）のみを含んでもよい。この出願のこの実現方式において、ＣＰＵは、単一の計算コアでもよく、あるいは複数の計算コアを含んでもよい。
【０２６８】
メモリ１４０２は、プロセッサ１４０１の命令を記憶するように構成される。メモリ１４０２は、任意のタイプの揮発若しくは不揮発記憶デバイス又はこれらの組み合わせ、例えば、スタティックランダムアクセスメモリ（ＳＲＡＭ）、電気的消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気ディスク、又は光ディスクにより実現されてもよい。
【０２６９】
メモリ１４０２内の実行命令がプロセッサ１４０１により実行されたとき、車両１４００は、管理センターに適用される車両外部通信方法の一部又は全てのステップを実行することができる。
【０２７０】
具体的な実現方式において、本発明の実施例はコンピュータ記憶媒体をさらに提供し、コンピュータ記憶媒体はプログラムを記憶してもよく、プログラムが実行されたとき、本発明で提供される呼び出し方法の実施例の一部又は全てのステップが実行され得る。前述の記憶媒体は、磁気ディスク、光ディスク、読取専用メモリ（read-only  memory、略称ＲＯＭ）、又はランダムアクセスメモリ（random  access  memory、略称ＲＡＭ）を含んでもよい。
【０２７１】
当業者は、本発明の実施例における技術が、必要な一般的ハードウェアプラットフォームに追加でソフトウェアにより実現されてもよいことを明らかに理解し得る。こうした理解に基づき、本質的に本発明の実施例における技術的解決策又は従来技術に貢献する部分は、ソフトウェア製品の形式で実現されてもよい。ソフトウェア製品は、ＲＯＭ／ＲＡＭ、ハードディスク、又は光ディスクのような記憶媒体に記憶され、本発明の実施例で説明された方法又は実施例のいくつかの部分を実行するようにコンピュータデバイス（これは、パーソナルコンピュータ、サーバ、又はネットワークデバイスでもよい）に命令するためのいくつかの命令を含む。
【０２７２】
この明細書における実施例の同一又は同様の部分について、これらの実施例を参照する。特に、装置及び端末の実施例は方法の実施例と基本的に同様であり、したがって簡潔に説明される。関連部分について、方法の実施例における部分的説明を参照する。
【０２７３】
本発明の前述の実現方式は、本発明の保護範囲を限定しない。
【図１】
2019527886.tif 000003
【図２】
2019527886.tif 000004
【図３】
2019527886.tif 000005
【図４】
2019527886.tif 000006
【図５】
2019527886.tif 000007
【図６】
2019527886.tif 000008
【図７】
2019527886.tif 000009
【図８】
2019527886.tif 000010
【図９】
2019527886.tif 000011
【図１０Ａ】
2019527886.tif 000012
【図１０Ｂ】
2019527886.tif 000013
【図１０Ｃ】
2019527886.tif 000014
【図１１】
2019527886.tif 000015
【図１２】
2019527886.tif 000016
【図１３】
2019527886.tif 000017
【図１４】
2019527886.tif 000018
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
交通システムにおける車両に適用される車両外部通信方法であって、
前記車両により、関連づけ登録要求メッセージを管理デバイスに送信するステップであり、前記関連づけ登録要求メッセージは、前記車両が前記管理デバイスとの制御関連づけを確立するのを要求することを示すために使用され、前記制御関連づけは、前記車両が適用要求メッセージを前記管理デバイスに送信し、前記適用要求メッセージに従って前記管理デバイスにより送信された適用応答メッセージを受信すること、前記車両が前記管理デバイスにより送信された適用要求メッセージを受信し、前記適用要求メッセージに従って適用応答メッセージを前記管理デバイスに送信すること、前記車両が通知メッセージを前記管理デバイスに送信すること、又は前記車両が前記管理デバイスにより送信された通知メッセージを受信することのうち１つを含む、ステップと、
前記車両により、前記管理デバイスにより送信され且つ成功識別子を含む第１の関連づけ登録応答メッセージを受信し、前記第１の関連づけ登録応答メッセージに従って前記管理デバイスとの制御関連づけを確立するステップであり、前記第１の関連づけ登録応答メッセージは、前記車両が前記管理デバイスとの制御関連づけを確立するのを許可されることを示すために使用される、ステップ、又は、
前記車両により、前記管理デバイスにより送信され且つ失敗識別子を含む第２の関連づけ登録応答メッセージを受信するステップであり、前記第２の関連づけ登録応答メッセージは、前記車両が前記管理デバイスとの制御関連づけを確立するのを禁止されることを示すために使用される、ステップと、
を含む方法。
【請求項２】
前記車両が適用要求メッセージを前記管理デバイスに送信し、前記適用要求メッセージに従って前記管理デバイスにより送信された適用応答メッセージを受信することは、
前記車両により、関連づけ登録解除要求メッセージを前記管理デバイスに送信し、前記関連づけ登録解除要求メッセージは、前記車両が前記管理デバイスとの制御関連づけを取り消すのを要求することを示すために使用されることと、
前記車両により、前記管理デバイスにより送信され且つ成功識別子を含む第１の関連づけ登録解除応答メッセージを受信し、前記第１の関連づけ登録解除応答メッセージに従って前記管理デバイスとの制御関連づけを取り消し、前記第１の関連づけ登録解除応答メッセージは、前記車両が前記管理デバイスとの制御関連づけを取り消すのを許可されることを示すために使用されること、又は、
前記車両により、前記管理デバイスにより送信され且つ失敗識別子を含む第２の関連づけ登録解除応答メッセージを受信し、前記第２の関連づけ登録解除応答メッセージは、前記車両が前記管理デバイスとの制御関連づけを取り消すのを禁止されることを示すために使用されることと、
を含む、請求項１に記載の方法。
【請求項３】
前記車両が適用要求メッセージを前記管理デバイスに送信し、前記適用要求メッセージに従って前記管理デバイスにより送信された適用応答メッセージを受信することは、
前記車両により、ユーザ識別子を含むユーザ更新要求メッセージを前記管理デバイスに送信し、前記ユーザ更新要求メッセージは、前記ユーザ識別子に対応するユーザが前記車両を使用するのを要求することを示すために使用されることと、
前記車両により、前記管理デバイスにより送信され且つ成功識別子を含む第１のユーザ更新応答メッセージを受信し、前記第１のユーザ更新応答メッセージは、前記ユーザ識別子に対応する前記ユーザが前記車両を使用するのを前記管理デバイスが許可することを示すために使用されること、又は、
前記車両により、前記管理デバイスにより送信され且つ失敗識別子を含む第２のユーザ更新応答メッセージを受信し、前記第２のユーザ更新応答メッセージは、前記ユーザ識別子に対応する前記ユーザが前記車両を使用するのを前記管理デバイスが禁止することを示すために使用されることと、
を含む、請求項１に記載の方法。
【請求項４】
前記車両が前記管理デバイスにより送信された通知メッセージを受信することは、
前記車両により、前記管理デバイスにより送信され且つユーザ識別子を含むユーザ更新メッセージを受信し、前記ユーザ更新メッセージは、前記ユーザ識別子に対応するユーザが前記車両を使用するのを許可されることを示すために使用されることを含む、請求項１に記載の方法。
【請求項５】
前記車両が前記管理デバイスにより送信された適用要求メッセージを受信し、前記適用要求メッセージに従って適用応答メッセージを前記管理デバイスに送信することは、
前記車両により、前記管理デバイスにより送信され且つ車両パラメータ識別子を含む問い合わせ要求メッセージを受信することと、
前記車両により、問い合わせ応答メッセージを前記管理デバイスに送信し、前記問い合わせ応答メッセージは、前記車両パラメータ識別子に対応する車両パラメータを含むことと、
を含む、請求項１に記載の方法。
【請求項６】
前記車両が通知メッセージを前記管理デバイスに送信することは、
前記車両により、車両パラメータ識別子に対応する車両パラメータを含む通知メッセージを前記管理デバイスに送信し、前記通知メッセージは、前記管理デバイスに対して前記車両パラメータ識別子に対応する前記車両パラメータを同期させるよう命令するために使用されることを含む、請求項１に記載の方法。
【請求項７】
前記車両により、車両パラメータ識別子に対応する車両パラメータを含む通知メッセージを前記管理デバイスに送信することは、
前記車両により、第１の車両状態通知メッセージを前記管理デバイスに送信し、前記第１の車両状態通知メッセージは、前記車両の共通部分の状態パラメータを含むこと、又は、
前記車両により、第２の車両状態通知メッセージを前記管理デバイスに送信し、前記第２の車両状態通知メッセージは、前記車両の警告部分又は故障部分の状態パラメータを含むことを含む、請求項６に記載の方法。
【請求項８】
前記車両により、車両パラメータ識別子に対応する車両パラメータを含む通知メッセージを前記管理デバイスに送信することは、
前記車両により、道路リソース使用通知メッセージを前記管理デバイスに送信し、前記道路リソース使用通知メッセージは、前記車両により使用された道路のパラメータを含むことを含む、請求項６に記載の方法。
【請求項９】
前記車両パラメータ識別子は、車両項目識別子及び車両サブ項目識別子のうち少なくとも１つを含み、前記車両項目識別子に対応する車両パラメータは、前記車両サブ項目識別子に対応する車両パラメータを含む、請求項５乃至８のうちいずれか１項に記載の方法。
【請求項１０】
前記車両が適用要求メッセージを前記管理デバイスに送信し、前記適用要求メッセージに従って前記管理デバイスにより送信された適用応答メッセージを受信することは、
前記車両により、道路制約情報を含む道路リソース割り当て要求メッセージを前記管理デバイスに送信し、前記道路リソース割り当て要求メッセージは、前記車両が前記管理デバイスに、前記道路制約情報に従って道路リソースを前記車両に割り当てるよう要求することを示すために使用されることと、
前記車両により、前記管理デバイスにより送信され且つ成功識別子及び道路リソース割り当て情報を含む第１の道路リソース割り当て応答メッセージを受信し、前記第１の道路リソース割り当て応答メッセージは、前記管理デバイスが前記道路リソースを前記車両に割り当てるのに成功したことを示すために使用され、それにより、前記車両は前記道路リソース割り当て情報を取得すること、又は、
前記車両により、前記管理デバイスにより送信され且つ失敗識別子を含む第２の道路リソース割り当て応答メッセージを受信し、前記第２の道路リソース割り当て応答メッセージは、前記管理デバイスが前記道路リソースを前記車両に割り当てるのに失敗したことを示すために使用されることと、
を含む、請求項１に記載の方法。
【請求項１１】
前記車両が前記道路リソース割り当て情報を取得した後、当該方法は、
前記車両により、道路リソース解放メッセージを前記管理デバイスに送信するステップであり、前記道路リソース解放メッセージは前記管理デバイスに、前記道路リソース割り当て情報内の使用されない道路を解放するよう命令するために使用される、ステップ
をさらに含む、請求項１０に記載の方法。
【請求項１２】
前記車両により、関連づけ登録要求メッセージを管理デバイスに送信するステップは、
前記車両により、管理デバイスアイデンティティ情報を取得するステップと、
前記車両により、前記関連づけ登録要求メッセージを、前記管理デバイスアイデンティティ情報に対応する管理デバイスに送信するステップと、
を含む、請求項１に記載の方法。
【請求項１３】
前記車両により、関連づけ登録要求メッセージを管理デバイスに送信するステップであり、前記関連づけ登録要求メッセージは、前記車両が前記管理デバイスとの制御関連づけを確立するのを要求することを示すために使用される、ステップは、
前記車両により、車両アイデンティティ情報を含む関連づけ登録要求メッセージを前記管理デバイスに送信するステップであり、前記関連づけ登録要求メッセージは、前記車両アイデンティティ情報に対応する車両が前記管理デバイスとの制御関連づけを確立するのを要求することを示すために使用される、ステップを含む、請求項１に記載の方法。
【請求項１４】
交通システムにおける管理デバイスに適用される車両外部通信方法であって、
前記管理デバイスにより、車両により送信された関連づけ登録要求メッセージを受信するステップであり、前記関連づけ登録要求メッセージは、前記車両が前記管理デバイスとの制御関連づけを確立するのを要求することを示すために使用され、前記制御関連づけは、前記管理デバイスが前記車両により送信された適用要求メッセージを受信し、前記適用要求メッセージに従って適用応答メッセージを前記車両に送信すること、前記管理デバイスが適用要求メッセージを前記車両に送信し、前記適用要求メッセージに従って前記車両により送信された適用応答メッセージを受信すること、前記管理デバイスが前記車両により送信された通知メッセージを受信すること、又は前記管理デバイスが通知メッセージを前記車両に送信することのうち１つを含む、ステップと、
前記管理デバイスにより、成功識別子を含む第１の関連づけ登録応答メッセージを前記車両に送信するステップであり、それにより、前記車両は前記第１の関連づけ登録応答メッセージに従って前記管理デバイスとの制御関連づけを確立し、前記第１の関連づけ登録応答メッセージは、前記車両が前記管理デバイスとの制御関連づけを確立するのを許可されることを示すために使用される、ステップ、又は、
前記管理デバイスにより、失敗識別子を含む第２の関連づけ登録応答メッセージを前記車両に送信するステップであり、前記第２の関連づけ登録応答メッセージは、前記車両が前記管理デバイスとの制御関連づけを確立するのを禁止されることを示すために使用される、ステップと、
を含む方法。
【請求項１５】
前記管理デバイスが前記車両により送信された適用要求メッセージを受信し、前記適用要求メッセージに従って適用応答メッセージを前記車両に送信することは、
前記管理デバイスにより、前記車両により送信された関連づけ登録解除要求メッセージを受信し、前記関連づけ登録解除要求メッセージは、前記車両が前記管理デバイスとの制御関連づけを取り消すのを要求することを示すために使用されることと、
前記管理デバイスにより、成功識別子を含む第１の関連づけ登録解除応答メッセージを前記車両に送信し、それにより、前記車両は前記第１の関連づけ登録解除応答メッセージに従って前記管理デバイスとの制御関連づけを取り消し、前記第１の関連づけ登録解除応答メッセージは、前記車両が前記管理デバイスとの制御関連づけを取り消すのを許可されることを示すために使用されること、又は、
前記管理デバイスにより、失敗識別子を含む第２の関連づけ登録解除応答メッセージを前記車両に送信し、前記第２の関連づけ登録解除応答メッセージは、前記車両が前記管理デバイスとの制御関連づけを取り消すのを禁止されることを示すために使用されることと、
を含む、請求項１４に記載の方法。
【請求項１６】
前記管理デバイスが前記車両により送信された適用要求メッセージを受信し、前記適用要求メッセージに従って適用応答メッセージを前記車両に送信することは、
前記管理デバイスにより、前記車両により送信され且つユーザ識別子を含むユーザ更新要求メッセージを受信し、前記ユーザ更新要求メッセージは、前記ユーザ識別子に対応するユーザが前記車両を使用するのを要求することを示すために使用されることと、
前記管理デバイスにより、成功識別子を含む第１のユーザ更新応答メッセージを前記車両に送信し、前記第１のユーザ更新応答メッセージは、前記ユーザ識別子に対応する前記ユーザが前記車両を使用するのを前記管理デバイスが許可することを示すために使用されること、又は、
前記管理デバイスにより、失敗識別子を含む第２のユーザ更新応答メッセージを前記車両に送信し、前記第２のユーザ更新応答メッセージは、前記ユーザ識別子に対応する前記ユーザが前記車両を使用するのを前記管理デバイスが禁止することを示すために使用されることと、
を含む、請求項１４に記載の方法。
【請求項１７】
前記管理デバイスが通知メッセージを前記車両に送信することは、
前記管理デバイスにより、ユーザ識別子を含むユーザ更新メッセージを前記車両に送信し、前記ユーザ更新メッセージは、前記ユーザ識別子に対応するユーザが前記車両を使用するのを許可されることを示すために使用されることを含む、請求項１４に記載の方法。
【請求項１８】
前記管理デバイスが適用要求メッセージを前記車両に送信し、前記適用要求メッセージに従って前記車両により送信された適用応答メッセージを受信することは、
前記管理デバイスにより、問い合わせ要求メッセージを前記車両に送信することと、
前記管理デバイスにより、前記車両により送信された問い合わせ応答メッセージを受信し、前記問い合わせ応答メッセージは、車両パラメータ識別子に対応する車両パラメータを含むことと、
を含む、請求項１４に記載の方法。
【請求項１９】
前記管理デバイスが通知メッセージを前記車両に送信することは、
前記管理デバイスにより、前記車両により送信され且つ車両パラメータ識別子に対応する車両パラメータを含む通知メッセージを受信し、前記通知メッセージは、前記管理デバイスに対して前記車両パラメータ識別子に対応する前記車両パラメータを同期させるよう命令するために使用されることを含む、請求項１４に記載の方法。
【請求項２０】
前記管理デバイスにより、前記車両により送信され且つ車両パラメータ識別子に対応する車両パラメータを含む通知メッセージを受信することは、
前記管理デバイスにより、前記車両により送信された第１の車両状態通知メッセージを受信し、前記第１の車両状態通知メッセージは、前記車両の共通部分の状態パラメータを含むこと、又は、
前記管理デバイスにより、前記車両により送信された第２の車両状態通知メッセージを受信し、前記第２の車両状態通知メッセージは、前記車両の警告部分又は故障部分の状態パラメータを含むこと、
を含む、請求項１９に記載の方法。
【請求項２１】
前記管理デバイスにより、前記車両により送信され且つ車両パラメータ識別子に対応する車両パラメータを含む通知メッセージを受信することは、
前記管理デバイスにより、前記車両により送信された道路リソース使用通知メッセージを受信し、前記道路リソース使用通知メッセージは、前記車両により使用された道路のパラメータを含むことを含む、請求項１９に記載の方法。
【請求項２２】
前記管理デバイスが前記車両により送信された適用要求メッセージを受信し、前記適用要求メッセージに従って適用応答メッセージを前記車両に送信することは、
前記管理デバイスにより、前記車両により送信され且つ道路制約情報を含む道路リソース割り当て要求メッセージを受信し、前記道路リソース割り当て要求メッセージは、前記車両が前記管理デバイスに、前記道路制約情報に従って道路リソースを前記車両に割り当てるよう要求することを示すために使用されることと、
前記管理デバイスにより、成功識別子及び道路リソース割り当て情報を含む第１の道路リソース割り当て応答メッセージを前記車両に送信し、前記第１の道路リソース割り当て応答メッセージは、前記管理デバイスが前記道路リソースを前記車両に割り当てるのに成功したことを示すために使用され、それにより、前記車両は前記道路リソース割り当て情報を取得すること、又は、
前記管理デバイスにより、失敗識別子を含む第２の道路リソース割り当て応答メッセージを前記車両に送信し、前記第２の道路リソース割り当て応答メッセージは、前記管理デバイスが前記道路リソースを前記車両に割り当てるのに失敗したことを示すために使用されることと、
を含む、請求項１４に記載の方法。
【請求項２３】
前記車両が前記道路リソース割り当て情報を取得した後、当該方法は、
前記管理デバイスにより、前記車両により送信された道路リソース解放メッセージを受信するステップであり、前記道路リソース解放メッセージは前記管理デバイスに、前記道路リソース割り当て情報内の使用されない道路を解放するよう命令するために使用される、ステップをさらに含む、請求項２２に記載の方法。
【請求項２４】
交通システムにおける車両に適用される車両外部通信装置であって、
関連づけ登録要求メッセージを管理デバイスに送信するように構成された関連づけ登録要求メッセージ送信モジュールであり、前記関連づけ登録要求メッセージは、前記車両が制御関連づけモジュールを使用することにより前記管理デバイスとの制御関連づけを確立するのを要求することを示すために使用され、前記制御関連づけは、前記車両が適用要求メッセージを前記管理デバイスに送信し、前記適用要求メッセージに従って前記管理デバイスにより送信された適用応答メッセージを受信すること、前記車両が前記管理デバイスにより送信された適用要求メッセージを受信し、前記適用要求メッセージに従って適用応答メッセージを前記管理デバイスに送信すること、前記車両が通知メッセージを前記管理デバイスに送信すること、又は前記車両が前記管理デバイスにより送信された通知メッセージを受信することのうち１つを含む、関連づけ登録要求メッセージ送信モジュールと、
前記管理デバイスにより送信され且つ成功識別子を含む第１の関連づけ登録応答メッセージを受信し、前記第１の関連づけ登録応答メッセージに従って前記管理デバイスとの制御関連づけを確立するように構成された第１の関連づけ登録応答メッセージ受信モジュールであり、前記第１の関連づけ登録応答メッセージは、前記車両が前記管理デバイスとの制御関連づけを確立するのを許可されることを示すために使用される、第１の関連づけ登録応答メッセージ受信モジュール、又は、
前記管理デバイスにより送信され且つ失敗識別子を含む第２の関連づけ登録応答メッセージを受信するように構成された第２の関連づけ登録応答メッセージ受信モジュールであり、前記第２の関連づけ登録応答メッセージは、前記車両が前記管理デバイスとの制御関連づけを確立するのを禁止されることを示すために使用される、第２の関連づけ登録応答メッセージ受信モジュールと、
を含む装置。
【請求項２５】
前記制御関連づけモジュールは、
関連づけ登録解除要求メッセージを前記管理デバイスに送信するように構成された関連づけ登録解除要求メッセージ送信サブモジュールであり、前記関連づけ登録解除要求メッセージは、前記車両が前記管理デバイスとの制御関連づけを取り消すのを要求することを示すために使用される、関連づけ登録解除要求メッセージ送信サブモジュールと、
前記管理デバイスにより送信され且つ成功識別子を含む第１の関連づけ登録解除応答メッセージを受信し、前記第１の関連づけ登録解除応答メッセージに従って前記管理デバイスとの制御関連づけを取り消すように構成された第１の関連づけ登録解除応答メッセージ受信サブモジュールであり、前記第１の関連づけ登録解除応答メッセージは、前記車両が前記管理デバイスとの制御関連づけを取り消すのを許可されることを示すために使用される、第１の関連づけ登録解除応答メッセージ受信サブモジュール、又は、
前記管理デバイスにより送信され且つ失敗識別子を含む第２の関連づけ登録解除応答メッセージを受信するように構成された第２の関連づけ登録解除応答メッセージ受信サブモジュールであり、前記第２の関連づけ登録解除応答メッセージは、前記車両が前記管理デバイスとの制御関連づけを取り消すのを禁止されることを示すために使用される、第２の関連づけ登録解除応答メッセージ受信サブモジュールと、
を含む、請求項２４に記載の装置。
【請求項２６】
前記制御関連づけモジュールは、
ユーザ識別子を含むユーザ更新要求メッセージを前記管理デバイスに送信するように構成されたユーザ更新要求メッセージ送信サブモジュールであり、前記ユーザ更新要求メッセージは、前記ユーザ識別子に対応するユーザが前記車両を使用するのを要求することを示すために使用される、ユーザ更新要求メッセージ送信サブモジュールと、
前記管理デバイスにより送信され且つ成功識別子を含む第１のユーザ更新応答メッセージを受信するように構成された第１のユーザ更新応答メッセージ受信サブモジュールであり、前記第１のユーザ更新応答メッセージは、前記ユーザ識別子に対応する前記ユーザが前記車両を使用するのを前記管理デバイスが許可することを示すために使用される、第１のユーザ更新応答メッセージ受信サブモジュール、又は、
前記管理デバイスにより送信され且つ失敗識別子を含む第２のユーザ更新応答メッセージを受信するように構成された第２のユーザ更新応答メッセージ受信サブモジュールであり、前記第２のユーザ更新応答メッセージは、前記ユーザ識別子に対応する前記ユーザが前記車両を使用するのを前記管理デバイスが禁止することを示すために使用される、第２のユーザ更新応答メッセージ受信サブモジュールと、
を含む、請求項２４に記載の装置。
【請求項２７】
前記制御関連づけモジュールは、
前記管理デバイスにより送信され且つユーザ識別子を含むユーザ更新メッセージを受信するように構成されたユーザ更新メッセージ受信サブモジュールであり、前記ユーザ更新メッセージは、前記ユーザ識別子に対応するユーザが前記車両を使用するのを許可されることを示すために使用される、ユーザ更新メッセージ受信サブモジュールを含む、請求項２４に記載の装置。
【請求項２８】
前記制御関連づけモジュールは、
前記管理デバイスにより送信され且つ車両パラメータ識別子を含む問い合わせ要求メッセージを受信するように構成された問い合わせ要求メッセージ受信サブモジュールと、
問い合わせ応答メッセージを前記管理デバイスに送信するように構成された問い合わせ応答メッセージ送信サブモジュールであり、前記問い合わせ応答メッセージは、前記車両パラメータ識別子に対応する車両パラメータを含む、問い合わせ応答メッセージ送信サブモジュールと、
を含む、請求項２４に記載の装置。
【請求項２９】
前記制御関連づけモジュールは、
車両パラメータ識別子に対応する車両パラメータを含む通知メッセージを前記管理デバイスに送信するように構成された通知メッセージ送信サブモジュールであり、前記通知メッセージは、前記管理デバイスに対して前記車両パラメータ識別子に対応する前記車両パラメータを同期させるよう命令するために使用される、通知メッセージ送信サブモジュールを含む、請求項２４に記載の装置。
【請求項３０】
前記通知メッセージ送信サブモジュールは、
第１の車両状態通知メッセージを前記管理デバイスに送信するように構成された第１の車両状態通知メッセージ送信サブモジュールであり、前記第１の車両状態通知メッセージは、前記車両の共通部分の状態パラメータを含む、第１の車両状態通知メッセージ送信サブモジュール、又は、
第２の車両状態通知メッセージを前記管理デバイスに送信するように構成された第２の車両状態通知メッセージ送信サブモジュールであり、前記第２の車両状態通知メッセージは、前記車両の警告部分又は故障部分の状態パラメータを含む、第２の車両状態通知メッセージ送信サブモジュール、
を含む、請求項２９に記載の装置。
【請求項３１】
前記通知メッセージ送信サブモジュールは、
道路リソース使用通知メッセージを前記管理デバイスに送信するように構成された道路リソース使用通知メッセージ送信サブモジュールであり、前記道路リソース使用通知メッセージは、前記車両により使用された道路のパラメータを含む、道路リソース使用通知メッセージ送信サブモジュールを含む、請求項２９に記載の装置。
【請求項３２】
前記制御関連づけモジュールは、
道路制約情報を含む道路リソース割り当て要求メッセージを前記管理デバイスに送信するように構成された道路リソース割り当て要求メッセージ送信サブモジュールであり、前記道路リソース割り当て要求メッセージは、前記車両が前記管理デバイスに、前記道路制約情報に従って道路リソースを前記車両に割り当てるよう要求することを示すために使用される、道路リソース割り当て要求メッセージ送信サブモジュールと、
前記管理デバイスにより送信され且つ成功識別子及び道路リソース割り当て情報を含む第１の道路リソース割り当て応答メッセージを受信するように構成された第１の道路リソース割り当て応答メッセージ受信サブモジュールであり、前記第１の道路リソース割り当て応答メッセージは、前記管理デバイスが前記道路リソースを前記車両に割り当てるのに成功したことを示すために使用され、それにより、前記車両は前記道路リソース割り当て情報を取得する、第１の道路リソース割り当て応答メッセージ受信サブモジュール、又は、
前記管理デバイスにより送信され且つ失敗識別子を含む第２の道路リソース割り当て応答メッセージを受信するように構成された第２の道路リソース割り当て応答メッセージ受信サブモジュールであり、前記第２の道路リソース割り当て応答メッセージは、前記管理デバイスが前記道路リソースを前記車両に割り当てるのに失敗したことを示すために使用される、第２の道路リソース割り当て応答メッセージ受信サブモジュールと、
を含む、請求項２４に記載の装置。
【請求項３３】
前記制御関連づけモジュールは、
道路リソース解放メッセージを前記管理デバイスに送信するように構成された道路リソース解放メッセージ送信サブモジュールであり、前記道路リソース解放メッセージは前記管理デバイスに、前記道路リソース割り当て情報内の使用されない道路を解放するよう命令するために使用される、道路リソース解放メッセージ送信サブモジュールをさらに含む、請求項３２に記載の装置。
【請求項３４】
前記関連づけ登録要求メッセージ送信モジュールは、
管理デバイスアイデンティティ情報を取得するように構成された管理デバイスアイデンティティ情報取得サブモジュールと、
前記関連づけ登録要求メッセージを前記管理デバイスアイデンティティ情報に対応する管理デバイスに送信するように構成された関連づけ登録要求メッセージ送信サブモジュールと、
を含む、請求項２４に記載の装置。
【請求項３５】
交通システムにおける管理デバイスに適用される車両外部通信装置であって、
車両により送信された関連づけ登録要求メッセージを受信するように構成された関連づけ登録要求メッセージ受信モジュールであり、前記関連づけ登録要求メッセージは、前記車両が制御関連づけモジュールを使用することにより前記管理デバイスとの制御関連づけを確立するのを要求することを示すために使用され、前記制御関連づけは、前記管理デバイスが前記車両により送信された適用要求メッセージを受信し、前記適用要求メッセージに従って適用応答メッセージを前記車両に送信すること、前記管理デバイスが適用要求メッセージを前記車両に送信し、前記適用要求メッセージに従って前記車両により送信された適用応答メッセージを受信すること、前記管理デバイスが前記車両により送信された通知メッセージを受信すること、又は前記管理デバイスが通知メッセージを前記車両に送信することのうち１つを含む、関連づけ登録要求メッセージ受信モジュールと、
成功識別子を含む第１の関連づけ登録応答メッセージを前記車両に送信するように構成された第１の関連づけ登録応答メッセージ送信モジュールであり、それにより、前記車両は前記第１の関連づけ登録応答メッセージに従って前記管理デバイスとの制御関連づけを確立し、前記第１の関連づけ登録応答メッセージは、前記車両が前記管理デバイスとの制御関連づけを確立するのを許可されることを示すために使用される、第１の関連づけ登録応答メッセージ送信モジュール、又は、
失敗識別子を含む第２の関連づけ登録応答メッセージを前記車両に送信するように構成された第２の関連づけ登録応答メッセージ送信モジュールであり、前記第２の関連づけ登録応答メッセージは、前記車両が前記管理デバイスとの制御関連づけを確立するのを禁止されることを示すために使用される、第２の関連づけ登録応答メッセージ送信モジュールと、
を含む装置。
【請求項３６】
前記制御関連づけモジュールは、
前記車両により送信された関連づけ登録解除要求メッセージを受信するように構成された関連づけ登録解除要求メッセージ受信サブモジュールであり、前記関連づけ登録解除要求メッセージは、前記車両が前記管理デバイスとの制御関連づけを取り消すのを要求することを示すために使用される、関連づけ登録解除要求メッセージ受信サブモジュールと、
成功識別子を含む第１の関連づけ登録解除応答メッセージを前記車両に送信するように構成された第１の関連づけ登録解除応答メッセージ送信サブモジュールであり、それにより、前記車両は前記第１の関連づけ登録解除応答メッセージに従って前記管理デバイスとの制御関連づけを取り消し、前記第１の関連づけ登録解除応答メッセージは、前記車両が前記管理デバイスとの制御関連づけを取り消すのを許可されることを示すために使用される、第１の関連づけ登録解除応答メッセージ送信サブモジュール、又は、
失敗識別子を含む第２の関連づけ登録解除応答メッセージを前記車両に送信するように構成された第２の関連づけ登録解除応答メッセージ送信サブモジュールであり、前記第２の関連づけ登録解除応答メッセージは、前記車両が前記管理デバイスとの制御関連づけを取り消すのを禁止されることを示すために使用される、第２の関連づけ登録解除応答メッセージ送信サブモジュールと、
を含む、請求項３５に記載の装置。
【請求項３７】
前記制御関連づけモジュールは、
前記車両により送信され且つユーザ識別子を含むユーザ更新要求メッセージを受信するように構成されたユーザ更新要求メッセージ受信サブモジュールであり、前記ユーザ更新要求メッセージは、前記ユーザ識別子に対応するユーザが前記車両を使用するのを要求することを示すために使用される、ユーザ更新要求メッセージ受信サブモジュールと、
成功識別子を含む第１のユーザ更新応答メッセージを前記車両に送信するように構成された第１のユーザ更新応答メッセージ送信サブモジュールであり、前記第１のユーザ更新応答メッセージは、前記ユーザ識別子に対応する前記ユーザが前記車両を使用するのを前記管理デバイスが許可することを示すために使用される、第１のユーザ更新応答メッセージ送信サブモジュール、又は、
失敗識別子を含む第２のユーザ更新応答メッセージを前記車両に送信するように構成された第２のユーザ更新応答メッセージ送信サブモジュールであり、前記第２のユーザ更新応答メッセージは、前記ユーザ識別子に対応する前記ユーザが前記車両を使用するのを前記管理デバイスが禁止することを示すために使用される、第２のユーザ更新応答メッセージ送信サブモジュールと、
を含む、請求項３５に記載の装置。
【請求項３８】
前記制御関連づけモジュールは、
ユーザ識別子を含むユーザ更新メッセージを前記車両に送信するように構成されたユーザ更新メッセージ送信サブモジュールであり、前記ユーザ更新メッセージは、前記ユーザ識別子に対応するユーザが前記車両を使用するのを許可されることを示すために使用される、ユーザ更新メッセージ送信サブモジュールを含む、請求項３５に記載の装置。
【請求項３９】
前記制御関連づけモジュールは、
問い合わせ要求メッセージを前記車両に送信するように構成された問い合わせ要求メッセージ送信サブモジュールと、
前記車両により送信された問い合わせ応答メッセージを受信するように構成された問い合わせ応答メッセージ受信サブモジュールであり、前記問い合わせ応答メッセージは、車両パラメータ識別子に対応する車両パラメータを含む、問い合わせ応答メッセージ受信サブモジュールと、
を含む、請求項３５に記載の装置。
【請求項４０】
前記制御関連づけモジュールは、
前記車両により送信され且つ車両パラメータ識別子に対応する車両パラメータを含む通知メッセージを受信するように構成された通知メッセージ受信サブモジュールであり、前記通知メッセージは、前記管理デバイスに対して前記車両パラメータ識別子に対応する前記車両パラメータを同期させるよう命令するために使用される、通知メッセージ受信サブモジュールを含む、請求項３５に記載の装置。
【請求項４１】
前記通知メッセージ受信サブモジュールは、
前記車両により送信された第１の車両状態通知メッセージを受信するように構成された第１の車両状態通知メッセージ受信サブモジュールであり、前記第１の車両状態通知メッセージは、前記車両の共通部分の状態パラメータを含む、第１の車両状態通知メッセージ受信サブモジュール、又は、
前記車両により送信された第２の車両状態通知メッセージを受信するように構成された第２の車両状態通知メッセージ受信サブモジュールであり、前記第２の車両状態通知メッセージは、前記車両の警告部分又は故障部分の状態パラメータを含む、第２の車両状態通知メッセージ受信サブモジュール
を含む、請求項４０に記載の装置。
【請求項４２】
前記通知メッセージ受信サブモジュールは、
前記車両により送信された道路リソース使用通知メッセージを受信するように構成された道路リソース使用通知メッセージ受信サブモジュールであり、前記道路リソース使用通知メッセージは、前記車両により使用された道路のパラメータを含む、道路リソース使用通知メッセージ受信サブモジュールを含む、請求項４０に記載の装置。
【請求項４３】
前記制御関連づけモジュールは、
前記車両により送信され且つ道路制約情報を含む道路リソース割り当て要求メッセージを受信するように構成された道路リソース割り当て要求メッセージ受信サブモジュールであり、前記道路リソース割り当て要求メッセージは、前記車両が前記管理デバイスに、前記道路制約情報に従って道路リソースを前記車両に割り当てるよう要求することを示すために使用される、道路リソース割り当て要求メッセージ受信サブモジュールと、
成功識別子及び道路リソース割り当て情報を含む第１の道路リソース割り当て応答メッセージを前記車両に送信するように構成された第１の道路リソース割り当て応答メッセージ送信サブモジュールであり、前記第１の道路リソース割り当て応答メッセージは、前記管理デバイスが前記道路リソースを前記車両に割り当てるのに成功したことを示すために使用され、それにより、前記車両は前記道路リソース割り当て情報を取得する、第１の道路リソース割り当て応答メッセージ送信サブモジュール、又は、
失敗識別子を含む第２の道路リソース割り当て応答メッセージを前記車両に送信するように構成された第２の道路リソース割り当て応答メッセージ送信サブモジュールであり、前記第２の道路リソース割り当て応答メッセージは、前記管理デバイスが前記道路リソースを前記車両に割り当てるのに失敗したことを示すために使用される、第２の道路リソース割り当て応答メッセージ送信サブモジュールと、
を含む、請求項３５に記載の装置。
【請求項４４】
前記制御関連づけモジュールは、
前記車両により送信された道路リソース解放メッセージを受信するように構成された道路リソース解放メッセージ受信サブモジュールであり、前記道路リソース解放メッセージは前記管理デバイスに、前記道路リソース割り当て情報内の使用されない道路を解放するよう命令するために使用される、道路リソース解放メッセージ受信サブモジュールをさらに含む、請求項４３に記載の装置。
【請求項４５】
プロセッサと、
プロセッサ実行可能命令を記憶するように構成されたメモリと、を含み、
前記プロセッサは、請求項１乃至１３のうちいずれか１項に記載の方法を実行するように構成される、車両。
【請求項４６】
プロセッサと、
プロセッサ実行可能命令を記憶するように構成されたメモリと、を含み、
前記プロセッサは、請求項１４乃至２３のうちいずれか１項に記載の方法を実行するように構成される、管理デバイス。
【請求項４７】
請求項４５に記載の車両及び請求項４６に記載の管理デバイスを含む交通システム。
【手続補正２】
【補正対象書類名】明細書
【補正対象項目名】００９４
【補正方法】変更
【補正の内容】
【００９４】
説明の容易さのため、この出願の実施例において、高度交通システムＩＴＳが、この出願の実施例で提供される車両外部通信解決策の適用環境として使用される。しかしながら、当業者は、この出願の実施例で提供される車両外部通信解決策を別のタイプの交通システムに適用し得ることが理解されるべきであり、それは、この出願の保護範囲内に入るものとする。
【手続補正３】
【補正対象書類名】明細書
【補正対象項目名】０１２０
【補正方法】変更
【補正の内容】
【０１２０】
管理センターはＩＴＳにおける制御センターであるため、車両は、道路トラフィック活動に関与する前に、管理センターとの制御関連づけを確立する必要がある。制御関連づけは、制御する‐制御される関係であり、この出願のこの実施例では、車両と管理センターとの間の制御する‐制御される関係であり、車両が適用要求メッセージを管理センターに送信し、適用要求メッセージに従って管理センターにより送信された適用応答メッセージを受信すること、車両が管理センターにより送信された適用要求メッセージを受信し、適用要求メッセージに従って適用応答メッセージを管理センターに送信すること、車両が通知メッセージを管理センターに送信すること、又は車両が管理センターにより送信された通知メッセージを受信することを具体的に含む。管理センターは、制御関連づけに基づいて、トラフィックサービス又は適用を実行するように車両を制御することができる。
【手続補正４】
【補正対象書類名】明細書
【補正対象項目名】０１５６
【補正方法】変更
【補正の内容】
【０１５６】
さらに、車両ユーザ情報は、ユーザの要求に追加で、管理センターの命令に基づいて更新されてもよい。具体的に、管理センターは、ユーザ識別子を含む車両ユーザ更新メッセージを車両に送信する。車両ユーザ更新メッセージの制御コマンドは更新であり、制御パラメータはユーザ識別子を含む。車両ユーザ更新メッセージは、ユーザ識別子に対応するユーザが車両を使用する権利を有するのを許可されることを示すために使用される。
【手続補正５】
【補正対象書類名】明細書
【補正対象項目名】０１７０
【補正方法】変更
【補正の内容】
【０１７０】
車両状態情報を交通システムにおける別のトラフィック関与者に通知することに追加で、車両は、追跡記録情報を別のトラフィック関与者に通知してもよい。
【手続補正６】
【補正対象書類名】明細書
【補正対象項目名】０１８２
【補正方法】変更
【補正の内容】
【０１８２】
前述の技術的解決策は、この出願のこの実施例における実現方式に過ぎず、この出願の保護範囲に対する限定とみなされるべきでない。例えば、通知要求メッセージを受信した後、管理センターは、通知応答メッセージを車両に送信しなくてもよい。この場合、この出願の発明目的は依然として達成でき、差は、要求／応答が交換メカニズムがメッセージ信頼性を改善できることに過ぎない。
【手続補正７】
【補正対象書類名】明細書
【補正対象項目名】０１９０
【補正方法】変更
【補正の内容】
【０１９０】
道路リソース割り当て要求メッセージを受信した後、管理センターは、道路リソース割り当て要求メッセージ内の車両識別子に従って、道路リソース割り当てを要求した車両を決定し、現在の道路リソースから道路制約情報の要件を満たす道路を選択し、道路リソース割り当て情報を生成し、道路リソース割り当て情報を車両に送信してもよく、それにより、車両は、管理センターにより車両に割り当てられた道路に関する情報を取得する。
【手続補正８】
【補正対象書類名】明細書
【補正対象項目名】０１９３
【補正方法】変更
【補正の内容】
【０１９３】
例えば、図１０Ａに示される車両１００１により送信された移動経路計画要求メッセージを受信した後、管理センターは、道路Ｌ１〜Ｌ６内で車両１００１の移動経路を計画する。具体的に、管理センターは、図１０Ｂにおいて網掛け部分で示されるように、開始点Ａの座標及び目的地Ｂの座標に従って道路Ｌ６、Ｌ５、Ｌ３、及びＬ４を車両に割り当てる。さらに、管理センターは、第１の道路リソース割り当て応答メッセージを車両１００１に送信する。第１の道路リソース割り当て応答メッセージの制御パラメータは道路Ｌ６、Ｌ５、Ｌ３、及びＬ４を含み、それにより、車両は、Ｌ６‐Ｌ５‐Ｌ３‐Ｌ４に沿って開始点Ａから目的地Ｂに移動する。
【手続補正９】
【補正対象書類名】明細書
【補正対象項目名】０１９９
【補正方法】変更
【補正の内容】
【０１９９】
管理センターが、車両により使用された道路を直ちに解放することができるため、車両は管理センターに、車両により使用されない道路のみを解放するよう要求する必要がある。具体的に、車両は、道路リソース解放メッセージを管理センターに送信する。道路リソース解放メッセージの制御コマンドは解放であり、制御パラメータは車両識別子及び追跡記録情報を含み、それにより、管理センターは、追跡記録情報に従って、道路リソース割り当て情報内の使用されない道路を解放する。追跡記録情報は、車両により使用された道路のパラメータを含んでもよい。
【手続補正１０】
【補正対象書類名】明細書
【補正対象項目名】０２０３
【補正方法】変更
【補正の内容】
【０２０３】
図１１を参照し、図１１は、この出願の実施例による車両外部通信装置１１００の概略構造図である。車両外部通信装置１１００は、関連づけ登録要求メッセージ送信モジュール１１１０、関連づけ登録応答メッセージ受信モジュール１１２０、及び制御関連づけモジュール１１３０を含む。関連づけ登録応答メッセージ受信モジュール１１２０は、第１の関連づけ登録応答メッセージ受信モジュール１１２１又は第２の関連づけ登録応答メッセージ受信モジュール１１２２を含む。
【手続補正１１】
【補正対象書類名】明細書
【補正対象項目名】０２３３
【補正方法】変更
【補正の内容】
【０２３３】
図１２を参照し、図１２は、この出願の実施例による別の車両外部通信装置１２００の概略構造図である。車両外部通信装置１２００は、関連づけ登録要求メッセージ受信モジュール１２１０、関連づけ登録応答メッセージ送信モジュール１２２０、及び制御関連づけモジュール１２３０を含む。関連づけ登録応答メッセージ送信モジュール１２２０は、第１の関連づけ登録応答メッセージ送信モジュール１２２１又は第２の関連づけ登録応答メッセージ送信モジュール１２２２を含む。
【手続補正１２】
【補正対象書類名】明細書
【補正対象項目名】０２６０
【補正方法】変更
【補正の内容】
【０２６０】
図１３を参照し、図１３は、この出願の実施例による車両１３００の概略構造図である。車両１３００は、プロセッサ１３０１、メモリ１３０２、及び通信ユニット１３０３を含み得る。これらのコンポーネントは、１つ以上のバスを使用することにより通信する。当業者は、図に示される車両の構造がこの出願に対する限定を構成しないことを理解し得る。構造は、バス構造でもよく、あるいはスター構造でもよく、あるいはさらに、図に示されるものよりもより多くの又はより少ないコンポーネントを含み、あるいはいくつかのコンポーネントを組み合わせ、あるいは異なるコンポーネント配置を有してもよい。
【手続補正１３】
【補正対象書類名】明細書
【補正対象項目名】０２６１
【補正方法】変更
【補正の内容】
【０２６１】
通信ユニット１３０３は、通信チャネルを確立し、それにより車両が別のデバイスと通信でき、別のデバイスにより送信されたユーザデータを受信し、あるいはユーザデータを別のデバイスに送信するように構成される。
【手続補正１４】
【補正対象書類名】明細書
【補正対象項目名】０２６２
【補正方法】変更
【補正の内容】
【０２６２】
プロセッサ１３０１は、車両の制御センターであり、様々なインターフェース及びラインを使用することにより車両全体の様々な部分に接続し、メモリ１３０２に記憶されたソフトウェアプログラム及び／又はモジュールを起動又は実行することとメモリに記憶されたデータを呼び出すこととにより車両の様々な機能及び／又はデータ処理を実行する。プロセッサは、集積回路（Integrated  Circuit、略称ＩＣ）を含んでもよく、例えば、単一のパッケージ化ＩＣを含んでもよく、あるいは同じ機能又は異なる機能を有する複数のパッケージ化ＩＣを含んでもよい。例えば、プロセッサ１３０１は、中央処理ユニット（Central  Processing  Unit、略称ＣＰＵ）のみを含んでもよい。この出願のこの実現方式において、ＣＰＵは、単一の計算コアでもよく、あるいは複数の計算コアを含んでもよい。
【手続補正１５】
【補正対象書類名】明細書
【補正対象項目名】０２６５
【補正方法】変更
【補正の内容】
【０２６５】
図１４を参照し、図１４は、この出願の実施例による管理センター１４００の概略構造図である。管理センター１４００は、プロセッサ１４０１、メモリ１４０２、及び通信ユニット１４０３を含み得る。これらのコンポーネントは、１つ以上のバスを使用することにより通信する。当業者は、図に示される管理センターの構造がこの出願に対する限定を構成しないことを理解し得る。構造は、バス構造でもよく、あるいはスター構造でもよく、あるいはさらに、図に示されるものよりもより多くの又はより少ないコンポーネントを含み、あるいはいくつかのコンポーネントを組み合わせ、あるいは異なるコンポーネント配置を有してもよい。
【手続補正１６】
【補正対象書類名】明細書
【補正対象項目名】０２６６
【補正方法】変更
【補正の内容】
【０２６６】
通信ユニット１４０３は、通信チャネルを確立し、それにより管理センターが別のデバイスと通信でき、別のデバイスにより送信されたユーザデータを受信し、あるいはユーザデータを別のデバイスに送信するように構成される。
【手続補正１７】
【補正対象書類名】明細書
【補正対象項目名】０２６７
【補正方法】変更
【補正の内容】
【０２６７】
プロセッサ１４０１は、管理センターの制御センターであり、様々なインターフェース及びラインを使用することにより管理センター全体の様々な部分に接続し、メモリ１４０２に記憶されたソフトウェアプログラム及び／又はモジュールを起動又は実行することとメモリに記憶されたデータを呼び出すこととにより管理センターの様々な機能及び／又はデータ処理を実行する。プロセッサは、集積回路（Integrated  Circuit、略称ＩＣ）を含んでもよく、例えば、単一のパッケージ化ＩＣを含んでもよく、あるいは同じ機能又は異なる機能を有する複数のパッケージ化ＩＣを含んでもよい。例えば、プロセッサ１４０１は、中央処理ユニット（Central  Processing  Unit、略称ＣＰＵ）のみを含んでもよい。この出願のこの実現方式において、ＣＰＵは、単一の計算コアでもよく、あるいは複数の計算コアを含んでもよい。
【手続補正１８】
【補正対象書類名】明細書
【補正対象項目名】０２６９
【補正方法】変更
【補正の内容】
【０２６９】
メモリ１４０２内の実行命令がプロセッサ１４０１により実行されたとき、管理センター１４００は、管理センターに適用される車両外部通信方法の一部又は全てのステップを実行することができる。
【手続補正１９】
【補正対象書類名】明細書
【補正対象項目名】０２７０
【補正方法】変更
【補正の内容】
【０２７０】
具体的な実現方式において、本発明の実施例はコンピュータ記憶媒体をさらに提供し、コンピュータ記憶媒体はプログラムを記憶してもよく、プログラムが実行されたとき、本発明で提供される車両外部通信方法の実施例の一部又は全てのステップが実行され得る。前述の記憶媒体は、磁気ディスク、光ディスク、読取専用メモリ（read-only  memory、略称ＲＯＭ）、又はランダムアクセスメモリ（random  access  memory、略称ＲＡＭ）を含んでもよい。
【国際調査報告】
2019527886.tif 000019
2019527886.tif 000020
2019527886.tif 000021
2019527886.tif 000022